(57)【要約】【課題】頭部保護具の内面側に容易に着脱可能で、頭部保護具の快適な装着を可能とする。【解決手段】頭部保護具用インナー１００は、頭部保護具１の前頭保護部２１、頭頂保護部１０及び後頭保護部３１に配設させる長尺状の本体布部１１０と、本体布部１１０の長手方向に対して直角な幅方向の左右両側に延び頭部保護具１の左右の側頭保護部２２Ｒ，２２Ｌの内面側に配設させる左右の側布部１２０Ｒ，１２０Ｌとを有し、本体布部１１０の長さ方向の一端部側に形成した本体布取付部１３０によって、頭部保護具１の後頭保護部３１の周囲に本体布部１００の長さ方向の一端部側が取付自在であり、また、各左右の側布部１２０Ｒ，１２０Ｌに形成した側布取付部１４０によって、頭部保護具１の側頭保護部２２Ｒ，２２Ｌの周囲に各左右の側布部１２０Ｒ，１２０Ｌが取付自在である。【選択図】図１
2018178273.tif 000002
【特許請求の範囲】
【請求項１】
頭部を保護する頭部保護具の内面側で前記頭部の前頭部側から頭頂部側を通って後頭部側に対応して配設された本体布部と、
前記本体布部の長手方向に対して直角方向の左右両側に、前記本体布部の長手方向に対して直角方向に延設され、前記頭部保護具の内面側で前記頭部の左右の側頭部側に対応する位置に配設された左右の側布部と、
前記本体布部の長手方向の一端部側に形成され、前記本体布部の長手方向の一端部側を前記頭部保護具の前記前頭部側または前記後頭部側に対応する位置に対して、その内面側及び外面側の周囲に配設自在な本体布取付部と、
前記左右の側布部の各々に形成され、前記各左右の側布部を前記頭部保護具の前記左右の側頭部側に対応する位置に対して前記内面側及び前記外面側の周囲に配設自在とする側布取付部と
を具備することを特徴とする頭部保護具用インナー。
【請求項２】
前記本体部及び前記左右の側布部は、Ｔ字状に一体に接続されていることを特徴とする請求項１に記載の頭部保護具用インナー。
【請求項３】
前記左右の側布部は、前記本体布部の一端部側に形成された本体取付部側とは反対側の他端部側で前記本体布部の長手方向に対して直角な幅方向の左右両側から延設されていることを特徴とする請求項１または請求項２に記載の頭部保護具用インナー。
【請求項４】
前記本体取付部は、前記本体布部の長手方向の一端部を閉じるように袋状に形成されていることを特徴とする請求項１乃至請求項３の何れか１つに記載の頭部保護具用インナー。
【請求項５】
前記本体取付部は、雄部材と雌部材からなる接合具によって前記本体布部の長手方向の一端部側でその上下方向を接続自在に構成されてなることを特徴とする請求項１乃至請求項３の何れか１つに記載の頭部保護具用インナー。
【請求項６】
前記側布取付部は、雄部材と雌部材からなる接合具によって前記各左右の側布部においてその上下方向を接続自在に構成されてなることを特徴とする請求項１乃至請求項５に記載の頭部保護具用インナー。
【請求項７】
前記本体布部の長手方向の中央部側には、前記本体布部の長手方向に沿った複数のスリットが形成されていることを特徴とする請求項１乃至請求項６の何れか１つに記載の頭部保護具用インナー。
【発明の詳細な説明】
【技術分野】
【０００１】
本発明は、転倒等による頭部の損傷を防止するために人体の頭部に装着する頭部保護具の内側に取付自在で、頭部保護具の快適な装着を可能とする頭部保護具用インナーに関するものである。
【背景技術】
【０００２】
癲癇等の病気や身体に障害のある小児では転倒によって頭部を損傷する恐れがあることから、頭部を保護するために緩衝機能を高めた保護帽（ヘッドギア、ヘッドガード、プロテクタとも呼ばれる）を装着している。従来、この種の保護帽では、衝撃吸収性を重視する観点から外皮に革素材を使用しているため、通気性や吸湿性に欠け、装着によって蒸れが生じやすかった。また、外皮が革素材であるうえ、その中には衝撃を吸収するための緩衝材（クッション材）が使用さていることから、洗濯が困難であり、衛生的にも気がかりであった。
【０００３】
そこで、例えば、特許文献１で開示されているように、トップクラウン側（頭部の頭頂部側に対応させる部位）で一部を開放して熱がこもりくい設計とした保護帽も開発されている。
【０００４】
しかしながら、特許文献１で開示したような保護帽であっても、癲癇等の病気や身体に障害のある小児では、頭部を保護するために保護帽を日常的に長時間装着されることから、頭部への接触箇所で蒸れが生じやすい。特に、夏場では暑さや蒸れにより汗疹が生じたり、暑さや蒸れによる不快感から装着を嫌ったりすることもあった。また、汗や脂で変色したり悪臭を放ったりすることもあった。
更に、この種の保護帽では、個人の症例に合わせたオーダーメイドでの販売が主流であるからコスト高であり、また、サイズ調整ができないことから頭部の成長に応じて買い替えなければならず、湿気や汗を乾かすためのローテーション用に複数個用意したくとも金銭面の負担が極めて大きかった。
このため、衛生さを保てるようにしたという要望があった。
【０００５】
一方、特許文献２では、通常のファッション、防暑（日除け）、制帽等としての帽子の下に着用する帽子用のインナーウェアを開示しており、帽子用のインナーウェアは帽子の内側に着脱自在であることの記載がある。
【先行技術文献】
【特許文献】
【０００６】
【特許文献１】特開２００４−５２２０５号公報
【特許文献２】特開２０１４−１１４５１８号公報
【発明の概要】
【発明が解決しようとする課題】
【０００７】
ところが、特許文献２で開示した帽子用のインナーウェアは、通常のファッション、防暑（日除け）、制帽等としての帽子を想定しており、帽子の内側の開口縁に設けられているスベリ（ビン皮）に挟むことで取付けられ、スベリ（ビン皮）を有する一般的な帽子への適用を前提としている。このため、一般的な帽子とはその機能、使途、具体的構造が相違し、通常、スベリ（ビン皮）を設けることのない頭部保護具には、対応できない。
【０００８】
そこで、本発明は、頭部保護具の内面側に容易に着脱可能で、頭部保護具の快適な装着及び清潔維持を可能とする頭部保護具用インナーの提供を目的とするものである。
【課題を解決するための手段】
【０００９】
請求項１の発明の頭部保護具用インナーは、頭部を保護する頭部保護具の内面側で前記頭部の前頭部側から頭頂部側を通って後頭部側まで対応する位置に配設させる本体布部に対し、その長手方向に対して直角な幅方向の左右両側に左右の側布部が突設し、前記本体布部の長さ方向の一端部側に形成した本体布取付部によって、前記頭部保護具の前記前頭部側または後頭部側に対応する位置の周囲に前記本体布部の長さ方向の一端部側が取付自在であり、また、前記各左右の側布部に形成した側布取付部によって、前記頭部保護具の前記頭部の左右の側頭部側に対応する位置の周囲に前記各左右の側布部が取付自在であるものである。
【００１０】
上記頭部保護具は、癲癇等の病気や身体に障害のある小児等が転倒等による衝撃から頭部を保護するために使用される緩衝機能を高めた保護帽（ヘッドギア、ヘッドガード、プロテクタとも呼ばれる）であり、頭部保護具用インナーの取付対象を示している。通常、このような頭部保護具では、例えば、頭部の頭頂部側に対応させる位置（トップクラウン側）に通気性を確保するための開口を形成しているから、その開口を利用して、頭部保護具において頭部の水平周囲に対応させる位置（サイドクラウン側）の内面側及び外面側の周囲に頭部保護具用インナーの一部を巻いて取付けることが可能である。
【００１１】
ここで、上記本体布部は、頭部の前頭部側から頭頂部側を通って後頭部側まで対応させる長さであり、前記頭部保護具の前頭部側から頭頂部側を通って後頭部側まで対応させる位置の内面側を覆うものである。
【００１２】
また、上記左右の側布部は、前記本体布部の長手方向に対して直角な幅方向の左右両側から前記本体布部の長手方向に対して直角な方向に延びて、前記頭部保護具の前記右側頭部側及び左側頭部側に対応させる位置の内面側を覆うものである。
【００１３】
更に、上記本体布取付部は、前記本体布部の長手方向の一端部側に形成され、前記頭部保護具の後頭部側に対応させる位置の内面側及び外面側の周囲に前記本体布部の長手方向の一端部側を取付自在とする構造であればよい。そして、取付対象である頭部保護具を特定してその形状や構成に対応させても良いし、任意の頭部保護具に対応させるようにしてもよい。
例えば、取付対象である前記頭部保護具の前頭部側または後頭部側に対応させる位置が、側頭部側に対応させる位置と接合及び分離自在に形成されている場合には、前記頭部保護具の前頭部側または後頭部側に対応させる位置に被せるように袋状の構造とすることができる。或いは、前記本体布部の長手方向の一端部側においてその左右両側を接続する構成、及び／または、上下両側を接続する構成により、前記本体布部の長手方向の一端部側に環状を形成し、その環状の中に前記頭部保護具の前頭部側または後頭部側に対応させる位置を通して、前記頭部保護具の前頭部側または後頭部側に対応させる位置の周囲に取付けようにしてもよい。または、係合及び分離自在な雌側及び雄側の１対で形成される接合具を設けて、前記本体布部の長手方向の一端部側においてその左右両側を接続自在とする構成、及び／または、上下両側を接続自在とする構成とし、その接合具の雌側及び雄側の係合により、前記本体布部の長手方向の一端部側を前記頭部保護具の前頭部側または後頭部側に対応させる位置の周囲に取付けるようにしてもよい。このときの接合具としては、例えば、マジックテープ（登録商標）等の面ファスナ（接着布）、ホック、ドット釦、ボタン及びボタンホール等が使用でき、係合状態及びその解除状態が自在で、かつ、維持されるものが使用される。即ち、取付対象である頭部保護具を特定してその形状や構成に対応させても良いし、任意の頭部保護具に対応させるようにしてもよい。
【００１４】
加えて、上記側布取付部は、前記各左右の側布部に形成され、前記頭部保護具の左右の側頭部側に対応させる位置の内面側及び外面側の周囲に前記左右の側布部を取付自在とする構造であればよい。そして、取付対象である頭部保護具を特定してその形状や構成に対応させても良いし、任意の頭部保護具に対応させるようにしてもよい。
例えば、取付対象である前記頭部保護具の側頭部側に対応させる位置が、前頭部側または後頭部側に対応させる位置と接合及び分離自在に形成されている場合には、前記各側布部においてその上下両側を接続する構成により、前記各側布部を環状に形成し、その環状の中に前記頭部保護具の側頭部側に対応させる位置を通して、前記頭部保護具の側頭部側に対応させる位置の周囲に取付けようにしてもよい。または、係合及び分離自在な雌側及び雄側の１対で形成される接合具を設けて、前記各側布部においてその上下両側を接続自在とする構成とし、その接合具の雌側及び雄側の係合により、前記各側布部を前記頭部保護具の前記側頭部側に対応させる位置の周囲に取付けるようにしてもよい。このときの接合具としても、例えば、例えば、マジックテープ（登録商標）等の面ファスナ（接着布）、ホック、ドット釦、ボタン及びボタンホール等が使用でき、係合状態及びその解除状態が自在で、かつ、維持されるものが使用される。
【００１５】
請求項２の発明の頭部保護具用インナーは、前記本体布部と前記左右の側布部とがＴ字状に一体に接続されているものである。即ち、前記本体布部の前頭部側に対応させる位置または前記後頭部側に対応させる位置の左右両側に前記左右の側布部が延設し、前記左右の側布部が前記本体布部の前頭部側に対応させる位置から連続、或いは、前記左右の側布部が前記本体布部の後頭部側に対応させる位置から連続し、前記左右の側布部が前記本体布部の頭頂部側に対応させる位置とは直接的な結合関係がなく切り離されているものである。
【００１６】
請求項３の発明の頭部保護具用インナーは、前記左右の側布部が、前記本体布部の一端部側に形成された本体取付部側とは反対側の他端部側で前記本体布部の長手方向に対して直角な幅方向の左右両側に延びているものである。
【００１７】
請求項４の発明の頭部保護具用インナーは、前記本体取付部が、前記本体布部の長手方向の一端部を閉じるように袋状に形成されているものであり、例えば、前頭部側または後頭部側に対応する位置が、左右の側頭部側に対応する位置と接合及び分離自在に形成されている立体的に組立自在な前記頭部保護具に適用できる。つまり、前記頭部保護具の側頭部側に対応する位置と接合及び分離自在に形成された前頭部側または後頭部側に対応する位置に対して、その内面側及び外面側の周囲に被せるよう装着できる。
【００１８】
請求項５の発明の頭部保護具用インナーは、前記本体取付部が、雄部材と雌部材からなる接合具によって前記本体布部の長手方向の一端部側でその上下方向を接続自在に構成されており、接合具の接合によって前記頭部保護具の前頭部側または後頭部側に対応する位置の周囲に取付自在であるものであり、取付対象が、立体的に組立自在な前記頭部保護具に限定されず、立体的に成形された前記頭部保護具であっても対応できる。
【００１９】
ここで、上記本体布部の長手方向の一端部側でその上下方向とは、本体布部の長手方向に一致し、頭部に頭部保護具を被せたときの頭部における上下方向に対応する。
そして、上記本体布部の長手方向の一端部側でその上下方向を接続自在に構成とは、本体布部の長手方向の一端部の前頭部側または後頭部側に対応させる位置でその上下方向の両側に連続形成し、接合具を設けてその接合具によって本体布部の長手方向の一端部と本体布取付布部で環状また筒状に接続自在とすることを意味する。通常、安定した取付けを確保するために、上下方向に直角な左右方向の２箇所で側布取付部を形成するが、１箇所であってもよいし、３箇所以上としてもよい。
【００２０】
上記接合具としては、係合及び分離自在な１対の雌側及び雄側からなるマジックテープ（登録商標）等の面ファスナ（接着布）、ホック、ドット釦、ボタン及びボタンホール等が使用でき、係合状態及びその解除状態が自在で、かつ、維持されるものが使用される。前記頭部保護具の前頭部側または後頭部側に対応する位置の周囲に安定した取付けが可能であれば、接合具の取付個数や位置は特に限定されない。
【００２１】
請求項６の発明の頭部保護具用インナーは、前記本体取付部が、雄部材と雌部材からなる接合具によって前記各左右の側布部の上下方向を接続自在に構成されており、接合具の接合によって前記頭部保護具の左右の側頭部側に対応する位置の周囲に取付自在であるものであり、取付対象が、立体的に組立自在な前記頭部保護具に限定されず、立体的に成形された前記頭部保護具であっても対応できる。
【００２２】
ここで、上記各左右の側布部においてその上下方向は、人体の頭部に頭部保護具を被せたときの頭部の上下方向に対応する。例えば、上記左右の各側布部が、前記本体布部の長手方向の一端部側の左右両側に延設する場合では、前記本体布部の長手方向に直角な幅方向を左右方向としたとき、その左右方向に直角な上下方向の両側を接続する構成により、側頭部側に対応させる位置の内面側及び外面側の周囲に取けることができる。一方、上記左右の各側布部が、前記本体布部の長手方向の中央部側の左右両側に延設する場合では、前記本体布部の長手方向に直角な幅方向を左右方向としたとき、その左右方向の両側を接続する構成により、側頭部側に対応させる位置の内面側及び外面側の周囲に取付けることができる。
そして、上記各左右の側布部の上下方向を接続自在に構成とは、左右の側布部において互いに対向する上下方向の両側に連続形成し、接合具を設けてその接合具の接合によって側布部と側布取付布部で環状または筒状に接続自在とすることを意味する。
【００２３】
上記接合具としては、係合及び分離自在な１対の雌側及び雄側からなるマジックテープ（登録商標）等の面ファスナ（接着布）、ホック、ドット釦、ボタン及びボタンホール等が使用でき、係合状態及びその解除状態が自在で、かつ、維持されるものが使用される。前記頭部保護具の側頭部側に対応する位置の周囲に安定した取付けが可能であれば、接合具の取付個数や位置は特に限定されない。
【００２４】
請求項６の発明の頭部保護具用インナーは、前記本体布部の長手方向の中央部側に前記本体布部の長手方向に沿った複数のスリットが形成されているものである。
上記スリットは、前記頭部保護具の頭頂部側に対応させる位置に配設させる前記本体布部の長手方向の中央部側に形成され、前記頭部保護具において通気性確保のために形成されている開口に対応させて、空気の流通を許容して風通しを良くするためのものである。このスリットは、前記頭部保護具に形成された開口の位置に一致させて、前記頭部保護具の内面側と外側面との間で空気の通り道を確保するものであればよく、必ずしも、前記頭部保護具の開口のシルエットに合わせる必要はない。例えば、頭部の前方側から頭頂部側を通り後方側まで長く延びる開口を有する前記頭部保護具に取付ける場合、前記本体布部の長手方向に延びるスリットを形成することで、前記頭部保護具に形成された開口の全体を覆うことがなく高い通気性を確保できる。このとき、スリットが入る両端縁は、補強のためにパイピング処理を行うのが好適である。また、複数のスリット側の端部に係合及び分離自在な雌側及び雄側の１対で形成される接合具を設け、その接合具によって、前記頭部保護具の頭頂部側に対応する位置の内面側及び外面側の周囲に本体布部を取付けるようにしてもよい。
しかし、本発明を実施する場合には、スリット形状に限定されることなく、円形、多角形等の開口を複数設けることで、通気性を確保しても良いし、布をメッシュ状に形成することで通気性を確保してもよい。
【発明の効果】
【００２５】
請求項１の発明に係る頭部保護具用インナーによれば、取付対象である頭部保護具の内面側の前頭部側から頭頂部側を通って後頭部側まで対応させる位置に配設させる本体布部と、前記本体布部の長手方向に対して直角な幅方向の左右両側に延設し前記頭部保護具の内面側の左右の側頭部側に対応させる位置に配設させる左右の側布部とを有し、前記本体布部の長手方向の一端部側に設けた本体布取付部によって前記本体布部の長さ方向の一端部側が前記頭部保護具の前頭部側または後頭部側に対応させる位置の周囲に取付自在であり、前記左右の各側布部に設けた側布取付部によって前記左右の各側布部を前記頭部保護具の左右の側頭部側に対応させる位置の周囲に取付自在であるから、前記頭部保護具に対して着脱自在に取付けることができる。そして、前記頭部保護具への取付けによって本体布部及び左右の側布部が前記頭部保護具の内面側を覆うから、人体の頭部からの汗や脂で前記頭部保護具の内面側が汚れるのを防止できる。
【００２６】
そして、頭部保護具への取付けによって頭部保護具用インナーが頭部からの汗や脂を受けることになるが、頭部保護具用インナーが前記頭部保護具に対して着脱自在であり、清潔な布と交換できるから、頭部からの汗や脂によって悪臭を放つこともない。また、頭部保護具を長時間着用する場合でも、清潔な布との交換により湿気によるべたつきや、蒸れや細菌の繁殖による皮膚の痒み等の不快感を軽減できる。
特に、頭部保護具用インナーの本体布部及び左右の側布部が吸湿・吸水性の布であれば、汗を速やかに吸収するため、湿気の上昇が防止され蒸れを著しく軽減でき、また、皮膚の炎症も防止できる。そして、汗を吸収した吸湿・吸水性の布は、清潔な布との交換により、頭部に不快感を与えない。更に、冬場であれば、保温性の布と交換すれば、保温効果により防寒対策になる。また、緩衝性の高い布であれば、衝撃を吸収する緩衝効果を高めることができるし、厚みがある布であれば、頭部保護具のサイズ調節として使用できる。
したがって、頭部保護具への頭部保護具用インナーの取付けにより頭部保護具を快適に使用できる。
【００２７】
そして、取付対象である頭部保護具に対して頭部保護具用インナーの左右の側布部が前記人体の右側頭部側及び左側頭部側に対応する位置の周囲に、更に、前記本体布部の長手方向の一端部側が前記人体の後頭部側に対応する位置の周囲に取付けられることから、人体の頭部の動きによっても位置ずれ、捲れ、撚れ等が生じ難く違和感を生じさせにくい。
【００２８】
請求項２の発明に係る頭部保護具用インナーによれば、前記本体布部と前記左右の側布部とはＴ字状に一体に接続されているから、前記左右の側布部が前記本体布部の頭頂部側に対応させる位置とは切り離されていることになる。したがって、取付対象である前記頭部保護具の頭頂部側に対応させる位置と頭頂部側に対応させる位置との間に形成している通気性を確保するための開口を覆うことがない。よって、請求項１に記載の効果に加えて、頭部保護具に頭部保護具用インナーを取付けたときでも、通気性が確保され熱がこもり難いものとなる。
【００２９】
請求項３の発明に係る頭部保護具用インナーによれば、前記左右の側布部が、前記本体布部の一端部側に形成された本体布取付部側とは反対側の他端部側で前記本体布部の長手方向に対して直角な幅方向の左右両側に延設し、前記本体布取付部側が形成されている側とは反対側の前記本体布部の他端部側が前記頭部保護具の左右の側頭部側に対応する位置の周囲に取付自在な前記左右の側布部と連続しているから、別途接合具等を設けなくとも、前記本体布取付部の形成側とは反対側の前記本体布部の他端部側を前記頭部保護具側に定着させることができる。よって、請求項１または請求項２に記載の効果に加えて、少ない部品数で頭部保護具用インナーの位置ずれを防止することができる。
【００３０】
請求項４の発明に係る頭部保護具用インナーによれば、前記本体布取付部は、前記本体布部の長さ方向の一端部を閉じるように袋状に形成されているから、前頭部側または後頭部側に対応する位置と側頭部側に対応する位置とが接合及び分離自在に形成されて立体的に組立自在な頭部保護具に対しては、前頭部側または後頭部側に対応する位置の内面側及び外面側の周囲に被せることで、前記本体布部の長さ方向の一端部を取付けることができる。よって、請求項１乃至請求項３の何れか１つに記載の効果に加えて、接合具等の部品を使用せずに前記本体布部の長さ方向の一端部を取付けることができるから、部品数を少なくしてコスト削減や製造の容易化を図ることができる。また、接合具では繰り返しの洗濯で布から外れやすくなったり、洗濯の際に糸屑等が巻き付いて係合性が低下したり糸屑の除去作業の手間を生じさせたりすることもある。しかし、前記本体布部の長さ方向の一端部に形成された袋に前頭部側または後頭部側に対応する位置を入れて被せるように取付けるものでは、そのような不具合を生じることもない。更に、取付方も分かり易い。
【００３１】
請求項５の発明に係る頭部保護具用インナーによれば、前記本体取付部は、雄部材と雌部材からなる接合具によって前記本体布部の長手方向の一端部側でその上下方向を接続自在に構成されてなり、雄側と雌側とからなる接合具の接合及びその解除操作により、前記頭部保護具の前頭部側または後頭部側に対応する位置の周囲に取付自在である。よって、請求項１乃至請求項３の何れか１つに記載の効果に加えて、前記頭部保護具の頭頂部側に対応する位置（トップクラウン側）に通気性を確保するための開口を形成している頭部保護具であればその頭部保護具が立体的に組立自在なものに限定されることなく、立体的に成形されているものであっても、取付けることができる。即ち、取付可能な頭部保護具の選択範囲が広がる。
【００３２】
請求項６の発明に係る頭部保護具用インナーによれば、前記側布取付部は、雄部材と雌部材からなる接合具によって前記各左右の側布部においてその上下方向を接続自在に構成されてなり、雄側と雌側とからなる接合具の接合及びその解除操作により、前記頭部保護具の側頭部側に対応する位置の周囲に取付自在である。よって、請求項１乃至請求項５の何れか１つに記載の効果に加えて、前記頭部保護具の頭頂部側に対応する位置（トップクラウン側）に通気性を確保するための開口を形成している頭部保護具であればその頭部保護具が立体的に組立自在なものに限定されることなく、立体的に成形されているものであっても、取付けることができる。即ち、取付可能な頭部保護具の選択範囲が広がる。
【００３３】
請求項７の発明に係る頭部保護具用インナーによれば、前記本体布部の長手方向の中央側には、前記本体布部の長手方向に沿った複数のスリットが形成されているから、請求項１乃至請求項６の何れか１つに記載の効果に加えて、通気性が向上し、蒸れを著しく軽減させることができる。また、スリットにより頭部形状に対応してフィットさせることができ、窮屈感を緩和して、フィット感、装着感の向上を可能とする。
【図面の簡単な説明】
【００３４】
【図１】図１は本発明の実施の形態１に係る頭部保護具用インナーの表面図である。
【図２】図２は本発明の実施の形態１に係る頭部保護具用インナーの表面図である。
【図３】図３は本発明の実施の形態１に係る頭部保護具用インナーを取付ける頭部保護具の一例を説明する説明図であり、その頭部保護具を展開状態で示した表面図である。
【図４】図４は図３に示した頭部保護具の裏面図である。
【図５】図５は図３，図４の頭部保護具を組立状態で示す正面図である。
【図６】図６は図３，図４の頭部保護具を組立状態で示す背面図である。
【図７】図７は図３，図４の頭部保護具を組立状態で示す平面図である。
【図８】図８は図３，図４の頭部保護具を組立状態で示す底面図（ａ）、頭部保護部を構成する前方保護部と後方保護部の接続位置を変えて（左右の側頭保護部の間隔を変えて）接合状態を示す底面図（ｂ）である。
【図９】図９は図３，図４の頭部保護具を組立状態で示す左側面図（ａ）及び右側面図（ｂ）である。
【図１０】図１０は図３，図４の頭部保護具を組立状態で示す斜視図である。
【図１１】図１１（ａ）は本発明の実施の形態１に係る頭部保護具用インナーの取付対象である頭部保護具を形成する緩衝材及び外装生地の一例を説明する断面図、図１１（ｂ）は本発明の実施の形態１に係る頭部保護具用インナーの取付対象である頭部保護具を形成する緩衝材及び外装生地の別の例を説明する断面図、図１１（ｃ）は緩衝材に芯材を埋設した別の例を説明する断面図、図１１（ｄ）は緩衝材の一例を示す斜視図、図１１（ｅ）は緩衝材の別の例を示す斜視図である。
【図１２】図１２は本発明の実施の形態１に係る頭部保護具用インナーを図３で示した展開状態の頭部保護具に対して取付ける事例の説明図である。
【図１３】図１３は本発明の実施の形態１に係る頭部保護具用インナーの頭部保護具への取付状態を示す説明図であり、実施の形態１に係る頭部保護具用インナーが図３で示した展開状態の頭部保護具に取付けられた状態の表面図である。
【図１４】図１４は本発明の実施の形態１に係る頭部保護具用インナーの頭部保護具への取付状態を示す説明図であり、実施の形態１に係る頭部保護具用インナーが図４で示した展開状態の頭部保護具に取付けられた状態の裏面図である。
【図１５】図１５は本発明の実施の形態１に係る頭部保護具用インナーの頭部保護具への取付状態を示す説明図であり、実施の形態１に係る頭部保護具用インナーが図５で示した組立状態の頭部保護具に取付けられた状態の正面図である。
【図１６】図１６は本発明の実施の形態１に係る頭部保護具用インナーの頭部保護具への取付状態を示す説明図であり、実施の形態１に係る頭部保護具用インナーが図６で示した組立状態の頭部保護具に取付けられた状態の背面図である。
【図１７】図１７は本発明の実施の形態１に係る頭部保護具用インナーの頭部保護具への取付状態を示す説明図であり、実施の形態１に係る頭部保護具用インナーが図７で示した組立状態の頭部保護具に取付けられた状態の平面図である。
【図１８】図１８は本発明の実施の形態１に係る頭部保護具用インナーの頭部保護具への取付状態を示す説明図であり、実施の形態１に係る頭部保護具用インナーが図８で示した組立状態の頭部保護具に取付けられた状態の底面図である。
【図１９】図１９は本発明の実施の形態１に係る頭部保護具用インナーの頭部保護具への取付状態を示す説明図であり、実施の形態１に係る頭部保護具用インナーが図９で示した組立状態の頭部保護具に取付けられた状態の左側面図（ａ）及び右側面図（ｂ）である。
【図２０】図２０は本発明の実施の形態１に係る頭部保護具用インナーの頭部保護具への取付状態を示す説明図であり、実施の形態１に係る頭部保護具用インナーが図１０で示した組立状態の頭部保護具に取付けられた状態の斜視図である。
【図２１】図２１は本発明の実施の形態１に係る頭部保護具用インナーが取付けられた頭部保護具を人体の頭部に装着したときの斜視図である。
【図２２】図２２は本発明の実施の形態１の変形例に係る頭部保護具用インナーの表面図である。
【図２３】図２３は本発明の実施の形態１の変形例に係る頭部保護具用インナーの頭部保護具への取付状態を示す説明図であり、変形例に係る頭部保護具用インナーが図７で示した組立状態の頭部保護具に取付けられた状態の平面図である。
【図２４】図２４は本発明の実施の形態１の変形例に係る頭部保護具用インナーの頭部保護具への取付状態を示す説明図であり、変形例に係る頭部保護具用インナーが図８で示した組立状態の頭部保護具に取付けられた状態の底面図である。
【図２５】図２５は本発明の実施の形態２に係る頭部保護具用インナーの表面図である。
【図２６】図２６は本発明の実施の形態２に係る頭部保護具用インナーの裏面図である。
【図２７】図２７は本発明の実施の形態３に係る頭部保護具用インナーの表面図である。
【図２８】図２６は本発明の実施の形態３に係る頭部保護具用インナーの裏面図である。
【図２９】図２９は本発明の実施の形態４に係る頭部保護具用インナーの表面図である。
【図３０】図３０は本発明の実施の形態４に係る頭部保護具用インナーの頭部保護具への取付状態を示す説明図であり、実施の形態４に係る頭部保護具用インナーが取付けられた頭部保護具の背面図である。
【発明を実施するための形態】
【００３５】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００３６】
［実施の形態１］
まず、本発明の実施の形態１に係る頭部保護具用インナー１００について、図１及び図２を参照して説明する。
図１に示すように、本実施の形態１の頭部保護具用インナー１００は、全体が略Ｔ字状の線対称に形成され、中央側に配設する本体布部１１０と、本体布部１１０の長手方向に対して直角方向に配設し本体布部１１０の長手方向に対して直角方向の左右両側に延びる左右の側面布部１２０Ｒ，１２０Ｌとから構成されている。そして、左右の側面布部１２０Ｒ，１２０Ｌに、互いに対向する２辺を接続自在とする接合具としての１対の面ファスナ１２３ａＲ及び面ファスナ１２３ｂＲ、１対の面ファスナ１２３ａＬ及び面ファスナ１２３ｂＬを有し、また、左右の側面布部１２０Ｒ，１２０Ｌ側とは反対側で本体布部１１０の長さ方向の一端側の裏面（Ｂ）側に、袋状に形成した本体布取付部１３０を有する。
なお、頭部保護具用インナー１００の表裏は、後述する取付対象の頭部保護具１への取付状態で、人体の頭部に触れる方を表面（Ｆ）側、頭部保護具１の内面側（裏面（Ｂ１）側）に対向させる方を裏面（Ｂ）側としている。
【００３７】
本体布部１１０及び左右の側面布部１２０Ｒ，１２０Ｌは共に、洗濯（丸洗い）が可能で吸水性に優れる生地、例えば、綿素材が使用され、好ましくはタオル地のようなパイル地、即ち、織物の片面または両面に毛羽や輪奈を織り出した生地や、ガーゼ地等からなる生地で形成される。タオル地のようなパイル地またはガーゼ地等からなる生地は洗濯が容易で度重なる洗濯によっても丈夫で型崩れし難い。更に、吸水性・吸湿性に優れるうえ、肌当たりが良くて頭部への刺激も少なく、頭部に装着した際でも違和感のない柔らかい感触で装着感、フィット感を向上させることができる。
【００３８】
特に、本体布部１１０及び左右の側布部１２０Ｒ，１２０Ｌが、吸湿性・吸水性の生地であると、人体の頭部からの汗、湿気が速やかに本体布部１１０及び左右の側布部１２０Ｒ，１２０Ｌに吸収されるため、人体の頭部に汗がまとわりついてベタベタするのを軽減でき、皮膚の炎症を誘発しにくい。また、湿気の上昇が緩和され、蒸れにくくなる。加えて、抗菌性や防臭性を有すると、より衛生さを保持できる。
【００３９】
本体布部１１０及び左右の側面布部１２０Ｒ，１２０Ｌは共に、表生地及び裏生地の２枚の布またはそれ３枚以上を縫製して形成してもよいし、１枚の布を裁断し、その布端をバイアステープ等でパイピング処理、或いは、袋縫い、折り伏せ縫い、本返し縫い等の処理を施して形成してもよい。複数枚の布を重ねた複数層の生地を使用しても良い。本体布部１１０及び左右の側面布部１２０Ｒ，１２０Ｌは、通常、同一の生地で一体的に形成されるが、部位によって生地の種類、柄等を変えてもよい。また、本体布部１１０及び左右の側面布部１２０Ｒ，１２０ＬはＴ字状に裁断した布で一体に形成してもよいし、部分的に所定形状のパーツ毎に裁断した布を縫製することで一体化してもよい。例えば、図１及び図２においては、後述する本体布部１１０の前頭布部１１１と左右の側面布部１２０Ｒ，１２０Ｌを所定形状に一体に裁断し、本体布部１１０の頭頂布部１１２と後頭布部１１３とを略長方形状に一体に裁断し、両者を縫製することで一体化している。
【００４０】
本体布部１１０は、人体の頭部の前頭部側に対応させる前頭布部１１１と、人体の頭部の頭頂部側に対応させる頭頂布部１１２と、人体の頭部の後頭部側に対応させる後頭布部１１３とが連続して一体に構成されており、人体の頭部の前頭部側から頭頂部側を通って後頭部側まで対応させるものである。つまり、本体布部１１０の長手方向の中央に頭頂布部１１２が位置し、中央の頭頂布部１１２の一端側から前頭布部１１１が連続して延び、その反対側の他端側から後頭布部１１３が連続して延びている。
【００４１】
なお、本実施の形態１では、本体布部１１０の長手方向の中央に位置する頭頂布部１１２において、本体布部１１０の長手方向に対して直角な幅方向の左右両側の端部に、本体布部１１０の長手方向に長いゴム１１２ａが配設している。詳細には、表生地及び裏生地からなる２枚の布の中にゴム１１２ａが挟まれている。このようにして本体布部１１０にゴム１１２ａを配設して伸縮性を持たせると、本実施の形態１の頭部保護具用インナー１００を取付対象である後述の頭部保護具１に取付けてそれを人体の頭部に装着したときでも、本体布部１１０の生地が伸びる。よって、頭部形状の圧迫によっても本体布部１１０の生地に突っ張りが生じ難く、生地が破れ難い。また、人体の頭部に対して装着感やフィット感を向上させることができる。更に、頭部保護具１との寸法の違いを伸縮性によって吸収できるから、頭部保護具１の幅広い寸法に合わせることができ、汎用性が高いものとなる。本発明を実施する場合には、本体布部１１０や左右の側面布部１２０Ｒ，１２０Ｌを伸縮性を有する生地で形成し、複数のサイズを基準として伸びを持たせてもよい。これによっても同様の効果を得ることができる。
【００４２】
そして、本体布部１１０の長手方向に対して直角方向で、本体布部１１０を構成している前頭布部１１１の左右両側から連続して延びる左右の側布部１２０Ｒ，１２０Ｌは、人体の頭部の左右の側頭部側（右側頭部側及び左側頭部側）に対応させるものである。
【００４３】
本実施の形態１の左右の側布部１２０Ｒ，１２０Ｌは、本体布部１１０の長手方向に対して略直角方向に延びる本体側布部１２１Ｒ，１２１Ｌと、本体布部１１０の長手方向に対して略直角な方向を左右方向としたとき、その左右方向に直角な略上下方向で本体側布部１２１Ｒ，１２１Ｌから突出形成した１対の接続側布部１２２ａＲ，１２２ｂＲ、１対の接続側布部１２２ａＬ，１２２ｂＬとから構成されている。これら本体側布部１２１Ｒ，１２１Ｌと１対の接続側布部１２２ａＲ，１２２ｂＲ、１対の接続側布部１２２ａＬ，１２２ｂＬとによって、取付対象である後述の頭部保護具１の人体の頭部の左右の側頭部側に対応させる位置（後述する頭部保護具１の側頭保護部２２Ｒ，２２Ｌ）の内面側から外面側に巻ける大きさに設計されている。即ち、左右の側布部１２０Ｒ，１２０Ｌでは、本体布部１１０の一端部側に形成された前頭布部１１１と比較し、その上下方向の大きさよりも幅広に形成されている。
【００４４】
なお、図１及び図２において、本体側布部１２１Ｒ，１２１Ｌの形状は、取付対象である後述の図３及び図４に示した頭部保護具１の側頭保護部２２Ｒ，２２Ｌの湾曲形状（人体の耳の上側に対応）に対応した屈曲を有するが、本発明を実施する場合には、図１及び図２に示す形状に限定されない。つまり、取付対象である頭部保護具１を特定してその形状に対応させても良いし、任意の頭部保護具１に対応させるようにしてもよい。また、左右の側布部１２０Ｒ，１２０Ｌにおいても伸縮性を持たせ、複数のサイズを基準として伸びを持たせてもよい。
【００４５】
そして、本体側布部１２１Ｒの上下方向の両側に突出する１対の接続側布部１２２ａＲ，１２２ｂＲには、１対の面ファスナ１２３ａＲ及び面ファスナ１２３ｂＲが設けられ、同様に、本体側布部１２１Ｌの上下方向の両側に突出する１対の接続側布部１２２ａＬ，１２２ｂＬには、１対の面ファスナ１２３ａＬ及び面ファスナ１２３ｂＬが設けられている。
【００４６】
即ち、本体布部１１０の長手方向に対して略直角方向に延びる右側布部１２０Ｒには、本体布部１１０の長手方向に対して略直角な方向を左右方向としたとき、その左右方向に直角な上下方向で１対の面ファスナ１２３ａＲ及び面ファスナ１２３ｂＲを設け、この１対の面ファスナ１２３ａＲ及び面ファスナ１２３ｂＲにより右側布部１２０Ｒの互いに上下方向で対向する２辺の両側を接合自在とする。
同様に、本体布部１１０の長手方向に対して略直角方向に延びる左側布部１２０Ｌには、本体布部１１０の長手方向に対して略直角な方向を左右方向としたとき、その左右方向に直角な上下方向で１対の面ファスナ１２３ａＬ及び面ファスナ１２３ｂＬを設け、この１対の面ファスナ１２３ａＬ及び面ファスナ１２３ｂＬにより左側布部１２０Ｌの互いに上下方向で対向する２辺の両側を接合自在とする。
【００４７】
ここで、本実施の形態１では、右側布部１２０Ｒの１対の接続側布部１２２ａＲ，１２２ｂＲに取付けられる１対の面ファスナ１２３ａＲ，１２３ｂＲは、互いに右側布部１２０Ｒの表裏面で配置している。例えば、図１及び図２では、接続側布部１２２ａＲ側の面ファスナ１２３ａＲが右側布部１２０Ｒの表面（Ｆ）側に縫製によって縫付けられ、接続側布部１２２ｂＲ側の面ファスナ１２３ｂＲが右側布部１２０Ｒの裏面（Ｂ）側に縫製によって縫付けられている。
これより、１対の接続側布部１２２ａＲ，１２２ｂＲのうちの一方の面に他方の面を重ね合わせて接合でき、その接合箇所が後述する頭部保護具１の右側頭保護部２２Ｒの面方向から突出することなく、その面方向に沿うから見栄えが良い。側布部１２０Ｌ側でも同様である。即ち、接続側布部１２２ａＬ側の面ファスナ１２３ａＬが左側布部１２０Ｌの表面（Ｆ）側に縫製によって縫付けられ、接続側布部１２２ｂＬ側の面ファスナ１２３ｂＬが左側布部１２０Ｌの裏面（Ｂ）側に縫製によって縫付けられている。
勿論、１対の各面ファスナ１２３ａＲ，１２３ｂＲ、１対の各面ファスナ１２３ａＬ，面ファスナ１２３ｂＬは上記と表裏が逆であってもよいし、本発明を実施する場合には、表裏のどちらか一方の面側のみに各１対の面ファスナ１２３ａＲ，１２３ｂＲ、１対の面ファスナ１２３ａＬ，１２３ｂＬを設ける態様としてもよい。
【００４８】
このような構成の右側布部１２０Ｒによれば、取付対象である頭部保護具１の人体の頭部の右側頭部側に対応させる位置（後述する頭部保護具１の右側頭保護部２２Ｒ）に対してその内面側から外面側の周囲に巻いて、外面側で１対の接続側布部１２２ａＲと接続側布部１２２ｂＲを重ね合わせ、１対の接続側布部１２２ａＲと接続側布部１２２ｂＲとの対向関係にある２辺の両側に設けた１対の面ファスナ１２３ａＲ及び面ファスナ１２３ｂＲを接合することで、取付対象である頭部保護具１の人体の頭部の右側頭部側に対応させる位置（後述する頭部保護具１の右側頭保護部２２Ｒ）の周囲に巻いた状態で固定して取付けることができる。
同様に、左側布部１２０Ｌにおいても、取付対象である頭部保護具１の人体の頭部の左側頭部側に対応させる位置（後述する頭部保護具１の左側頭保護部２２Ｌ）でその内面側から外面側の周囲に巻いて、外面側で１対の接続側布部１２２ａＬと接続側布部１２２ｂＬを重ね合わせ、１対の接続側布部１２２ａＬと接続側布部１２２ｂＬとの対向関係にある２辺の両側に設けた１対の面ファスナ１２３ａＬ及び面ファスナ１２３ｂＬを接合することで、取付対象である頭部保護具１の人体の頭部の左側頭部側に対応させる位置（後述する頭部保護具１の左側頭保護部２２Ｌ）の周囲に巻いた状態で固定して取付けることができる。
【００４９】
なお、本実施の形態１の左右の側布部１２０Ｒ，１２０Ｌは、本体布部１１０の長手方向の一端部側であって、本体布部１１０の長手方向に対して直角な幅方向の両側から、本体布部１１０の長手方向に対して略直角方向に延びているから、本体布部１１０の長手方向に対して略直角な方向を左右方向としたとき、その左右方向に直角な上下方向が、人体の頭部に装着するときの頭部保護具１の上下方向に対応する。
そして、左右の側布部１２０Ｒ，１２０Ｌでは、本体布部１１０の長手方向に対して略直角な方向を左右方向としたとき、その左右方向に直角な上下方向で対向する２辺の両側に各１対の面ファスナ１２３ａＲ及び面ファスナ１２３ｂＲ、１対の面ファスナ１２３ａＬ及び面ファスナ１２３ｂＬが設けられ、各１対の面ファスナ１２３ａＲ及び面ファスナ１２３ｂＲ、１対の面ファスナ１２３ａＬ及び面ファスナ１２３ｂＬの接合によって、左右の側布部１２０Ｒ，１２０Ｌの上下両側の接合による筒状（環状）を成す。これより、左右の側布部１２０Ｒ，１２０Ｌを取付対象である頭部保護具１の人体の頭部の側頭部側に対応させる位置（後述する頭部保護具１の左右の頭保護部２２Ｒ，２２Ｌ）でその内面側から外面側にかけての周囲に取付自在である。
【００５０】
こうして、本実施の形態１においては、本体側布部１２１Ｒ，１２１Ｌの上下方向に連続形成された１対の接続側布部１２２ａＲ，１２２ｂＲ、１対の接続側布部１２２ａＬ，１２２ｂＬ、及び、それに設けた１対の面ファスナ１２３ａＬ及び面ファスナ１２３ｂＬ、１対の面ファスナ１２３ａＬ及び面ファスナ１２３ｂＬにより、左右の側布部１２０Ｒ，１２０Ｌを頭部保護具１の人体の左右の側頭部側に対応する位置（後述する頭部保護具１の左右の側頭保護部２２Ｒ，２２Ｌ）に対してその内面側及び外面側の周囲に取付自在とする側布取付部１４０を構成する。
【００５１】
更に、本実施の形態１の頭部保護具用インナー１００においては、左右の側布部１２０Ｒ，１２０Ｌ側とは反対側の本体布部１１０の長さ方向の他端側であって、その裏面（Ｂ）側に、袋状に形成された本体布取付部１３０を有する。
本実施の形態１では、本体布部１１０の長さ方向の他端側に形成された後頭布部１１３が、後頭本体布部１３１及びその裏面（Ｂ）側に接続する取付布部１３２から構成され、後頭布部１１３の裏面（Ｂ）側で、後頭本体布部１３１及び取付布部１３２からなる袋状の本体布取付部１３０を形成している。
【００５２】
本実施の形態１の本体布取付部１３０は、本体布部１１０の後頭布部１１３の裏面（Ｂ）側であって、中央に楕円形状の開口１３３が形成された取付布部１３２を後頭本体布部１３１の一端部の周囲に縫合わせていることで袋を形成している。即ち、後頭本体布部１３１において本体布部１１０の長手方向の一端部の１辺及び本体布部１１０の長手方向に直角な幅方向の両側の２辺に取付布部１３２が袋状に縫合わされ、後頭本体布部１３１の長手方向の一端の１辺への縫付箇所と対向する取付布部１３２の１辺では後頭本体布部１３１と縫合わされることなく開放している。
【００５３】
これより、袋状をなす後頭本体布部１３１及び取付布部１３２の間に頭部保護具１の人体の頭部の後頭部側に対応させる部位（後述する頭部保護具１の後述する頭部保護具１の後頭保護部３１）を収容して、本体布部１１０の後頭布部１１３側を頭部保護具１の人体の頭部の後頭部側に対応させる位置（後述する頭部保護具１の後述する頭部保護具１の後頭保護部３１）の内面側から外面側の周囲に取付けることできる。
【００５４】
なお、本実施の形態１では、本体布取付部１３０の開口１３３が取付対象である後述の図３及び図４に示した頭部保護具１の後頭保護部３１に設けた面ファスナ４１ｂに対応し、面ファスナ４１ｂの全体を覆うことのないように取付布部１３２に開口１３３を形成している。
【００５５】
次に、本実施の形態１の頭部保護具用インナー１００を装着する装着対象としての頭部保護具の一例を図３乃至図１１に示す。
図３乃至図１１に示した頭部保護具１は、帯状部材１０ａ，１０ｂ，１０ｃからなる頭頂保護部１０と、頭頂保護部１０を形成する帯状部材１０ａ，１０ｂ，１０ｃの長手方向の一端側に、帯状部材１０ａ，１０ｂ，１０ｃの長手方向に対して略直角方向に配設する前方保護部２０と、頭頂保護部１０を形成する帯状部材１０ａ，１０ｂ，１０ｃの長手方向の他端側に、帯状部材１０ａ，１０ｂ，１０ｃの長手方向に対して略直角方向に配設する後方保護部３０と、前方保護部２０の長手方向の両側に形成されて前方保護部２０を構成し、帯状部材１０ａ，１０ｂ，１０ｃの長手方向に対して略直角方向に配設する左右の側部としての側頭保護部２２Ｒ，２２Ｌと、前方保護部２０及び後方保護部３０を接合自在とする接合具として、前方保護部２０の裏面（Ｂ１）側であってその長手方向の両端側に取付けられた面ファスナ４１ａＲ，４１ａＬ及び後方保護部３０の表面（Ｆ１）側に取付けられた面ファスナ４１ｂとを有する。
【００５６】
図３乃至図１０に示した頭頂保護部１０は、長尺状に形成された３本の帯状部材１０ａ，１０ｂ，１０ｃによって構成し、それら３本の帯状部材１０ａ，１０ｂ，１０ｃの長手方向を一致させた配置としている。そして、３本の帯状部材１０ａ，１０ｂ，１０ｃは、それらの長さ方向に直角な幅方向で互いに結合することなく、分列している。
【００５７】
ここで、頭頂保護部１０を構成する帯状部材１０ａ，１０ｂ，１０ｃは、緩衝材Ａとそれを包む外装生地Ｂとによって形成されている。
各帯状部材１０ａ，１０ｂ，１０ｃは、例えば、図１１（ａ）に示すように、縫合線ｓにて袋状に閉じた一枚の布からなる外装生地Ｂに緩衝材Ａが入れられて形成される。勿論、例えば、図１１（ｂ）に示すように、２枚の布によって、或いは、３枚以上の布によって袋状を形成し、そこに緩衝材Ａを挿入しても良い。
【００５８】
緩衝材Ａとしては、頭部への衝撃を緩和できるクッション材であればよく、例えば、（ポリ）ウレタンフォーム、（ポリ）オレフィンフォーム等の緩衝機能が高いものが使用される。好ましくは、図１１（ｃ）に示すように、緩衝材Ａが編目状に形成されて強度を確保しつつ、三角形状の孔Ｐを有するものや、図１１（ｄ）に示すように、緩衝材Ａに任意形状の孔Ｐを所定間隔で設けたものである。このように厚み方向の表裏に貫通する孔Ｐを有することで、孔Ｐによって空気の出入りを許容するから、通気性を確保できる。
また、例えば、東洋紡株式会社から商品名「ブレスエアー（登録商標）」、株式会社シーエンジから「Ｃ−ＣＯＲＥ」、株式会社エアウィーヴから商品名「エアウィーヴ（登録商標）」、東レ・デュポン株式会社から「ハイトレル（登録商標）等として販売されている立体網状構造体、具体的には、樹脂からなる連続線条体が不規則に蛇行して絡み合っており、かつ、蛇行した状態で随所に接着してなり、連続線条体間の空間が連続して所定の厚みを有する立体網状構造体を緩衝材Ａに用いることでも、通気性を確保できる。
なお、薄厚と緩衝性との両立や、強度、緩衝性と通気性との両立のために、硬さや反発特性の異なる２種以上の緩衝材Ａを組み合わせて用いることも可能である。
【００５９】
緩衝材Ａを包み込む外装生地Ｂには、例えば、ポリエステル、綿、再生繊維等の生地を使用することで軽量化を図り、かつ、通気性を確保することができる。また、繰り返しの洗濯でも型崩れや損傷が生じ難く、洗濯によって清潔さ、衛生さを保つことができる。
特に、所定の開口の網目・網模様の構造を有するメッシュ（ネット）生地や、多少織目を粗くした粗密度の生地や、表裏のメッシュ生地間に通気性のある特定の厚みの空気層を形成する連結糸を織り込んでなる特定の厚みを有する立体編物（ダブルラッシェル）等のメッシュ状繊維からなる外装生地Ｂの使用により、高い通気性が確保され頭部の湿気や熱が放散されやすくなる。
【００６０】
中でも、立体編物（ダブルラッシェル）によれば、表裏のメッシュ生地間に織り込まれた連結糸によって形成される空気層により頭部保護具１を装着する者（以下、単に『装着者』という）の汗等の湿気や熱の発生に対しても、その湿気や熱を収容できる容積を有しており、更に、頭部の動きが空気層の体積変化となって、空気層の空気が排出及び供給されるから、汗を速やかに吸収でき、また、熱を逃すことができる。勿論、表裏のメッシュ生地及び空気層により通気性、通水性にも優れるから、水分の乾きも速い。更に、連結糸によって形成される空気層により多少の弾力性（クッション性）等を有し、衝撃を吸収する緩衝機能を発揮する。また、装着者の頭部の形状への馴染みもよい。
なお、このような立体編物（ダブルラッシェル）はダブルラッシェル機やトリコット機等の織布製造機によって製造され、その商品は、旭化成株式会社から「フュージョン（商標名）」、また、帝人興産から「エアクィーン（商標名）」等として販売されているので、ここでは仔細な説明を省略する。
【００６１】
そして、図３及び図４に示すように、このような緩衝材Ａ及びそれを包む外装生地Ｂから形成されている帯状部材１０ａ，１０ｂ，１０ｃの長手方向の一端部には、それらの一端部と略Ｔ字状に一体に接続した前方保護部２０が配設し、また、帯状部材１０ａ，１０ｂ，１０ｃの長手方向の他端部には、それらの他端部と略Ｔ字状に一体に接続した後方保護部３０が配設している。
また、図１１（ｃ）に示すように、緩衝材Ａの中心には硬質のウレタン、ポリオリフィン系等の弾性に富んだ板状の芯材Ｃを埋設し、外力が加わったとき、当該板状の芯材Ｃとの間で衝撃を吸収することができる。この場合には、単位面積当たりの衝撃力を緩衝できる。
【００６２】
ここで、帯状部材１０ａ，１０ｂ，１０ｃからなる頭頂保護部１０と前方保護部２０は、縫製によって縫合わされており、両者間は、頭頂保護部１０の面方向に対して直角方向に折り曲げ、湾曲自在となっている。即ち、帯状部材１０ａ，１０ｂ，１０ｃの長手方向の一端側で、前方保護部２０が頭頂保護部１０とその面方向を同一に延設した位置から、帯状部材１０ａ，１０ｂ，１０ｃの長手方向に対して垂直方向の位置、そして、面方向を重ね合わせる１８０度の位置まで変位可能に曲折自在に接続している。
また、帯状部材１０ａ，１０ｂ，１０ｃからなる頭頂保護部１０と後方保護部３０と関係も、縫製によって縫合わされ、両者間は、頭頂保護部１０の面方向に対して直角方向に折り曲げ、湾曲自在となっている。即ち、後方保護部３０が頭頂保護部１０とその面方向を同一に延設した位置から、帯状部材１０ａ，１０ｂ，１０ｃの長手方向に対して垂直方向の位置、そして、面方向を重ね合わせる１８０度の位置まで変位可能に曲折自在に接続している。
【００６３】
なお、ここでは、頭頂保護部１０を形成する帯状部材１０ａ，１０ｂ，１０ｃが前方保護部２０に接続する一端側において、中央に位置する帯状部材１０ｂに対して、その両側に位置する帯状部材１０ａ、帯状部材１０ｂが先端側の一部分で重なり合う状態で前方保護部２０に縫製によって縫合わされている（図３、図４、図５及び図６参照）。しかも、中央に位置する帯状部材１０ｂでは、その長手方向に対して略直角方向で前方保護部２０と縫合わされているのに対し、帯状部材１０ｂの左右両側の帯状部材１０ａ及び帯状部材１０ｃでは、それらの長さ方向に対して斜め方向で前方保護部２０と縫合わされている。
また、頭頂保護部１０を形成する帯状部材１０ａ，１０ｂ，１０ｃが後方保護部３０に接続する他端側においては、中央に位置する帯状部材１０ｂに対しその両側に位置する左右の帯状部材１０ａ、帯状部材１０ｃが重なり合うことなく隣接しまたは離れて配置し、それらの長手方向に対して略直角方向で後方保護部３０と縫合わされている。
【００６４】
このような構成により、図５及び図７に示す頭部保護具１の立体的な組立状態で、図５に示すように正面側（前方）みると、中央に位置する帯状部材１０ｂに対してその両側の帯状部材１０ａ及び帯状部材１０ｃが左右に離間する方向に鋭角状に拡がり、また、図７に示すように上側からみると頭頂保護部１０が流線形を表象するデザインとなり、意匠的効果を独特なものとしている。
特に、従来では、人体の頭頂部側に対応させるトップクラウン側が十字状に交差した形状であるから、人体の頭部に装着した際に頭頂部の形状によってトップクラウンが尖軸状の意匠に強調されやすく、即ち、頭頂部側を交差させるからそのボリュームで頭頂部側の天井が強調されやすく、見た目にバランスの悪さを感じることがある。これに対し、図３乃至図１０に示した頭部保護具１では、頭頂保護部１０を形成する帯状部材１０ａ，１０ｂ，１０ｃの長手方向を統一させた配置であることで、頭部に装着した際でも頭頂部側が強調され難く、デザイン性に優れる。
【００６５】
勿論、頭頂保護部１０を形成する帯状部材１０ａ，１０ｂ，１０ｃの配置は、それらの長手方向を一致させた配置であれば、上記に限定されるものではなく、前方保護部２０と後方方保護部３０の間で帯状部材１０ａ，１０ｂ，１０ｃが所定間隔で並行に配置するようにしてもよいし、後方方保護部３０側との接続においても帯状部材１０ａ，１０ｂ，１０ｃの一部を重複させるように接続してもよい。
【００６６】
そして、帯状部材１０ａ，１０ｂ，１０ｃの長手方向の一端側に接続する前方保護部２０は、帯状部材１０ａ，１０ｂ，１０ｃの長手方向に対して略直角な方向に延びている。
前方保護部２０は、人体の頭部の前頭部側に対応させる前頭保護部２１と、人体の右側頭部側及び左側頭部側に対応させる左右の側部としての右側頭保護部２２Ｒ及び左側頭保護部２２Ｌ（以下、右側頭保護部２２Ｒ，左側頭保護部２２Ｌを格別区別する必要のない場合には、単に、『側頭保護部２２Ｒ，２２Ｌ』と記す場合がある）とを連続的に形成してなるものであり、人体の頭部の前頭部側並びに右側頭部側及び左側頭部側に対応させる長さを有する。
【００６７】
図３乃至図１０に示した前頭保護部２１は、略一定の幅で直線状に形成されており、その幅方向の一端側には帯状部材１０ａ，１０ｂ，１０ｃが接続され、反対側の幅方向の他端側には鍔部２３が接続されている。
また、この前頭保護部２１の幅方向に対して略直角な方向で左右両側に延びる右側頭保護部２２Ｒ及び左側頭保護部２２Ｌは、人体の耳を覆うことのないように人体の耳の曲線形状に対応する湾曲形状を有する。
【００６８】
前方保護部２０も、緩衝材Ａとそれを包む外装生地Ｂとによって形成されており、例えば、図１１（ｂ）に示すように、２枚の表生地Ｂ１及び裏生地Ｂ２を縫合線ｓでの縫合わせによって袋状とした外装生地Ｂ１，Ｂ２によって緩衝材Ａが包まれて形成される。緩衝材Ａや外装生地Ｂの素材、構成、特性等は、頭頂保護部１０、前方保護部２０と同一であってもよいし、相異していてもよい。勿論、表生地Ｂ１と裏生地Ｂ２も互いに同一の素材、構成、特性等であっても良いし、相異していてもよい。
【００６９】
なお、図３乃至図１０に示した頭部保護具１では、前方保護部２０を構成する緩衝材Ａが湾曲可能な程度に適度な柔軟性を有し、前頭保護部２１と左右の側頭保護部２２Ｒ，２２Ｌとを区別することなく連続した１本の緩衝材Ａ及びそれを覆う外装生地Ｂによって形成している。しかし、前頭保護部２１と左右の側頭保護部２２Ｒ，２２Ｌとの間で緩衝材Ａを連続させずに区切っていてもよいし、緩衝材Ａに切込みを入れることで屈曲しやすくしていてもよい。
【００７０】
また、図３乃至図１０に示した頭部保護具１では、前方保護部２０において、その幅方向に直角な長さ方向の両端部に、後述する後方保護部３０と接合するための面ファスナ４１ａＲ，４１ａＬが取付けられている。詳細には、前方保護部２０の裏面（Ｂ１）側において、右側頭保護部２２Ｒの一端部側に面ファスナ４１ａＲが縫製によって縫付けられ、また、左側頭保護部２２Ｌの一端部側に面ファスナ４１ａＬが縫製によって縫付けられている。
【００７１】
なお、図３乃至図１０に示した頭部保護具１では、後方保護部３０に重ねられて接合される前方保護部２０の長さ方向の両端部では、緩衝材Ａを配置しないことで、重複する厚みを減らして、厚みの重複による通気性の低下を防止している。また、重量の軽量化を図り、面ファスによる接合強度を高めている。しかし、前方保護部２０の長さ方向の両端部の端縁まで緩衝材Ａを配置する設計とされていてもよい。
【００７２】
更に、図３乃至図１０に示した頭部保護具１では、前頭保護部２１に対し、頭頂保護部１０側とは反対側で外方向に延びる略楕円形状の鍔部２３が接続されている。
この鍔部２３は、例えば、発泡ポリエチレン等の剛性のある芯材を外装生地Ｂで包むことによって形成される。鍔部２３は、前頭保護部２１と面方向を同一に平面的に成形されるも、前頭保護部２１の面方向に対して直角方向に折曲自在に接続しているから、芯材の剛性により、後述するように前方保護部２０と後方保護部３０とを環状に接続して人体の頭部にかぶせる帽子状（ヘルメット状）に立体的に組立てたときに、前頭保護部２１の面方向に対して、その下縁から前方に突出して日除けや顔面の保護として機能する。また、このように前頭保護部２１に対して鍔部２３が折曲自在に形成されていると、例えば、収納・保管時において前頭保護部２１側に鍔部２３を折り畳み可能とし、コンパクト化を図ることができる。なお、鍔部２３は、装着者の視界を妨げない範囲の突出長さとする。
【００７３】
更にまた、図３乃至図１０に示した頭部保護具１では、左右の側頭保護部２２Ｒ，２２Ｌに対し、装着者の耳の周囲に配設される左右１対の耳紐２４Ｒ，２４Ｌがループ状に接続しており、左右の耳紐２４Ｒ，２４Ｌ間には顎紐２５が架け渡される。この顎紐２５には、マジックテープ（登録商標）等の１対の面ファスナ（接着布）２６ａ，２６ｂ及び１対の面ファスナ（接着布）２６ｃ，２６ｄが所定位置に取付けられている。
これより、顎紐２５の長さ方向の一端側を左右の耳紐２４Ｒ，２４Ｌの一方のループ内に通し、また、顎紐２５の長さ方向の他端側を左右の耳紐２４Ｒ，２４Ｌの他方のループ内に通し、そして、１対の面ファスナ２６ａ，２６ｂの接合及び１対の面ファスナ２６ｃ，２６ｄの接合により１対の耳紐２４Ｒ，２４Ｌに取付けることで、左右の耳紐２４Ｒ，２４Ｌ間に顎紐２５を架け渡して、装着者の顎に掛けることができるようになっている。なお、１対の面ファスナ２６ａ，２６ｂ及び１対の面ファスナ２６ｃ，２６ｄは、紐に余剰部が生じてぶらつくことのないように所定位置に設けられている。
【００７４】
耳紐２４Ｒ，２４Ｌや顎紐２５は、例えば、若干のクッション性を有する外装生地Ｂを筒状にして形成してもよいし、公知のヘルメット等の耳紐や顎紐に使用されているアクリル、ポリプロピレン製のテープ状のものを使用してもよい。また、伸縮性を持たせてもよい。更に、顎紐２５に緩衝性を有する幅広部を形成し、その幅広部で顎を受けて保護できるようにしてもよい。この幅広部は顎紐２５に対して取付自在としてもよいし、顎紐２５と一体化させてもよい。
【００７５】
特に、図３乃至図１０に示した頭部保護具１では、顎紐２５が面ファスナ２６ａ，２６ｂ，２６ｃ，２６ｄにより耳紐２４Ｒ，２４Ｌに取付け及び取外し自在である。よって、装着者の好み等に応じて顎紐２５を取付けたり取外したりでき、また、新品等との交換も自在であり、使い勝手がよい。
更に、面ファスナ２６ａ，２６ｂ，２６ｃ，２６ｄの幅の分だけ連続的に小刻みに接続位置を調節して、１対の耳紐２４Ｒ，２４Ｌ間を架け渡す顎紐２５の重なりの調節により、顎紐２５が１対の耳紐２４Ｒ，２４Ｌ間を架け渡す長さが調節自在であり、装着者の顎にかける締結力の調節を自在とする。
そして、面ファスナ２６ａ，２６ｂ，２６ｃ，２６ｄであれば、肌が圧迫されることもなく、更に転倒時に顎等が圧迫されて怪我をするようなこともない。
【００７６】
このように、図３乃至図１０に示した頭部保護具１では、面ファスナ２６ａ，２６ｂ，２６ｃ，２６ｄの使用により、１対の耳紐２４Ｒ，２４Ｌ間への顎紐２５の取付けを自在とし、また、顎紐２５を１対の耳紐２４Ｒ，２４Ｌ間に架け渡す長さの調節を自在としている。しかし、１対の耳紐２４Ｒ，２４Ｌに顎紐２５を取付けて架け渡す取付手段や、顎紐２５を１対の耳紐２４Ｒ，２４Ｌ間に架け渡す長さの調節手段は、面ファスナ２６ａ，２６ｂ，２６ｃ，２６ｄに限定されるものではなく、例えば、ドット釦、ホック、ボタン及びボタンホール、スナップボタン、アジャスタ、バックル等を使用していてもよい。また、このような取付具、長さ調節具を設けることなく、単に顎紐２５を１対の耳紐２４Ｒ，２４Ｌに結んで取付ける構成としていてもよい。
更に、耳紐２４Ｒ，２４Ｌを設けることなく、顎紐２５を直接的に左右の側頭保護部２２Ｒ、２２Ｌに取付ける構造であってもよい。
【００７７】
また、頭頂保護部１０を介して前方保護部２０とは反対側に位置し、頭頂保護部１０を形成する帯状部材１０ａ，１０ｂ，１０ｃの長手方向に対して略直角方向に配設する本実施の形態１の後方保護部３０は、人体の頭部の後頭部側に対応させる略楕円形状の後頭部保護部３１から形成されている。
【００７８】
即ち、図３乃至図１０に示した頭部保護具１では、頭部の右側頭部側及び左側頭部側に対応させる左右の側部としての右側頭保護部２２Ｒ及び左側頭保護部２２Ｌが前方保護部２０側に形成されているから、帯状部材１０ａ，１０ｂ，１０ｃの長手方向に対して略直角方向の後方保護部３０の長さは、前方保護部２０の長さより短い。
【００７９】
図３乃至図１０に示した頭部保護具１の後方保護部３０も、緩衝材Ａとそれを包む外装生地Ｂとによって形成されており、例えば、図１１（ｂ）に示すように、２枚の表生地Ｂ１及び裏生地Ｂ２が縫合線ｓでの縫合わせによって袋状とされた外装生地Ｂ１，Ｂ２によって緩衝材Ａを包み込んで形成される。緩衝材Ａや外装生地Ｂの素材、構成、特性等は、頭頂保護部１０、前方保護部２０と同一であってもよいし、相異していてもよい。
【００８０】
そして、図３乃至図１０に示した頭部保護具１では、後方保護部３０において、表面（Ｆ１）側に、前方保護部２０の長さ方向の両端部に設けられた面ファスナ４１ａＲ，４１ａＬに対応する面ファスナ４１ｂが縫製によって縫付けられている。
【００８１】
この面ファスナ４１ｂは、帯状部材１０ａ，１０ｂ，１０ｃの長手方向に対して略直角な方向を左右方向としたときに、後方保護部３０において、その左右方向に長く設けられており、前方保護部２０の長さ方向の両端部に設けた面ファスナ４１ａＲ，４１ａＬとの接続位置が無段階で調節できるようになっている。即ち、帯状部材１０ａ，１０ｂ，１０ｃの長手方向に対して略直角な方向を左右方向としたときに前方保護部２０においてその左右方向の両端部に設けた面ファスナ４１ａＲ，４１ａＬが、後方保護部３０の面ファスナ４１ｂに接合するとき、面ファスナ４１ａＲが取付けられた前方保護部２０の長手方向（左右方向）の一端部と、面ファスナ４１ａＬが取付けられた前方保護部２０の長手方向（左右方向）の他端部との、それら両者の間隔（後方保護部３０の左右方向の間隔）を無段階で調節自在としている。
これより、後述する図８でも示すように、人体の頭部に被せる頭部保護具１の内周（内径）のサイズを無段階で調節、例えば、頭部保護具１の内周（内径）のサイズを６ｃｍ〜１１ｃｍで調節自在とする。
【００８２】
更に、面ファスナ４１ｂは、後方保護部３０の左右方向に対して直角な上下方向にも幅広とし、前方保護部２０の長手方向の両端部に設けた面ファスナ４１Ｒ，４１Ｌも、前方保護部２０の長手方向に対して直角な幅方向に長く設けているから、一対の面ファスナ４１ａＲ，４１ａＬと面ファスナ４１ｂとの接続位置は、後方保護部３０においてその左右方向に直角な上下方向（高さ方向）でも調節自在である。
よって、人体の頭部に被せる深さも無段階で調節、例えば、４ｃｍ〜６ｃｍのサイズ深さで調節自在とする。
【００８３】
つまり、図３乃至図１０に示した頭部保護具１では、一対の面ファスナ４１ａＲ，４１ａＬと面ファスナ４１ｂの幅及び長さの分だけ接続位置を調節して、頭部保護具１の内周径及び頭部に被せる深さを調節できる。特に、接合具が面ファスナであるから、連続的に小刻みに無段階でサイズを調節できる。
【００８４】
更に、図３乃至図１０に示した頭部保護具１においては、前方保護部２０の両端縁に、補助接続具として、紐ｔ（図６参照）が通されるループ４３Ｒ，４３Ｌを設けており、ループ４３Ｒ，４３Ｌに１本以上の紐ｔを通し、紐ｔの長さを短く結ぶ締め付けにより、後方保護部３０に接合させた右側頭保護部２２Ｒと左側頭保護部２２Ｌの間隔の固定を可能とする。これにより、後述する前方保護部２０と後方保護部３０の環状の接続関係が容易に解かれないように安全性を高めることができる。なお、紐ｔを結ぶ締め付けにより右側頭保護部２２Ｒと左側頭保護部２２Ｌを連結することに限定されず、ボタン等の係合具に伸縮性のループを掛ける構造や、長さ調節を可能とするアジャスタとバックルを使用した連結構造等であってもよい。
【００８５】
こうして、本実施の形態１に係る頭部保護具用インナー１００が取付けられる頭部保護具１は、図３及び図４に示すように、互いに長手方向を一致させて分列した複数の帯状部材１０ａ，１０ｂ，１０ｃからなる頭頂保護部１０に対し、その帯状部材１０ａ，１０ｂ，１０ｃの長手方向の両端に曲折自在に一体に接続しており、前方保護部２０及び後方保護部３０に取付けた接合具としての一対の面ファスナ４１ａＲ，４１ａＬと面ファスナ４１ｂによって、前方保護部２０及び後方保護部３０が接合及び分離自在であり、かつ、その接合位置が調節自在である。
即ち、頭頂保護部１０を形成する帯状部材１０ａ，１０ｂ，１０ｃの長さ方向の一端部側に、その長さ方向に対して略直角方向に延びる前頭保護部２１及び左右の側頭保護部２２Ｒ，２２Ｌからなる前方保護部２０が形成され、また、帯状部材１０ａ，１０ｂ，１０ｃの長さ方向の他端部側に、その長さ方向に対して略直角方向に配設する後方保護部３０が形成されており、これら帯状部材１０ａ，１０ｂ，１０ｃから形成された頭頂保護部１０と、前頭保護部２１及び左右の側頭保護部２２Ｒ，２２Ｌからなる前方保護部２０と、後頭保護部３１からなる後方保護部３０とが、それらの面方向を同一とした平面的な成形となっている。なお、平面的に成形とは、複数の帯状部材１０ａ，１０ｂ，１０ｃで形成されている頭頂保護部１０と、前方保護部２０と、後方保護部３０の面方向が同一に平面的に展開された状態を意味する。
【００８６】
そして、前方保護部２０には、その長さ方向の両端部の裏面（Ｂ１）側に面ファスナ４１ａＲ，４１ａＬが取付けられ、後方保護部３０の表面（Ｆ１）側には面ファスナ４１ａＲ，４１ａＬに対応する面ファスナ４１ｂが取付けられている。
更に、前頭保護部２１及び左右の側頭保護部２２Ｒ，２２Ｌからなる前方保護部２０と、帯状部材１０ａ，１０ｂ，１０ｃからなる頭頂保護部１０との両者は、それらの面方向が互いに０〜１８０度で折れ曲がり自在となっており、また、後方保護部３０と帯状部材１０ａ，１０ｂ，１０ｃからなる頭頂保護部１０の両者間も、それらの面方向が互いに０〜１８０度で折れ曲がり自在となっている。
【００８７】
したがって、前方保護部２０の長さ方向の両端部と後方保護部３０とを接近させ、前方保護部２０の両端部の裏面（Ｂ）側に取付けた面ファスナ４１ａＲ，４１ａＬと、後方保護部３０の表面（Ｆ）側に取付けた面ファスナ４１ｂとを接合すると、前方保護部２０と後方保護部３０が接続する。
即ち、図６に示すように、前方保護部２０を構成する右側頭保護部２２Ｒの一端部の裏面（Ｂ１）側に設けた面ファスナ４１ａＲと、後方保護部３０の表面（Ｆ）側に設けた面ファスナ４１ｂとの接合により、後方保護部３０の左右方向の一方側で前方保護部２０の右側頭保護部２２Ｒと重なり合って接合し、また、前方保護部２０を構成する左側頭保護部２２Ｌの一端部の裏面（Ｂ１）側に設けた面ファスナ４１ａＬと、後方保護部３０の表面（Ｆ１）側に設けた面ファスナ４１ｂとの接合により、後方保護部３０の左右方向の他方側で前方保護部２０の左側頭保護部２２Ｌと重なり合って接合し、前方保護部２０を構成する右側頭保護部２２Ｒ及び左側頭保護部２２が後方保護部３０に連結することで、図５乃至図１０に示すように、前方保護部２０及び後方保護部３０が環状に連続する。
【００８８】
このとき、図３乃至図１０に示した頭部保護具１では、左右の側頭保護部２２Ｒ，２２Ｌが形成されている前方保護部２０の長さが人体の頭部の前頭部側及び左右の側頭部側に対応する長さ以上に形成されており、そして、左右の側頭保護部２２Ｒ，２２Ｌの一端部側の裏面（Ｂ１）側に設けた面ファスナ４１ａＲ，４１ａＬの相手となる面ファスナ４１ｂが後方保護部３０の表面（Ｆ１）側に設けられているから、図６に示すように、前方保護部２０の長さ方向の両端部は、互いに対向するように内側に曲折されて、後方保護部３０の表面（Ｆ１）側と前方保護部２０の長さ方向の両端部の裏面（Ｂ１）側が対向して接合される。
【００８９】
特に、図３乃至図１０に示した頭部保護具１では、前方保護部２０側に側頭保護部２２Ｒ，２２Ｌが形成されており、前方保護部２０の長さが人体の頭部の前頭部側及び左右の側頭部側に対応する長さ以上に形成されているから、人体の頭部の後頭部側に対応させる後頭保護部３１からなる後方保護部３０側に対して、その左右両側に前方保護部２０の長手方向の端部が接続し、前方保護部２０との接合が行われる。よって、人体の頭部の後頭部側で後方保護部３０と前方保護部２０とが重複するから、人体の頭部の後頭部側を重点的に保護したい場合に有利である。
【００９０】
なお、図３乃至図１０に示した頭部保護具１では、後方保護部３０の表面（Ｆ１）側に面ファスナ４１ｂが設けられ、また、左右の側頭保護部２２Ｒ，２２Ｌの一端部側の裏面（Ｂ１）側に面ファスナ４１ａＲ，４１ａＬが設けられており、左右の側頭保護部２２Ｒ，２２Ｌの一端部側の裏面（Ｂ）側と後方保護部３０の表面（Ｆ）側が対向するように前方保護部２０と後方保護部３０が重なり合い、人体の頭部に接触する頭部保護具１の内面側には、面ファスナが表出しないから、面ファスナに頭部の髪の毛等が付着するようなこともない。
【００９１】
そして、頭頂保護部１０を形成する帯状部材１０ａ，１０ｂ，１０ｃの長手方向の両端側で前方保護部２０及後方保護部３０が曲折自在に接続していることから、図５乃至図１０に示すように、頭頂保護部１０を形成する帯状部材１０ａ，１０ｂ，１０ｃの長手方向に対して垂直方向に前方保護部２０及後方保護部３０を位置させると、頭頂保護部１０が人体の頭部の頭頂部側に対応し、また、環状に接続された前方保護部２０及び後方保護部３０が人体の頭部の水平周囲に対応して、人体の頭部形状に対応する立体形状に組立てられる。
【００９２】
即ち、図５乃至図１０に示すように、前方保護部２０の面方向が帯状部材１０ａ，１０ｂ，１０ｃからなる頭頂保護部１０の面方向に対して略垂直な方向に位置し、更に、湾曲可能な程度に柔軟に形成した前方保護部２０の長さ方向がＵ字状に湾曲してその両端側が対向するように内側に曲折され（湾曲され）、頭頂保護部１０の面方向に対して垂直な方向に位置した後方保護部３０に接合することにより、頭頂保護部１０、前方保護部２０及び後方保護部３０で囲まれる空間、即ち、頭頂保護部１０、前方保護部２０及び後方保護部３０によって頭部が入れられる空間を形成し、頭部に被せる帽子状（ヘルメット状）の立体形状に組立てられる。
【００９３】
このようにして組立てられる図５乃至図１０に示した頭部保護具１においては、頭頂保護部１０を形成する３本の帯状部材１０ａ，１０ｂ，１０ｃの長手方向が一致して配置され、それらは長手方向の両端部で前方保護部２０及び後方保護部３０に接続しているも前方保護部２０及び後方保護部３０の間では相互に結合することなく分列していることで、帯状部材１０ａ，１０ｂ，１０ｃの相互間は開口１２となっており、そこで空気の流通が許容される。即ち、人体の頭部への装着時には頭部の形状に対応して帯状部材１０ａ，１０ｂ，１０ｃの相互間が大きく離間し、そこが開口１２となっている。
【００９４】
また、図５乃至図１０に示した頭部保護具１においては、中央に位置する帯状部材１０ｂに対して左右に位置する帯状部材１０ａ，１０ｃが、その長手方向の両端部で前方保護部２０の前頭保護部２１及び後方保護部３０の後頭保護部３１に接続し、帯状部材１０ａ，１０ｃの長手方向に対して直角な幅方向では前方保護部２０及び後方保護部３０に接続しておらず、頭部保護具１を立体的に組立てた状態で、頭頂保護部１０の面方向に対して略垂直な方向に位置する前方保護部２０及び後方保護部３０と、帯状部材１０ａ，１０ｂ，１０ｃの長さ方向に対して直角な幅方向の頭頂保護部１０の左右両側との間が開口１３となっている。即ち、帯状部材１０ａ，１０ｃと前方保護部２０及び後方保護部３０との間が開口１３となっており、そこでも空気の流通が許容される。
【００９５】
特に、図３乃至図１０に示した頭頂保護部１０は、それを構成する帯状部材１０ａ，１０ｂ，１０ｃが互いに長手方向を一致させて分列した形成であるから、帯状部材１０ａ，１０ｂ，１０ｃ相互間の開口１２は、帯状部材１０ａ，１０ｂ，１０ｃの長さ方向に延びる連続的な形成である。
また、同様に、帯状部材１０ａ，１０ｃと前方保護部２０及び後方保護部３０との間の開口１３も、帯状部材１０ａ，１０ｂ，１０ｃの長さ方向に延びる連続的な形成である。
【００９６】
よって、図３乃至図１０に示した頭部保護具１においては、帯状部材１０ａ，１０ｂ，１０ｃ相互間に形成される開口１２、並びに、帯状部材１０ａ，１０ｃと前方保護部２０及び後方保護部３０との間に形成される開口１３が、帯状部材１０ａ，１０ｂ，１０ｃの長さ方向に延びて連続的であり、装着時に頭部の前方側から頭頂部側を通って後方側まで連続しているから、場合によっては空気の流れを生じさせることもでき、頭部全体の熱や湿気が効果的に逃げて、熱や湿気がこもり難い。そして、頭部の前方側から頭頂部側を通って後方側に向かう連続的な開口が、帯状部材１０ａと帯状部材１０ｂの間の開口１２及び帯状部材１０ｂと帯状部材１０ｃの間の開口１２、並びに、帯状部材１０ａと前方保護部２０及び後方保護部３０側と間の開口１３及び帯状部材１０ｃと前方保護部２０及び後方保護部３０側と間の開口１３の４箇所に分布し、頭部の広範囲で熱や湿気を効果的に逃げ易くしている。
【００９７】
更に、図３乃至図１０に示した頭部保護具１においては、前方保護部２０の両端部の裏面（Ｂ）側に設けた面ファスナ４１ａＲ，４１ａＬと後方保護部３０の表面（Ｆ）側に設けた面ファスナ４１ｂとの接合で、前方保護部２０及び後方保護部３０が環状に連続的に接続され、前方保護部２０及び後方保護部３０の厚みの重複が２箇所のみであるから、厚みの重複による通気性低下の影響も少ない。
【００９８】
更にまた、図３乃至図１０に示した頭部保護具１においては、このように頭頂保護部１０が互いに長手方向を一致させて分列した複数の帯状部材１０ａ，１０ｂ，１０ｃで形成され、帯状部材１０ａ，１０ｂ，１０ｃがその長手方向で前方保護部２０及び後方保護部３０と接続するのみで、帯状部材１０ａ，１０ｂ，１０ｃの長さ方向に直角な幅方向では、帯状部材１０ａ，１０ｂ，１０ｃ相互間に帯状部材１０ａ，１０ｂ，１０ｃの長手方向に延びる連続的な開口１２が形成され、また、帯状部材１０ａ，１０ｃと前方保護部２０及び後方保護部３０と間に帯状部材１０ａ，１０ｂ，１０ｃの長手方向に延びる連続的な開口１３が形成されているから、それら頭部保護具１の前方側から後方側に向かって連続的に形成された開口１２及び開口１３により、複数の帯状部材１０ａ，１０ｂ，１０ｃの相互間の間隔が変形自在（変化自在）であり、人体の頭部の形状に追従するフィット性が得られる。
【００９９】
このように、図３乃至図１０に示した頭部保護具１によれば、帯状部材１０ａ，１０ｂ，１０ｃ相互間で帯状部材１０ａ，１０ｂ，１０ｃの長さ方向に延びる連続的な形成の開口１２と、帯状部材１０ａ，１０ｃと前方保護部２０及び後方保護部３０との間で帯状部材１０ａ，１０ｂ，１０ｃの長さ方向に延びる連続的な形成の開口１３とによって、通気性を高めることができ、また、人体の頭部の形状に対応するフィット性を得ることができる。更に、前方保護部２０及び後方保護部３０の厚みの重複が２箇所のみであるから、厚みの重複による通気性低下の影響も少ない。よって、装着時の快適さを高めることができる。
【０１００】
特に、メッシュ状繊維で形成され軽量なポリエステル、綿等の生地を外装生地Ｂに使用することで、通気性が高くなり、洗濯も可能であるから、衛生さ、清潔さを保つことができる。更に、長時間の装着でも重さを感じることが少なく、装着の重さによる負担も少なくできる。
即ち、従来の保護帽では、衝撃吸収や保護性の重視から丈夫な革素材で形成されていたため、通気性に欠けて蒸れ易かったり、その厚みによって視野を狭く感じたり重さを感じたりすることで煩わしさを感じ、その装着に不快感を示す小児も多かった。また、重厚感やボリュームにより装着時の見た目にもバランスの悪さを感じ保護帽を被っての外出は敬遠されがちであった。
これに対し、図３乃至図１０に示した頭部保護具１においては、前方から後方に向かって連続的形成された開口１２及び開口１３によって、頭部形状に対するフィット性が得られ、軽量でもあるから、人体の頭部に対して見た目にバランスされた装着を可能とし、外観性の向上を可能とする。
【０１０１】
そして、図３乃至図１０に示した頭部保護具１では、このように前方保護部２０の長手方向の両端部の裏面（Ｂ１）側に設けた面ファスナ４１ａＲ，４１ａＬと後方保護部３０の表面（Ｆ１）側に設けた面ファスナ４１ｂとの接合で、前方保護部２０及び後方保護部３０を環状に連続的に接続し、頭頂保護部１０を形成する帯状部材１０ａ，１０ｂ，１０ｃの長手方向に対して垂直方向に前方保護部２０及後方保護部３０を位置することで、頭部に被せる立体的な組立状態となるが、前方保護部２０と後方保護部３０の接続において、前方保護部２０の長さ方向に直角な幅方向に長く設けた面ファスナ４１ａＲ，４１ａＬ及び後方保護部３０の長さ方向及び幅方向に広大な面積で設けた面ファスナ４１ｂにより、１対の面ファスナ４１ａＲ，４１ａＬと面ファスナ４１ｂの接続位置の選択を自在としている。即ち、図８において、前方保護部２０を形成する左右の側頭保護部２２Ｒ，２２Ｌの端部を対向させる左右方向の間隔、及び、左右の側頭保護部２２Ｒ，２２Ｌの後方保護部３０に対する上下方向（高さ方向）の接続位置の調節が自在である。
【０１０２】
したがって、１対の面ファスナ４１ａＲ，４１ａＬと面ファスナ４１ｂの接合位置の調節により、頭部の寸法に合わせて、頭部保護具１の内径（内周囲）及び頭部に被せる深さが調節自在である。これより、個人の頭部の寸法形状、頭部の成長や症例の変化、髪型、髪のボリューム、好み等に対応して、頭部にフィットさせることができ、快適な装着を可能とする。特に、個人の頭部の症状や成長にも対応させることができ、長期間に亘っての使用を可能とする。即ち、装着者の頭部が成長したときでも、１対の面ファスナ４１ａＲ，４１ａＬと面ファスナ４１ｂの接合位置の調節により頭部保護具１の内径（内周囲）を大きくする等によって、装着者の頭部の寸法形状に対応させることができるから、圧迫して窮屈感や痛みを感じさせることもなく長期に亘って快適に装着できる。故に、買い替えの金銭的負担を減らすこともできる。更に、頭部に被せるその深さの調節により装着者の頭部の形状等に応じて最適なフィット感を得ることができ、見た目にもシルエットバランスのよい装着形態を可能とする。
【０１０３】
更に、図３乃至図１０に示した頭部保護具１の製造は、頭頂保護部１０を形成する互いに長手方向を一致させた帯状部材１０ａ，１０ｂ，１０ｃの長さ方向の一端部に、その長さ方向に対して略直角方向に延びる前頭保護部２１及び側頭保護部２２Ｒ，２２Ｌからなる前頭保護部２０を形成し、また、帯状部材１０ａ，１０ｂ，１０ｃの長さ方向の他端部に、その長さ方向に対して略直角方向に配設する後頭保護部３１からなる後方保護部３０を形成し、互いに長手方向を一致させて分列した帯状部材１０ａ，１０ｂ，１０ｃからなる頭頂保護部１０と、前頭保護部２１及び側頭保護部２２Ｒ，２２Ｌからなる前頭保護部２０と、後頭保護部３１からなる後方保護部３０とを平面的に成形するものであるから、その縫製作業も極めて容易である。
【０１０４】
特に、人体の頭頂部側に対応させる頭頂保護部１０を介して離間した配置の前方保護部２０及び後方保護部３０を１対の面ファスナ４１ａＲ，４１ａＬと面ファスナ４１ｂによって接続自在としていることで、接合箇所も前方保護部２０及び後方保護部３０のみの接続であり、接合の構成及び接続関係がシンプルで、形状も単調で縫製も分かり易い。よって、緩衝材Ａや外装生地Ｂの裁断作業や、緩衝材Ａを外装生地Ｂで被覆する縫製作業や、各パーツを接続する縫製作業が簡単である。更に、１対の面ファスナ４１ａＲ，４１ａＬと面ファスナ４１ｂのみの接合であるから、面ファスナの材料コストも節減でき、面ファスナを縫製等によって取付ける作業も短時間で簡単に済む。よって、製造が簡単であり、コストも廉価である。
【０１０５】
更に、図３乃至図１０に示した頭部保護具１では、前方保護部２０と後方保護部３０は、帯状部材１０ａ，１０ｂ，１０ｃの長手方向に対して略直角方向の左右両側が、１対の面ファスナ４１ａＲ，４１ａＬと面ファスナ４１ｂによって接合及び分離自在であり、前方保護部２０と後方保護部３０を連続して一体に形成する場合と比較してカーブのラインがないから、縫製が容易であり、人為的誤差が介在しにくい縫製が可能である。特に、緩衝性が高い緩衝材Ａを使用しても、即ち、厚みがあったり硬かったりして可撓性が低い緩衝材Ａであっても、平面的な成形による歪みが生じ難い。よって、縫製作業がより簡単であり、歪みの少ない仕上がり精度が高いものとなる。
【０１０６】
更にまた、図３乃至図１０に示した頭部保護具１では、前方保護部２０と頭頂保護部１０とが略Ｔ字状に一体に接続され、また、後方保護部３０と頭頂保護部１０も略Ｔ字状に一体に接続されているから、前方保護部２０及び後方保護部１０のシルエットに方向転換のカーブラインが存在せず、直線的なラインの縫製であるから、極めて容易に縫製できる。
【０１０７】
加えて、図３乃至図１０に示した頭部保護具１は、このように１対の面ファスナ４１ａＲ，４１ａＬと面ファスナ４１ｂの接合、及び、頭頂保護部１０を形成する帯状部材１０ａ，１０ｂ，１０ｃの長手方向に対して垂直方向に前方保護部２０及び後方保護部３０を位置することにより、人体の頭部に被せる形状に立体的に組立てるものであり、頭部保護具１を使用しないときには、１対の面ファスナ４１ａＲ，４１ａＬと面ファスナ４１ｂの接合を解いて平面的に展開できるから、収納・保管の際の空間スペースを節約できる。特に、頭頂保護部１０を形成する帯状部材１０ａ，１０ｂ，１０ｃと前方保護部２０及び後方保護部３０とは、互いに面方向が直角方向に折曲自在に接続されているから、それらを折曲げてコンパクトに畳むことも可能である。
【０１０８】
このように、本実施の形態１に係る頭部保護具用インナー１００を取付ける取付対象の一例として図３乃至図１０に示した頭部保護具１は、互いに長手方向を一致させた複数の帯状部材１０ａ，１０ｂ，１０ｃで形成され、装着対象である頭部の頭頂部側を保護する頭頂保護部１０と、頭頂保護部１０を形成する複数の帯状部材１０ａ，１０ｂ，１０ｃの長手方向の一端側に曲折自在に接続し、頭部の前方側を保護する前方保護部２０と、頭頂保護部１０を形成する複数の帯状部材１０ａ，１０ｂ，１０ｃの長手方向の他端側に曲折自在に接続し、頭部の後方側を保護する後方保護部３０と、前方保護部２０に形成され、頭頂保護部１０を形成する複数の帯状部材１０ａ，１０ｂ，１０ｃの長手方向に対して直角方向に配設する左右の側部としての側頭保護部２２Ｒ，２２Ｌと、複数の帯状部材１０ａ，１０ｂ，１０ｃの長手方向の両端側で曲折自在に接続した前方保護部２０及び後方保護部３０に取付けられ、前方保護部２０及び後方保護部３０を接合及び分離自在とし、かつ、前方保護部２０と後方保護部３０の接合位置を調節自在とする接合具としての１対の面ファスナ４１ａＲ，４１ａＬ及び面ファスナ４１ｂとを具備し、前方保護部２０及び後方保護部３０を１対の面ファスナ４１ａＲ，４１ａＬと面ファスナ４１ｂで接合して立体的組立状態とし、接合した前方保護部２０及び後方保護部３０と、頭頂保護部１０を形成する複数の帯状部材１０ａ，１０ｂ，１０ｃの間に開口１３が形成されているものである。
【０１０９】
ここで頭頂保護部１０は、装着対象である頭部の頭頂部側に対応して、頭部の頭頂部側を覆うものであり帽子のトップクラウンに相当する部位である。この頭頂保護部１０は、互いに長手方向を一致させた複数の帯状部材１０ａ，１０ｂ，１０ｃで形成され、帯状部材１０ａ，１０ｂ，１０ｃ同士が互いに長手方向を一致させて分列しているものである。
ここで、上記互いに長手方向を一致とは、帯状部材１０ａ，１０ｂ，１０ｃの長さ方向の端縁の向きを統一することまでを要求するものではなく、長辺の方向を同一としていればよい。また、帯状部材の長さ方向の端縁が並列的であってもよいし、重複していてもよい。
【０１１０】
前方保護部２０は、複数の帯状部材１０ａ，１０ｂ，１０ｃの長手方向の一端側に曲折自在に接続し、頭部の前方側を保護するものである。この前方保護部２０は、複数の帯状部材１０ａ，１０ｂ，１０ｃの全てにその長手方向の一端側で接続し、複数の帯状部材１０ａ，１０ｂ，１０ｃを統一する長さ以上に形成され、少なくとも頭部の前頭部側に対応される。そして、複数の帯状部材の長手方向の一端側に曲折自在に接続とは、複数の帯状部材１０ａ，１０ｂ，１０ｃで形成されている頭頂保護部１０の面方向と前方保護部２０の面方向とでなす角度が０〜１８０度に変化自在であることを意味する。
【０１１１】
また、後方保護部３０は、複数の帯状部材１０ａ，１０ｂ，１０ｃの長手方向において前方保護部２０側とは反対側の他端側に曲折自在に接続し、頭部の後方側を保護するものである。この後方保護部３０も、複数の帯状部材の全てにその長手方向の他端側で接続し、複数の帯状部材１０ａ，１０ｂ，１０ｃを統一する長さ以上に形成され、少なくとも頭部の後頭部側に対応される。そして、複数の帯状部材１０ａ，１０ｂ，１０ｃの長手方向の他端側に曲折自在に接続とは、複数の帯状部材１０ａ，１０ｂ，１０ｃで形成されている頭頂保護部１０の面方向と後方保護部３０の面方向とでなす角度が０〜１８０度に変化自在であることを意味する。
なお、上記頭部の前方側、後方側とは前後で等分した領域を示すものではなく、前後の相対的関係を示したものである。
【０１１２】
これら前方保護部２０及び／または後方保護部３０には、複数の帯状部材１０ａ，１０ｂ，１０ｃの長手方向に対して直角方向に配設した左右の側部が形成されているものである。この左右の側部は、頭部の右側頭部側及び左側頭部側に対応させる部位であり、前方保護部２０側及び／または後方保護部３０側に形成されるが、必ずしも左右の側部２２Ｒ，２２Ｌが前方保護部２０側及び／または後方保護部３０側で左右両側に対称的に設ける必要はない。即ち、左右の側部２２Ｒ，２２Ｌの両方を前方保護部２０側または後方保護部３０側に設けることに限定されず、前方保護部２０側に左右の側部２２Ｒ，２２Ｌの一方を設け、後方保護部３０側に左右の側部２２Ｒ，２２Ｌの他方を設けてもよい。
これら前方保護部２０及び後方保護部３０は、頭部の水平周囲（頭囲）に対応して、頭部の水平周囲を覆うものであり帽子のサイドクラウンに相当する部位である。
【０１１３】
上記接合具としては、前方保護部２０及び後方保護部３０を接合して接合自在とし、かつ、前方保護部２０と後方保護部３０の接合位置を調節自在とするものであればよく、例えば、面ファスナ、ドット釦、ホック、ボタン及びループ、バックル等が使用できる。なお、前方保護部２０と後方保護部３０の接合位置の調節は、接合具を複数設けて接合位置を任意の選択として段階的な調節としてもよいし、例えば、面ファスナのように１つの大きな面積で接合位置を任意の選択として無段階で調節できるようにしてもよい。この前方保護部２０と後方保護部３０の接合位置の調節は、少なくとも頭部の頭囲の長さに対応して、前方保護部２０と後方保護部３０が環状に連続する長さを調節自在であればよく、即ち、前方保護部２０と後方保護部３０で囲まれる内径のサイズを調節自在であればよい。更に好ましくは、頭部に被せる深さをも調節自在とするものである。なお、前方保護部２０及び後方保護部３０を環状に連続とは、前方保護部２０及び後方保護部３０が連続して頭部の水平周囲（頭囲）に対応することを意味し、前方保護部２０及び後方保護部３０により形成される環状が正確に円形状であることまでを特定するものではない。
【０１１４】
また、上記立体的な組立状態は、前方保護部２０及び後方保護部３０を１対の面ファスナ４１ａＲ，４１ａＬと面ファスナ４１ｂ等の接合具で接合することで、頭頂保護部１０の帯状部材の長手方向の両端側に曲折自在に接続した前方保護部２０及び後方保護部３０が頭頂保護部１０の帯状部材１０ａ，１０ｂ，１０ｃの長手方向に対して垂直方向に位置し、頭頂保護部１０、前方保護部２０及び後方保護部３０によって囲まれる頭部に被せる空間を形成し、立体形状に組立てられることを示す。
【０１１５】
更に、頭頂保護部１０と前方保護部２０及び後方保護部３０との間の開口１３は、帯状部材１０ａ，１０ｂ，１０ｃの長さ方向に対して直角な幅方向の頭頂保護部１０の左右両側で、頭頂保護部１０の帯状部材１０ａ，１０ｂ，１０ｃと前方保護部２０及び後方保護部３０との間に形成される２つの開口であり、帯状部材１０ａ，１０ｂ，１０ｃの長さ方向に延びている。
【０１１６】
こうして、図３乃至図１０に示した頭部保護具１は、互いに長手方向を一致させて分列する複数の帯状部材１０ａ，１０ｂ，１０ｃで形成された頭頂保護部１０に対し、その帯状部材１０ａ，１０ｂ，１０ｃの長手方向の一端側に前方保護部２０が接続し、反対側の他端側に後方保護部３０が接続しており、前方保護部２０には複数の帯状部材１０ａ，１０ｂ，１０ｃの長手方向に対して略直角方向に配設する側頭保護部２２Ｒ，２２Ｌが形成されている。また、頭頂保護部１０と、左右の側頭保護部２２Ｒ，２２Ｌが形成されている前方保護部２０と、後方保護部３０とは面方向を同一として平面的に成形されている。即ち、平面的に展開自在である。
そして、各前方保護部２０、後方保護部３０は、帯状部材１０ａ，１０ｂ，１０ｃの長手方向の一端側で曲折自在な接続であり、また、左右の側頭保護部２２Ｒ，２２Ｌが形成された前方保護部２０の長手方向の両端部に取付けた面ファスナ４１ａＲ，４１ａＬと後方保護部３０に取付けた面ファスナ４１ｂとによって、前方保護部２０及び後方保護部３０が環状に接合及び分離自在で、かつ、その接合位置が調節自在である。
【０１１７】
よって、左右の側頭保護部２２Ｒ，２２Ｌが形成されて帯状部材１０ａ，１０ｂ，１０ｃの長手方向に対して直角方向に延びる前方保護部２０の長手方向の各端部と、後方保護部３０とを重ね、前方保護部２０の長さ方向の各端部の裏面（Ｂ１）側に取付けた面ファスナ４１ａＲ，４１ａＬと後方保護部３０の表面（Ｆ１）側に取付けた面ファスナ４１ｂを接合して、左右の側頭保護部２２Ｒ，２２Ｌが形成されている前方保護部２０と後方保護部３０とを接合すると、頭頂保護部１０の帯状部材１０ａ，１０ｂ，１０ｃの長手方向に対して垂直方向に前方保護部２０及び後方保護部３０を位置し人体の頭部に被せる立体的な組立状態になる。
【０１１８】
即ち、頭頂保護部１０が、所謂、帽子のトップクラウン側に相当して頭部の頭頂部側に対応し、左右の側頭保護部２２Ｒ，２２Ｌが形成されている前方保護部２０及び後方保護部３０が、所謂、帽子のサイドクラウン側に相当し頭部の水平周囲（頭囲）側に対応する。
【０１１９】
ここで、図３乃至図１０に示した頭部保護具１によれば、１対の面ファスナ４１ａＲ，４１ａＬと面ファスナ４１ｂによって、頭部の水平周囲（頭囲）側に対応する前方保護部２０及び後方保護部３０の接合位置が調節自在であるから、頭部の寸法形状に応じて頭部に被せるサイズ、即ち、複数の帯状部材１０ａ，１０ｂ，１０ｃから形成される頭頂保護部１０と、その帯状部材１０ａ，１０ｂ，１０ｃの長手方向に対して垂直方向に位置させた前方保護部２０及び後方保護部３０とによって囲まれる空間サイズの調節が可能である。
【０１２０】
また、図３乃至図１０に示した頭部保護具１は、このように頭頂保護部１０を形成する複数の帯状部材１０ａ，１０ｂ，１０ｃの長手方向の両端に、前方保護部２０及び後方保護部３０を配設し、頭頂保護部１０を介して離間した配置の前方保護部２０及び後方保護部３０を１対の面ファスナ４１ａＲ，４１ａＬと面ファスナ４１ｂによって接合自在とする構成である。そして、頭頂部側に対応させる頭頂保護部１０は、互いに長手方向を一致させて分列した複数の帯状部材１０ａ，１０ｂ，１０ｃで形成されており、帯状部材１０ａ，１０ｂ，１０ｃの長手方向の両端部で前方保護部２０及び後方保護部３０と一体に接続しているも、帯状部材１０ａ，１０ｂ，１０ｃの長手方向に対して直角な幅方向では、帯状部材１０ａ，１０ｂ，１０ｃが互い結合しておらず、また、前方保護部２０及び後方保護部３０とも結合しておらず、立体的な組立状態で、帯状部材１０ａ，１０ｂ，１０ｃの相互間に開口１２が形成され、更に、帯状部材１０ａ，１０ｃと前方保護部２０及び後方保護部３０と間にも開口１３が形成されている。
【０１２１】
このように帯状部材１０ａ，１０ｂ，１０ｃの長手方向に対して直角な幅方向の両側に形成されている開口１２及び開口１３は、帯状部材１０ａ，１０ｂ，１０ｃの長手方向に延び連続的であるから、そのような開口１２及び開口１３によって、頭部保護具１の装着時には頭部がその前頭部側から頭頂部側を通って後頭部側に向かう一続きで外気に触れることになる。即ち、部分的でなく頭部の前方側から後方側に向かう広領域に亘って連続的に開口し、場合によっては、頭部の前方側から後方側に向かう領域に対応する連続的な開口１２及び開口１３により空気の流れを生じさせることができるから、頭部の熱や湿気を効果的に逃がすことができる。また、帯状部材１０ａ，１０ｂ，１０ｃの長手方向に連続的に延びる開口１２，１３が、帯状部材１０ａ，１０ｂ，１０ｃの相互間、並びに、帯状部材１０ａ，１０ｂ，１０ｃと前方保護部２０及び後方保護部３０との間に分布しているから、頭部の広範囲で熱や湿気を効果的に逃げ易くしている。
【０１２２】
更に、１対の面ファスナ４１ａＲ，４１ａＬと面ファスナ４１ｂの接合も後方保護部３０の左右両側で前方保護部２０の長さ方向の両端部と接合するのみであるから、前方保護部２０及び後方保護部３０の厚みの重複による通気性低下の影響も少ない。
更にまた、帯状部材１０ａ，１０ｂ，１０ｃの長手方向に連続的に延びる開口１２，１３により、頭部の形状に応じて頭頂保護部１０を形成する複数の帯状部材１０ａ，１０ｂ，１０ｃの間隔が変形自在（変化自在）であり、頭部の形状に追従するフィット性が得られ、頭部の形状への馴染みがよい。
よって、通気性及びフィット性の向上により装着の快適さを向上させることができる。
【０１２３】
そして、図３乃至図１０に示した頭部保護具１は頭頂保護部１０を形成する帯状部材１０ａ，１０ｂ，１０ｃの長手方向の両端に、前方保護部２０及び後方保護部３０を曲折自在に接続し、また、前方保護部２０に帯状部材１０ａ，１０ｂ，１０ｃの長手方向に対して直角方向に配設する左右の側頭保護部２２Ｒ，２２Ｌを形成し、前方保護部２０及び後方保護部３０に１対の面ファスナ４１ａＲ，４１ａＬと面ファスナ４１ｂを取付け、前方保護部２０及び後方保護部３０を１対の面ファスナ４１ａＲ，４１ａＬと面ファスナ４１ｂで接合して立体的組立状態とするものであり、平面的な展開状態及び立体的組立状態に自在に形成したものであるから、平面的な成形により縫製作業も容易である。
【０１２４】
特に、頭部の頭頂部側に対応させる頭頂保護部１０を介して離間した配置の前方保護部２０及び後方保護部３０を１対の面ファスナ４１ａＲ，４１ａＬと面ファスナ４１ｂによって接続自在としていることで、接合箇所も前方保護部２０及び後方保護部３０のみの接続であり、接合の構成及び接続関係がシンプルであり、形状も単調である。よって、緩衝材Ａや外装生地Ｂの裁断作業、緩衝材Ａを外装生地Ｂで包み込む縫製、各パーツを接続する縫製作業が簡単である。更に、面ファスナの数も少なく、材料コストも節減でき及び面ファスナを縫製等によって取付ける作業も短時間で簡単に済む。
よって、製造が簡単であり、コストも廉価になり、安価な製品の提供を可能とする。
【０１２５】
なお、１対の面ファスナ４１ａＲ，４１ａＬと面ファスナ４１ｂＬの取付位置は上記説明と表裏を逆にしてもよいし、複数に分けて段階的に接続位置を調節する形態としても良い。しかし、上記のように頭部保護具１の外面側で、１対の面ファスナ４１ａＲ，４１ａＬと面ファスナ４１ｂＬを接合する形態では、面ファスナにより頭部を圧迫したり、違和感を生じさせたりすることもなく、頭部保護具１の頭部への装着時において、面ファスナに髪が付着することもない。また、上記のように面ファスナの個数が３つであるとその取付作業も容易である。
【０１２６】
更に、図３乃至図１０に示した頭部保護具１によれば、前方保護部２０と後方保護部３０は、帯状部材１０ａ，１０ｂ，１０ｃの長手方向に対して直角方向の左右両側が、１対の面ファスナ４１ａＲ，４１ａＬと面ファスナ４１ｂによって接合及び分離自在であり、前方保護部２０と後方保護部３０が連続して一体に形成するカーブのラインもないから、人為的誤差が介在しにくい縫製が可能である。特に、緩衝性が高い緩衝材Ａを使用しても、即ち、厚みがあったり硬かったりして可撓性が低くても、平面的な成形による歪みが生じ難い。よって、縫製作業がより簡単であり、歪みの少ない仕上がり精度が高いものとなる。
【０１２７】
更にまた、図３乃至図１０に示した頭部保護具１では、前方保護部２０と頭頂保護部１０とが略Ｔ字状に一体に接続され、また、後方保護部３０と頭頂保護部１０も略Ｔ字状に一体に接続されているから、前方保護部２０及び後方保護部３０のシルエットに方向転換のカーブラインが存在せず、直線的なラインの縫製であるから、極めて容易に縫製できる。
【０１２８】
そして、図３乃至図１０に示した頭部保護具１によれば、接合箇所も人体の頭部の水平周囲（頭囲）側に対応する前方保護部２０及び後方保護部３０のみの接続であるから、接合操作及びその解除操作の箇所も少ない。そして、頭部の水平周囲（頭囲）側に対応する前方保護部２０及び後方保護部３０において面ファスナによる接続が行われるから、高い圧迫力が掛かり易い頭頂部側での接続と比べてその結合も外れにくい。よって、取扱性にも優れる。
【０１２９】
加えて、頭頂保護部１０、前方保護部２０及び後方保護部３０は平面的な成形であり、前方保護部２０及び後方保護部３０の１対の面ファスナ４１ａＲ，４１ａＬと面ファスナ４１ｂの接合を解除することで平面的に展開自在であり、即ち、立体的な組立状態を平面的に展開できるから、保管・収納の空間スペースを削減することができる。特に、頭頂保護部１０を形成する帯状部材１０ａ，１０ｂ，１０ｃと前方保護部２０及び後方保護部３０とは、互いに面方向が直角方向に折曲自在に接続されているから、それらを折曲げてコンパクトに畳むことも可能である。
【０１３０】
このように図３乃至図１０に示した頭部保護具１は、サイズ調節が可能であり、かつ、製造が簡単でコストを抑えることができ、また、収納・保管のための空間スペースを削減でき、更に、装着の快適性を向上し、取扱性にも優れる。
【０１３１】
また、図３乃至図１０に示した頭部保護具１によれば、頭頂保護部１０、前方保護部２０及び後方保護部３０が、弾性に富む芯材Ｃを入れた緩衝材Ａを外装生地Ｂで被覆して形成されているから、頭頂保護部１０、前方保護部２０及び後方保護部３０に芯材Ｃを入れた緩衝材Ａが配設されていることで頭部を全体的に保護できる。また、頭頂保護部１０、前方保護部２０、後方保護部３０の各部位によって芯材Ｃを入れた緩衝材Ａの厚み、弾性（緩衝性）、硬さ等を任意に選択することで、または、芯材Ｃを入れた緩衝材Ａを被覆する外装生地Ｂの素材、種類等を任意に選択することで、衝撃吸収力や通気性を部位によって調節でき、頭部に対応させる特定の部位で衝撃吸収性を高めることもできる。
【０１３２】
ここで、芯材Ｃとしては、外力が加わったときに、その外力を反発する弾性を有していればよく、例えば、硬質なウレタン、ポリオレフィン系発泡体等を使用できる。
また、緩衝材Ａとしては、頭部への衝撃を緩和できるクッション材であればよく、例えば、軟質なウレタン、ポリオレフィン系発泡体、木綿、ポリエステル製等の合成綿、羊毛綿、麻綿、毛等の綿状体、スポンジ等が使用される。好ましくは、表裏に貫通する開口、または、表裏に連通する空間を有し、通気性があるものである。
更に、外装生地Ｂとしては、メッシュ状繊維で形成された通気性を有するものが好ましく、更には、吸水性・吸湿性を持たせたものがより好ましい。多少の弾性を持たせたものも好ましい。
なお、芯材Ｃと緩衝材Ａとを区別することなく、芯材の反発特性と緩衝材の緩衝機能の両方を持った素材の使用であってもよい。
【０１３３】
そして、図３乃至図１０に示した頭部保護具１において、外装生地Ｂをメッシュ状繊維で形成すると、頭部に触れる頭頂保護部１０、前方保護部２０及び後方保護部３０の通気性が向上し、頭部からの湿気や熱が逃れやすくなり、蒸れや暑さを軽減できる。更に、外装生地Ｂに包まれた緩衝材Ａにおいても表裏に貫通する孔Ｐが形成されていると空気の流通が許容され、頭部からの湿気や熱がより逃れやすくなり蒸れや暑さを軽減できる。また、頭部保護具１の軽量化を図ることができる。よって、装着の快適さをより向上させることができる。
なお、メッシュ状繊維とは、空気の流通を可能とするものであればよく、多少織目の粗い、密度の低い生地を使用したり、生地が編目状（ネット状）であったりすることに限定されず、例えば、生地に所定形状の貫通孔（開口）が複数形成されていることによって空気の流通を可能としていてもよい。好ましくは、頭部に触れる内面側及びその反対にある外面側の表裏で使用されるが、どちらか一方のみの使用であってもよい。
【０１３４】
更に、図３乃至図１０に示した頭部保護具１によれば、前方保護部２０の頭頂保護部１０への接続側とは反対側で外方向に突出し、前方保護部２０の面方向に対して直角方向に折曲自在に接続した鍔部２３を有するから、日除け効果があるばかりでなく、見た目にも、通常のファッション、防暑（日除け）、制帽等として使用されている鍔を有する帽子と類似するファッション性を有する。
【０１３５】
加えて、図３乃至図１０に示した頭部保護具１によれば、前方保護部２０に形成した左右の側頭保護部２２Ｒ，２２Ｌに環状に一体に接続され、耳の周りに配設させる左右の耳紐２４Ｒ，２４Ｌと、左右の耳紐２４Ｒ，２４Ｌ間に架け渡す顎紐２５とを有するから、人体の両耳を前方保護部２０に形成した左右の側頭保護部２２Ｒ，２２Ｌが覆うことはない。即ち、音の聞き取りに支障がでることはない。また、耳紐２４Ｒ，２４Ｌ間に架け渡す顎紐２５を人体の顔の顎に掛けることで、頭部から外れ難くできる。
【０１３６】
なお、図３乃至図１０においては、頭部の左右の側頭部側に対応させる左右の側頭保護部２２Ｒ，２２Ｌを前方保護部２０に形成しているが、左右の側頭保護部２２Ｒ，２２Ｌは後頭保護部３０に形成してもよいし、前方保護部２０と後頭保護部３０に分けて配設してもよい。即ち、前方保護部２０と後頭保護部３０の接続を、頭部の前頭部側で行うものとしてもよいし、頭部の側頭部側で行うものとしてもよく、頭頂保護部１０を形成する複数の帯状部材１０ａ，１０ｂ，１０ｃの長手方向に対して直角方向に配設する左右の側部としての側頭保護部２２Ｒ，２２Ｌは、前方保護部２０及び／または後頭保護部３０に形成されるものである。また、顎紐２５、耳紐２４Ｒ，２４Ｌ、鍔部２３が適宜省略されていてもよい。
【０１３７】
続いて、図１２乃至図２１を参照して、上述した構成の本実施の形態１に係る頭部保護具用インナー１００の図３乃至図１０に示した頭部保護具１への取付け方を示し、本実施の形態１に係る頭部保護具用インナー１００の頭部保護具１への取付状態について、説明する。
【０１３８】
上述したように頭部保護具用インナー１００の取付対象の一例である図３乃至図１０に示した頭部保護具１によれば、頭頂保護部１０を形成する帯状部材１０ａ，１０ｂ，１０ｃの長手方向の一端側に接続している前頭保護部２１の両側に、帯状部材１０ａ，１０ｂ，１０ｃの長手方向に対して直角方向に配設する左右の側頭保護部２２Ｒ、２２Ｌが形成され、また、頭頂保護部１０を形成する帯状部材１０ａ，１０ｂ，１０ｃの長手方向の他端側に後頭保護部３１が接続形成されており、これら頭頂保護部１０、前頭保護部２１、左右の側頭保護部２２Ｒ、２２Ｌ及び後頭保護部３１が平面的に成形されてなるものである。
【０１３９】
一方、本実施の形態１の頭部保護具用インナー１００は、頭部保護具１において頭部の前頭部側から頭頂部側を通って後頭部側に対応する位置の内面側に配設させる、即ち、図３及び図４に示した頭部保護具１で略直線状に配置する前頭保護部２１、頭頂保護部１０及び後頭保護部３１の内面側に配設させる前頭布部１１１、頭頂布部１１２及び後頭布部１１３からなる長尺状の本体布部１１０に対して、その長さ方向に直角な方向で頭頂布部１１２の両側に、頭部保護具１の前頭保護部２１の左右両側に形成された左右の側頭保護部２２Ｒ、２２Ｌに配設させる左右の側布部１２０Ｒ，１２０Ｌが形成されている。
【０１４０】
そして、左右の側布部１２０Ｒ，１２０Ｌには、本体布部１１０の長さ方向に対して直角な方向を左右方向としたとき、その左右方向に対して直角な上下方向に幅広に突出する１対の接続側布部１２２ａＲ，１２２ｂＲ、１対の接続側布部１２２ａＬ，１２２ｂＬが形成され、１対の接続側布部１２２ａＲ，１２２ｂ、１対の接続側布部１２２ａＬ，１２２ｂＬＲにおいて対向関係にある２辺の両側に、１対の面ファスナ１２３ａＲ，１２３ｂＲ、１対の面ファスナ１２３ａＬ，１２３ｂＬが取付けられている。
また、本体布部１１０の後頭布部１１３の裏面（Ｂ）側には、後頭布部１１３を構成する後頭本体布部１３１の端部を閉じるように取付布部１３２が接続されて、袋状の本体布取付部１３０が形成されている。
【０１４１】
即ち、本実施の形態１の頭部保護具用インナー１００においては、前方保護部２０を構成する前頭保護部２１の左右両側に左右の側頭保護部２２Ｒ、２２Ｌが形成されて頭頂保護部１０と前方保護部２０とが略Ｔ字状をなし、頭頂保護部１０、前方保護部２０、及び後方保護部３０が平面的に成形される頭部保護具１に対応し、本体布部１１０の前頭布部１１１の左右両側に、左右の側布部１２０Ｒ，１２０Ｌを配設して本体布部１１０と左右の側布部１２０Ｒ，１２０Ｌを全体で略Ｔ字状に形成し、また、本体布部１１０の後頭布部１１３側に本体布取付部１３０を袋状に形成している。
【０１４２】
したがって、例えば、図１２乃至図１４に示すように、頭部保護具１の展開状態で、頭部保護具用インナー１００の裏面（Ｂ）側、即ち、袋状の本体布取付部１３０が形成されている側が、頭部保護具１の裏面（Ｂ１）側に対向するように配置して、頭部保護具１の裏面（Ｂ１）側で頭部保護具用インナー１００を重ねたときに、頭部保護具１において頭部の前頭部側を保護する前頭保護部２１に頭部保護具用インナー１００の前頭布部１１１が対応し、頭部の頭頂部側を保護する頭頂保護部１０に頭頂布部１１２が対応し、頭部の後頭部側を保護する後頭保護部３１に後頭布部１１３が対応する。更に、頭部保護具１において頭頂保護部１０を形成する帯状部材１０ａ，１０ｂ，１０ｃの長手方向に対して直角方向で前頭保護部２１の左右両側に延びて頭部の左右の側頭部側を保護する左右の側頭保護部２２Ｒ、２２Ｌに対し、頭部保護具用インナー１００において長尺状の本体布部１１０の長手方向に対して直角方向で前頭布部１１１の左右両側に延びた左右の側布部１２０Ｒ，１２０Ｌが対応する。
【０１４３】
そして、本実施の形態１の頭部保護具用インナー１００は、上述したように本体布部１１０の長手方向の一端部側に配置する前頭布部１１１から本体布部１１０の長手方向に対して略直角方向に延びる左右の側布部１２０Ｒ、１２０Ｌを形成しており、この左右の側布部２２Ｒ、２２Ｌは、本体布部１１０の長さ方向に対して直角な方向を左右方向としたとき、その左右方向に直角な上下方向を幅広に形成して、上下方向で対向する２辺の両側に１対の面ファスナ１２３ａＲ及び面ファスナ１２３ｂＲ、１対の面ファスナ１２３ａＬ及び面ファスナ１２３ｂＬを有する。
【０１４４】
よって、図１２乃至図１４に示すように、頭部保護具１の左右の側頭保護部２２Ｒ、２２Ｌに対し、その内面側（裏面（Ｂ１）側）及び外面側（表面（Ｆ１）側）の周囲に左右の側布部１２０Ｒ，１２０Ｌを巻いて、左右の側頭保護部２２Ｒ、２２Ｌの外面側で、左右の側布部１２０Ｒ，１２０Ｌの上下方向で対向する２辺の両側を１対の面ファスナ１２３ａＲ及び面ファスナ１２３ｂＲ、１対の面ファスナ１２３ａＬ及び面ファスナ１２３ｂＬによって接合することで、頭部保護具１の左右の側頭保護部２２Ｒ、２２Ｌの周囲に頭部保護具用インナー１００の左右の側布部１２０Ｒ，１２０Ｌを取付けることができる。
【０１４５】
特に、本実施の形態１では、頭部保護具１の左右の側頭保護部２２Ｒ、２２Ｌの外面側で、頭部保護具用インナー１００の１対の面ファスナ１２３ａＲ及び面ファスナ１２３ｂＲ、１対の面ファスナ１２３ａＬ及び面ファスナ１２３ｂＬを接合するから、１対の面ファスナ１２３ａＲ及び面ファスナ１２３ｂＲ、１対の面ファスナ１２３ａＬ及び面ファスナ１２３ｂＬが頭部を圧迫したり、違和感を生じさせたりすることもない。面ファスナに髪がくっつくこともない。なお、本発明を実施する場合には、頭部保護具１の左右の側頭保護部２２Ｒ、２２Ｌの周囲に対して左右の側布部１２０Ｒ，１２０Ｌを２重、３重に巻き付ける長さで構成してもよい。
【０１４６】
また、本実施の形態１の頭部保護具用インナー１００は、上述したように本体布部１１０の長手方向の前頭布部１１１側とは反対の他端部側に配置する後頭布部１１３の裏面（Ｂ）側で、後頭布部１１３を構成する後頭本体布部１３１の周囲の３辺に取付布部１３２を接続したことによって、頭頂布部１１２側に開放する袋状の本体布取付部１３０を有する。
【０１４７】
よって、図１２乃至図１４に示すように、上述したように頭部保護具１の展開状態で、頭部保護具１の後頭保護部３１を本体布部１１０の裏面（Ｂ）側で袋状をなす本体布取付部１３０の後頭本体布部１３１と取付布部１３２の間に入れることで、後頭保護部３１の内面側から外面側の周囲に被せて後頭布部１１３を取付けることができる。
【０１４８】
このとき、後頭布部１１３の裏面側で袋状に形成された本体布取付部１３０の取付布部１３２には幅広の開口１３１が形成されているから、頭部保護具１の後頭保護部３１の外面側に取付けられている面ファスナ４１ｂの全体を覆うこともない。
【０１４９】
このように、本実施の形態１の頭部保護具用インナー１００によれば、頭部保護具１の左右の側頭保護部２２Ｒ、２２Ｌに対して、その内面側及び外面側の周囲に、頭部保護具用インナー１００の左右の側布部１２０Ｒ，１２０Ｌを巻いて、１対の面ファスナ１２３ａＲ及び面ファスナ１２３ｂＲ、１対の面ファスナ１２３ａＬ及び面ファスナ１２３ｂＬの接合により取付け、また、頭部保護具１の後頭保護部３１に対して、後頭布部１１３の裏面（Ｂ）側で袋状に形成した本体布取付部１３０の後頭本体布部１３１と取付布部１３２の間に後頭保護部３１を入れて被せる取付けのみで、簡単に頭部保護具１に取付けることができる。
また、頭部保護具１の展開状態で１対の面ファスナ１２３ａＲ及び面ファスナ１２３ｂＲ、１対の面ファスナ１２３ａＬ及び面ファスナ１２３ｂＬの接合を解き、袋状の本体布取付部１３０の後頭本体布部１３１と取付布部１３２の間から後頭保護部３１を抜き出せば、簡単に頭部保護具１から取外すことができる。
よって、頭部保護具１に対しての着脱が極めて簡単である。
【０１５０】
そして、このようにして頭部保護具用インナー１００が取付られた頭部保護具１を頭部に被せて使用する際には、図１５乃至図２１に示すように、頭部保護具１の前方保護部２０の長手方向の各端部と、後方保護部３０とを重ね、前方保護部２０の長さ方向の各端部の裏面（Ｂ１）側に取付けた面ファスナ４１ａＲ，４１ａＬと後方保護部３０の表面（Ｆ１）側に取付けた面ファスナ４１ｂを接合して、左右の側頭保護部２２Ｒ，２２Ｌが形成されている前方保護部２０と後方保護部３０とを環状に接続し、そして、頭頂保護部１０の帯状部材１０ａ，１０ｂ，１０ｃの長手方向に対して垂直方向に前方保護部２０及び後方保護部３０を位置させると、頭部に被せる立体的な組立状態になる。
【０１５１】
頭部保護具用インナー１００が取付られ立体的に組立てられた頭部保護具１では、図１５乃至図２１に示すように、頭頂部側を保護する頭頂保護部１０の内面側に頭部保護具用インナー１００の本体布部１１０を形成する頭頂布部１１２が配設し、前頭部側を保護する前頭保護部２１の内面側に頭部保護具用インナー１００の本体布部１１０を形成する前頭布部１１１が配設し、後頭部側を保護する後頭保護部３１の内側に頭部保護具用インナー１００の後頭布部１１３が配設し、また、左右の側頭部側を保護する左右の２２Ｒ，２２Ｌの内面側に頭部保護具用インナー１００の左右の側布部１２０Ｒ，１２０Ｌが配設し、頭部に触れる内面側が頭部保護具用インナー１００により覆われる。
【０１５２】
したがって、頭部保護具１の内面側では頭部保護具用インナー１００の本体布部１１０及び左右の側布部１２０Ｒ，１２０Ｌが頭部に触れるから、頭部保護具用インナー１００の本体布部１１０及び左右の側布部１２０Ｒ，１２０Ｌで頭部の汗や脂を受けることができる。よって、頭部保護具１が頭部の汗や脂により汚れるのを防止できる。特に、本体布部１１０及び左右の側布部１２０Ｒ，１２０Ｌが吸湿性・吸水性の素材であると、人体の汗等を吸収して湿気の上昇を防止でき、汗による不快感を緩和できる。このため、蒸れを軽減できて頭部での汗疹、皮膚炎等の炎症を防止でき、頭部保護具１の快適な装着を可能とする。また、洗濯等によって清潔な布と交換することで、衛生さを保つことができる。一方、冬場では、例えば、起毛等の保温性の素材からなる本体布部１１０及び左右の側布部１２０Ｒ，１２０Ｌと交換して、その保温効果により快適な装着を可能とする。また、厚みを異にする数種類の頭部保護具用インナー１００を用意しておくことで、頭部保護具用インナー１００の厚みで頭部保護具１の内周のサイズを調節することも可能であり、頭部保護具用インナー１００の厚みの選択により、頭部にフィットした快適な装着を可能とする。その他にも、例えば、緩衝作用を有する素材の使用により、衝撃吸収性を高めることも可能である。
【０１５３】
特に、本実施の形態１の頭部保護具用インナー１００では、それを構成する本体布部１１０及び左右の側布部１２０Ｒ，１２０Ｌの全体がＴ字状に形成されており、本体布部１１０の長手方向の一端側に形成された前頭布部１１１から幅方向の両側に延びた左右の側布部１２０Ｒ，１２０Ｌが、頭部保護具１の左右の側頭保護部２２Ｒ、２２Ｌに対して、その内面側及び外面側の周囲に取付けられている。また、前頭布部１１１側とは反対側の本体布部１１０の長手方向の他端側に形成された後頭布部１１３が、その裏面側に形成した袋状の本体布取付部１３０によって、頭部保護具１の後頭保護部３１に対して、その内面側及び外面側の周囲に取付けられている。しかも、本体布取付部１３０が袋状であり、その袋の中に後頭保護部３１を挿入しているから、後頭保護部３１を袋状の本体布取付部１３０から抜き出さない限り、後頭保護部３１から後頭布部１１３を外すことができない。そのうえ、図１６に示すように、頭部保護具１では、後頭保護部３１の左右の両側で、左右の側頭保護部２２Ｒ、２２Ｌが内側に折曲げられた状態で１対の面ファスナ４１ａＲ，４１ａＬと面ファスナ４１ｂの接合により左右の側頭保護部２２Ｒ、２２Ｌと接合し、後頭保護部３１と左右の側頭保護部２２Ｒ、２２Ｌとの間に本体布取付部１３０の取付布部１３２が介在するから、１対の面ファスナ４１ａＲ，４１ａＬと面ファスナ４１ｂの接合状態では、後頭布部１１３が後頭保護部３１から外れる（脱落する）こともない。
【０１５４】
よって、本実施の形態１の頭部保護具用インナー１００によれば、頭部保護具１から離脱したり位置ずれが生じたりすることもなく、その取付状態を堅固に維持できる。即ち、頭部の動きに追従する位置ずれや撚れ等が生じ難く、違和感も生じ難い。また、運動によって頭部から落ちることもないし、頭部保護具１に頭部保護具用インナー１００が取付けられるから頭部に被せた頭部保護具１を脱いだときでも、頭部保護具用インナー１００のみが頭部に残り体裁を悪くするようなこともない。
【０１５５】
そして、このように頭部保護具用インナー１００は頭部保護具１に対して着脱自在であるから、頭部保護具用インナー１００を洗濯によって清潔に保つことが可能であり、衛生さを保つことができる。よって、頭部保護具１の快適な装着を可能とする。勿論、新品と交換したり、素材、色等の異なる頭部保護具用インナー１００と交換したりすることもできる。
また、本実施の形態１の頭部保護具用インナー１００では、取付布部１３２を後頭本体布部１３１の表面（Ｆ）側への反転によりリバーシブル使用を可能とする。
【０１５６】
更に、本実施の形態１の頭部保護具用インナー１００によれば、頭部保護具１の左右の側頭保護部２２Ｒ、２２Ｌの周囲への左右の側布部１２０Ｒ，１２０Ｌの取付けにより、頭部保護具１の左右の側頭保護部２２Ｒ、２２Ｌの外面側には左右の側布部１２０Ｒ，１２０Ｌの１対の接続側布部１２２ａＲ，１２２ｂＲ，１対の接続側布部１２２ａＬ，１２２ｂＬが表出する。また、頭部保護具１の後頭保護部３１の周囲への後頭布部１１３の取付けにより、後頭保護部３１の外面側には、後頭布部１１３の取付布部１３２が表出する。
【０１５７】
したがって、本実施の形態１の頭部保護具用インナー１００によれば、頭部保護具１の意匠に干渉するから、柄や素材の選択により、頭部保護具１に対して装飾性、意匠性、ファッション性を付与できる。また、柄や素材の組み合わせで外出時のおしゃれを楽しむことができるようにもなる。
【０１５８】
ここで、上述したように頭部保護具用インナー１００の取付対象の一例である図３乃至図１０に示した頭部保護具１によれば、頭頂保護部１０を形成する帯状部材１０ａ，１０ｂ，１０ｃの長手方向の一端側に接続している前頭保護部２１の両側に、帯状部材１０ａ，１０ｂ，１０ｃの長手方向に対して直角方向に配設する左右の側頭保護部２２Ｒ、２２Ｌが形成され、立体的な組立状態では、左右の側頭保護部２２Ｒ、２２Ｌと頭頂保護部１０との間に開口１３が形成されるものである。
【０１５９】
よって、頭部保護具１の立体的な組立状態でも、即ち、即ち、頭部保護具１の側頭保護部２２Ｒ，２２Ｌが頭頂保護部１０の帯状部材１０ａ，１０ｂ，１０ｃの長手方向に対して垂直方向に位置した状態でも、左右の側頭保護部２２Ｒ、２２Ｌと頭頂保護部１０との間の開口１３に左右の側布部１２０Ｒ，１２０Ｌの接続側布部１２２ａＲ，１２２ａＬを通し、頭部保護具１の左右の側頭保護部２２Ｒ、２２Ｌに対して、その内面側及び外面側の周囲に、頭部保護具用インナー１００の左右の側布部１２０Ｒ，１２０Ｌを巻いて、左右の側布部１２０Ｒ，１２０Ｌにおいて対向する２辺の両側を１対の面ファスナ１２３ａＲ及び面ファスナ１２３ｂＲ、１対の面ファスナ１２３ａＬ及び面ファスナ１２３ｂＬにより接合することで、頭部保護具用インナー１００の左右の側布部１２０Ｒ，１２０Ｌを取付けることができる。
【０１６０】
特に、本実施の形態１では、本体布部１１０及び左右の側布部１２０Ｒ，１２０ＬをＴ字状に形成し、本体布部１１０の一端側に位置する前頭布部１１１の両側に左右の側布部１２０Ｒ，１２０Ｌを延設しているから、本体布部１１０を構成している中央側の頭頂布部１１２と左右の側布部１２０Ｒ，１２０Ｌは互いに直接的に繋がることなく切り離されている。即ち、本体布部１１０の長手方向において頭頂布部１１２に隣接する前頭布部１１１の左右両側で左右の側布部１２０Ｒ，１２０Ｌが接続し、頭頂布部１１２の左右両側で左右の側布部１２０Ｒ，１２０Ｌが接続しないから、頭部保護具用インナー１００を図３乃至図１０に示した頭部保護具１に取付けて頭部形状に対応する立体形状に組立てたときに、頭部保護具１の左右の側頭保護部２２Ｒ、２２Ｌと頭頂保護部１０の間の開口１３が頭部保護具用インナー１００で覆われることなく、開口１３を生かした空気の流通（通気性）を確保できる。
【０１６１】
ところで、上記実施の形態１では、本体布部１１０及び左右の側布部１２０Ｒ，１２０Ｌを形成する布が多少の通気性を有するものであれば、頭部保護具１の頭頂保護部１０を形成している複数の帯状部材１０ａ，１０ｂ，１０ｃ間の開口１２を覆っている場合でも開口１２から空気の流通を許容する。
しかし、本発明を実施する場合には、頭部保護具１の開口１２に対応して、本体布部１１０に開口を形成し、頭部保護具１の開口１２の通気性を生かすようにしてもよい。
【０１６２】
例えば、頭頂保護部１０を形成している複数の帯状部材１０ａ，１０ｂ，１０ｃ間で帯状部材１０ａ，１０ｂ，１０ｃの長手方向に延びる開口１２、即ち、前頭部側から頭頂部側を通って後頭部側に連続する開口１２が形成された図３乃至図１０に示した頭部保護具１への適用では、上記実施の形態１の変形例に係る頭部保護具用インナー１００として、図２２乃至図２４に示すように、本体布部１１０の長手方向に沿う複数のスリット１６１Ａ，１６１Ｂを形成して、頭部保護具１の開口１２に対応させることができる。
【０１６３】
図２２乃至図２４に示す変形例に係る頭部保護具用インナー１００では、図３乃至図１０に示した頭部保護具１の頭頂保護部１０を形成している複数の帯状部材１０ａ，１０ｂ，１０ｃ間で帯状部材１０ａ，１０ｂ，１０ｃの長手方向に延びる２つの開口１２に対応させる２つのスリット１６１Ａ，１６１Ｂが本体布部１１０の頭頂布部１１２の長手方向に沿って形成されている。
【０１６４】
変形例では、２つのスリット１６１Ａ，１６１Ｂは略コ字状に形成され、コ字状の開放側を互いに対向させている。そして、頭頂布部１１２において、互いに対向させたコ字状のスリット１６１Ａ，１６１Ｂ間に囲まれた位置であって、一方のスリット１６１Ａ側の近傍に、面ファスナ１６２ａが取付けられ、また、他方のスリット１６１Ｂ側の近傍に、面ファスナ１６２ａに対応する面ファスナ１６２ｂが取付けられている。そして、これら１対の面ファスナ１６２ａ及び面ファスナ１６２ｂは、互いに表裏に設けられている。なお、図２２乃至図２４では、面ファスナ１６２ａが本体布部１１０の裏面（Ｂ）側に配設し、面ファスナ１６２ｂが本体布部１１０の表面側に配設している。
また、このようなスリット１６１Ａ，１６１Ｂが形成された頭頂布部１１２では、布の端部の解れを防止し、強度を確保するため、スリット１６１Ａ，１６１Ｂのコ字状に沿って布端にパインピング１６３を施している。
【０１６５】
このように、変形例に係る頭部保護具用インナー１００では、本体布部１１０の頭頂布部１１２に、コ字状のスリット１６１Ａ，１６１Ｂをそのコ字形状の開放側を互いに対向させて形成し、頭頂布部１１２のコ字状のスリット１６１Ａ，１６１Ｂ間に位置する中間布部１１２Ａにおいて対向する２辺の両側に１対の面ファスナ１６２ａ及び面ファスナ１６２ｂを設けている。したがって、図２３及び図２４で示すように、頭頂布部１１２のコ字状のスリット１６１Ａ，１６１Ｂ間に位置する中間布部１１２Ａを頭部保護具１において頭頂保護部１０の中央に位置する帯状部材１０ｂの内面側から外面側の周囲に巻いて、１対の面ファスナ１６２ａ及び面ファスナ１６２ｂを接合することで、頭頂保護部１０の中央に位置する帯状部材１０ｂの内面側及び外面側の周囲に頭頂布部１１２の中間布部１１２Ａを取付けることができる。
【０１６６】
そして、変形例に係る頭部保護具用インナー１００によれば、頭頂保護部１０を形成している帯状部材１０ａ，１０ｂ，１０ｃ間の開口１２に対応させる頭頂布部１１２の長手方向に連続するスリット１６１Ａ，１６１Ｂの形成により、帯状部材１０ａ，１０ｂ，１０ｃ間の開口１２を頭頂布部１１２が覆うことなく、頭部保護具１の帯状部材１０ａ，１０ｂ，１０ｃ間の開口１２の通気性を生かすことができる。また、頭頂布部１１２でのスリット１６１Ａ，１６１Ｂの形成により、頭部の圧迫による布の突っ張り感が生じ難くて頭部形状への馴染みが良く、頭部の頭頂部の形状に対応したフィット性を得ることができる。
【０１６７】
特に、頭頂布部１１２のコ字状のスリット１６１Ａ，１６１Ｂ間に位置する中間布部１１２Ａを頭部保護具１の帯状部材１０ｂの周囲に取付けるから、頭頂布部１１２にスリット１６１Ａ，１６１Ｂを形成しても、スリット１６１Ａ，１６１Ｂ間に位置する中間布部１１２Ａの位置ずれ、撚れ等が生じず、頭部に違和感を生じさせ難い。
【０１６８】
しかし、本発明を実施する場合には、スリット１６１Ａ，１６１Ｂをコ字状に形成して、スリット１６１Ａ，１６１Ｂ間に位置する中間布部１１２Ａを頭部保護具１の帯状部材１０ｂの周囲に取付ける形態に限定されることなく、頭部保護具１の帯状部材１０ａ，１０ｂ，１０ｃ間の開口１２に対応する直線状にスリット１６１Ａ，１６１Ｂを設ける構成のみとしてもよい。
【０１６９】
以上説明したように、本実施の形態１に係る頭部保護具用インナー１００は、頭部を保護する頭部保護具１の人体の頭部の前頭部側から頭頂部側を通って後頭部側まで対応させる位置、即ち、頭部保護具１の前頭保護部２１、頭頂保護部１０及び後頭保護部３１の内面側に配設させる長尺状の本体布部１１０と、本体布部１１０の長手方向に対して直角な幅方向の左右両側に延びて、頭部保護具１の人体の左右の側頭部側に対応させる位置、即ち、頭部保護具１の左右の側頭保護部２２Ｒ，２２Ｌの内面側に配設させる左右の側布部１２０Ｒ，１２０Ｌと、本体布部１１０の長さ方向の一端部側に設けられ、本体布部１１０の長さ方向の一端部側を頭部保護具１の人体の後頭部側に対応させる位置、即ち、頭部保護具１の後頭保護部３１に対してその内面側及び外面側の周囲を覆うように取付自在とする袋状に形成した本体布取付部１３０と、各左右の側布部１２０Ｒ，１２０Ｌを頭部保護具１の人体の左右の側頭部側に対応する位置、即ち、頭部保護具１の左右の側頭保護部２２Ｒ，２２Ｌに対してその内面側及び外面側の周囲を覆うように取付自在とする、各左右の側布部１２０Ｒ，１２０Ｌの上下両側に形成された１対の接続側布部１２２ａＲ，１２２ｂＲ、１対の接続側布部１２２ａＬ，１２２ｂＬ及びそれに設けた１対の面ファスナ１２３ａＬ及び面ファスナ１２３ｂＬ、１対の面ファスナ１２３ａＬ及び面ファスナ１２３ｂＬからなる側布取付部１４０とを具備するものである。
【０１７０】
このように、本実施の形態１に係る頭部保護具用インナー１００によれば、本体布部１１０の長さ方向に対して直角な幅方向の両側から左右に突設した左右の側布部１２０Ｒ，１２０Ｌに設けた１対の面ファスナ１２３ａＲ及び面ファスナ１２３ｂＲ、１対の面ファスナ１２３ａＬ及び面ファスナ１２３ｂＬの接合によって、左右の側布部１２０Ｒ，１２０Ｌの互いに対向する２辺の両側が接続されるから、頭部保護具１の左右の側頭部側に対応させる位置、即ち、頭部保護具１の左右の側頭保護部２２Ｒ，２２Ｌに対してその周囲に左右の側布部１２０Ｒ，１２０Ｌを取付自在である。
【０１７１】
また、頭部保護具１の後頭保護部３１の内面側及び外面側の周囲を覆うように袋状に形成した本体布取付部１３０によって、本体布部１１０の長さ方向の一端部の後頭布部１１３を後頭部側に対応する位置、即ち、頭部保護具１の後頭保護部３１に取付自在である。
【０１７２】
よって、頭部保護具１に対して着脱自在に取付けることができ、長尺状の本体布部１１０及びその長手方向に対して直角な幅方向の両側に突出形成した左右の側布部１２０Ｒ，１２０Ｌによって頭部保護具１の内面側を覆うから、頭部からの汗や脂で頭部保護具１が汚れるのを防止できる。
【０１７３】
頭部保護具１への取付けによって頭部保護具用インナー１００が頭部からの汗や脂を受けることになるが、頭部保護具用インナー１００が頭部保護具１に対して着脱自在であり、清潔な布と交換できるから、頭部からの汗や脂によって悪臭を放つこともない。また、頭部保護具１を長時間着用する場合でも、清潔な布との交換により、湿気によるべたつきや、蒸れや細菌の繁殖による皮膚の痒み等の不快感を軽減でき、快適さを維持できる。
【０１７４】
特に、頭部保護具用インナー１００の本体布部１１０及び左右の側布部１２０Ｒ，１２０Ｌが吸湿・吸水性の布であれば、汗を速やかに吸収するため、湿気の上昇が防止され蒸れを著しく軽減でき、また、皮膚の炎症も防止できる。また、汗を吸収した吸湿・吸水性の布は、清潔な布との交換により、頭部に不快感を与えない。なお、吸湿性・吸水性の布地とは、気体の汗（水蒸気）や液体の汗を吸収できる性質を有するものであればよく、具体的には、綿（コットン）や、リネンや、リヨセル、レーヨン、キュプラ等の再生繊維や、絹や、羊毛等の素材が使用される。また、ポリエステルやナイロン等の合成繊維で、吸湿・吸水性を高めた素材を使用してもよい。特に、洗濯の丸洗いが可能な素材が好ましくは、更に、パイル地（タオル状の布地）やガーゼ地が吸湿性・吸水性に優れる点で好ましい。その他にも、本発明を実施する場合には、保温機能や発熱機能を持たせた生地を採用してもよいし、接触冷感機能を持たせた生地を採用してもよいし、ＵＶカット・遮熱機能を持たせた生地を使用しても良い。
更に、冬場では、保温性の布と交換すれば、保温効果により防寒対策になる。また、緩衝性の高い布であれば、衝撃を吸収する緩衝効果を高めることができるし、厚みがある布であれば、頭部保護具１のサイズ調節として使用できる。
したがって、頭部保護具１への頭部保護具用インナー１００の取付けにより頭部保護具１を快適に使用できる。
【０１７５】
また、本実施の形態１に係る頭部保護具用インナー１００によれば、本体布部１１０の長手方向に対して直角方向の左右に突設した左右の側布部１２０Ｒ，１２０Ｌが取付対象である頭部保護具１の人体の左右の側頭部側に対応する位置、即ち、頭部保護具１において左右の側頭保護部２２Ｒ，２２Ｌの周囲に取付けられ、更に、本体布部１１０の長さ方向の一端部側が本体布取付部１３０によって頭部保護具１において人体の後頭部側に対応させる位置、即ち、頭部保護具１の後頭保護部３１の周囲に取付けられることから、頭部の動きによって位置ずれ、離脱等が生じ難く、頭部に対し、位置ずれや離脱等による違和感を生じさせ難い。
【０１７６】
こうして、本実施の形態１に係る頭部保護具用インナー１００によれば、頭部保護具１に容易に着脱可能で、頭部保護具１の快適な装着を可能とする。
【０１７７】
また、本実施の形態１に係る頭部保護具用インナー１００では、本体布部１１０の長さ方向の一端側の後頭布部１１３において、後頭布部１１３が後頭本布部１３１及びその裏面（Ｂ）側で後頭本布部１３１の端部の３辺に接続する取付布部１３２により構成され、本体布部１１０の長さ方向の一端側の端部を閉じるように袋状の本体布取付部１３０が形成されている。即ち、本実施の形態１に係る頭部保護具用インナー１００の本体布取付部１３０は、本体布部１１０の長さ方向の一端側の端部を閉じるように袋状に形成されてなるものである。
【０１７８】
したがって、図３乃至図１０に示した頭部保護具１のように、人体の側頭部側に対応させる位置、即ち、頭部保護具１の左右の側頭保護部２２Ｒ，２２Ｌと、人体の後頭部側に対応させる位置、即ち、頭部保護具１の後頭保護部３１とが接合及び分離自在に形成されて立体的に組立自在な頭部保護具１に対しては、その左右の側頭保護部２２Ｒ，２２Ｌと後頭保護部３１との分離状態で、袋状の本体布取付部１３０の中に後頭保護部３１を収容して後頭保護部３１の周囲に被せることで、本体布部１１０の長さ方向の一端部の後頭布部１１３を取付けることができる。
【０１７９】
こうして、頭部保護具１の後頭保護部３１に対して本体布部１１０の長さ方向の一端部の後頭布部１１３の取付けを接合具等の部品を使用せずに行えるから、部品数を少なくしてコスト削減や製造の容易化を図ることができる。また、接合具では繰り返しの洗濯で布から外れやすくなったり、洗濯の際に糸屑等が巻き付いて係合性が低下したり糸屑の除去作業の手間を生じさせたりすることもある。接合具が金具、プラスチック製であると壁面等への衝突時に頭部を圧迫する恐れもある。しかし、本体布部１１０の長さ方向の一端部に形成された袋状の本体布取付部１３０に頭部保護具１の後頭保護部３１を入れて被せるように取付けるものでは、そのような不具合を生じることもない。更に、取付操作、取付方法も簡単で分かり易い。
【０１８０】
また、本実施の形態１に係る頭部保護具用インナー１００では、左右の側布部１２０Ｒ，１２０Ｌを構成する本体側布部１２１Ｒ，１２１Ｌの上下方向に１対の接続側布部１２２ａＲ，１２２ｂＲ、１対の接続側布部１２２ａＬ，１２２ｂＬを延設し、その１対の接続側布部１２２ａＲ，１２２ｂＲ、１対の接続側布部１２２ａＬ，１２２ｂＬに雄部材と雌部材からなる接合具としての１対の面ファスナ１２３ａＬ及び面ファスナ１２３ｂＬ、１対の面ファスナ１２３ａＬ及び面ファスナ１２３ｂＬを設けることによって、雄部材と雌部材からなる接合具としての１対の面ファスナ１２３ａＬ及び面ファスナ１２３ｂＬ、１対の面ファスナ１２３ａＬ及び面ファスナ１２３ｂＬにより各左右の側布部１２０Ｒ，１２０Ｌにおいてその上下方向を接続自在に構成されてなる。即ち、各左右の側布部１２０Ｒ，１２０Ｌに設けられ、各左右の側布部１２０Ｒ，１２０Ｌを頭部保護具１の左右の側頭部側に対応する位置、即ち、頭部保護具１の左右の側頭保護部２２Ｒ，２２Ｌに対してその内面側及び外面側の周囲を覆うように取付自在とする側布取付部１４０が、雄部材と雌部材からなる接合具としての１対の面ファスナ１２３ａＬ及び面ファスナ１２３ｂＬ、１対の面ファスナ１２３ａＬ及び面ファスナ１２３ｂＬにより各左右の側布部１２０Ｒ，１２０Ｌにおいてその上下方向を接続自在に構成されてなる。
【０１８１】
したがって、図３乃至図１０に示した頭部保護具１のように、側頭部側に対応させる位置、即ち、頭部保護具１の左右の側頭保護部２２Ｒ，２２Ｌと、後頭部側に対応させる位置、即ち、頭部保護具１の後頭保護部３１とが接合及び分離自在に形成されて立体的に組立自在な頭部保護具１に対しては、その左右の側頭保護部２２Ｒ，２２Ｌと後頭保護部３１との分離状態及び組立状態の何れでも、各左右の側布部１２０Ｒ，１２０Ｌを取付けることができる。即ち、頭部保護具１の後頭保護部３１とが接合及び分離自在に形成されて立体的に組立自在な頭部保護具１に限定されず、取付対象が頭頂部側に対応させる位置（トップクラウン側）に開口を形成している頭部保護具１であればその開口に各左右の側布部１２０Ｒ，１２０Ｌの接続側布部１２２ａＲ，１２２ａＬを通して、頭部保護具１の側頭保護部２２Ｒ，２２Ｌの内面側及び外面側の周囲に左右の側布部１２０Ｒ，１２０を巻いて取付けることができ、取付可能な頭部保護具１の選択範囲が広い。
【０１８２】
加えて、本実施の形態１に係る頭部保護具用インナー１００によれば、本体布部１１０の長手方向に対して幅方向の両側に突設する左右の側布部１２０Ｒ，１２０が、本体布部１１１の長手方向の一端側の前頭布部１１１の左右の両側に形成されており、本体布部１１０と左右の側布部１２０Ｒ，１２０ＬとがＴ字状に一体に形成されている。つまり、左右の側布部１２０Ｒ，１２０が本体布部１１０の中央側に形成される頭頂布部１１２とは切り離されていることになる。
【０１８３】
したがって、取付対象である頭部保護具１において頭頂部側に対応させる位置、即ち、頭頂保護部１０と、左右の側頭部側に対応させる位置、即ち、左右の側頭保護部２２Ｒ，２２Ｌとの間に設けている開口１３を覆うことがない。よって、かかる頭部保護具１に頭部保護具用インナー１００を取付けたときでも、開口１３の通気性が生かされ熱がこもり難い。
【０１８４】
更に、本体布部１１０を構成する前頭布部１１１の左右両側に左右の側布部１２０Ｒ，１２０が突設して本体布部１１０及び左右の側布部１２０Ｒ，１２０がＴ字状に形成されている場合には、頭部保護具１の左右の側頭保護部２２Ｒ，２２Ｌの周囲に取付自在な左右の側布部１２０Ｒ，１２０に対して前頭布部１１１が連続しているから、頭部保護具１を頭部に被せる際に、前頭布部１１１が垂れ下がることもなく頭部保護具１側に定着し、また、前頭布部１１１の位置ずれも生じにくい。即ち、少ない部品数及び簡単な構造で頭部保護具１に対して、頭部保護具用インナー１００の全体を頭部保護具１側に定着することができる。
【０１８５】
そして、本実施の形態１の変形例に係る頭部保護具用インナー１００によれば、本体布部１１０の頭頂部側に対応させる頭頂布部１１２には、本体布部１１０の長手方向に沿った複数のスリット１６１Ａ，１６１Ｂが形成されているから、頭部の頭頂部側の通気性が向上する。また、スリット１６１Ａ，１６１Ｂにより頭部形状、頭部の動きに対応して頭頂布部１１２をフィットさせることができ、窮屈感を緩和して、フィット感、装着感の向上が可能である。
【０１８６】
［実施の形態２］
次に、本実施の形態２に係る頭部保護具用インナー２００について、図２５及び図２６を参照して説明する。
本実施の形態２に係る頭部保護具用インナー２００は、頭部保護具１の左右の側頭保護部２２Ｒ，２２Ｌの周囲に取付ける左右の側布部１２０Ｒ，１２０Ｌが本体布部１１０の長手方向に対して直角な幅方向で、本体布部１１０の長手方向の中央側に位置する頭頂布部１１２の左右両側に突設した点で実施の形態１と相違する。本体布部１１０の基本的な構成は上記実施の形態１と略同様であるから、ここでは、相違する点のみ説明する。
【０１８７】
図２５及び図２６に示した本実施の形態２に係る頭部保護具用インナー２００では、頭部保護具１の左右の側頭保護部２２Ｒ，２２Ｌの周囲に取付ける左右の側布部１２０Ｒ，１２０Ｌが、本体布部１１０の長手方向に対して直角な幅方向で頭頂布部１１２の両側から延びる２箇所の幅狭の連結部１７１Ｒ，１７１Ｌを介して、頭頂布部１１２に接続している。そして、このように、左右の側布部１２０Ｒ，１２０Ｌが、左右で各２箇所の幅狭の連結部１７１Ｒ，１７１Ｌを介して頭頂布部１１２に接続することで、頭頂布部１１２との間に所定の開口１７２Ｒ，１７２Ｌを形成している。
【０１８８】
ここで、本実施の形態２に係る左右の側布部１２０Ｒ，１２０Ｌは、本体布部１１０の長手方向に対して直角な幅方向で頭頂布部１１２の両側から延びる２箇所の幅狭の連結部１７１Ｒ，１７１Ｌを介して、本体布部１１０の長手方向に対して略直角な方向に延びる本体側布部１２１Ｒ，１２１Ｌと、本体布部１１０の長手方向に対して略直角な方向を左右方向としたとき、その左右方向に直角な上下方向（本体布部１１０の長手方向と同一方向）の一端側（前頭布部１１１側）で、本体側布部１２１Ｒ，１２１Ｌから突出する接続側布部１２４ａＲ，１２４ａＬとから構成されている。
【０１８９】
そして、本体布部１１０の長手方向に対して直角な方向に延びる本体側布部１２１の先端部には、その裏面（Ｂ）側に面ファスナ１２３ｂＲ, １２３ｂＬが取付けられている。また、それと反対側の開口１７２Ｒ，１７２Ｌ側の端部には、その表面（Ｆ）側に、面ファスナ１２３ｂＲ, １２３ｂＬに対応するに面ファスナ１２３ａＲ, １２３ａＬが取付けられている。即ち、本実施の形態２に係る左右の側布部１２０Ｒ，１２０Ｌにおいても、本体布部１１０の長手方向に対して直角な方向で対向する２辺の両側に１対の面ファスナ１２３ａＲ及び面ファスナ１２３ｂＲ、１対の面ファスナ１２３ａＬ及び面ファスナ１２３ｂＬが取付けられている。なお、本体側布部１２１Ｒ，１２１Ｌは、取付対象である後述の頭部保護具１の側頭保護部２２Ｒ，２２Ｌの内面側から外面側に巻ける大きさに設計されている。
【０１９０】
このような構成の本実施の形態２に係る右側布部１２０Ｒによれば、頭部保護具１の組立状態で、頭部保護具１の右側頭保護部２２Ｒに対してその内側及び外側の周囲に本体側布部１２１Ｒを巻いて、面ファスナ１２３ｂＲが取付けられた先端側を開口１７２Ｒに通して、本体布部１１０の長手方向に対して直角な方向に延びる本体側布部１２１Ｒの先端部側と、それと反対側の開口側１７２Ｒの端部側との対向する２辺の両側を重ね合わせ、１対の面ファスナ１２３ａＲ及び面ファスナ１２３ｂＲを接合することで、頭部保護具１の右側頭保護部２２Ｒの周囲に巻いた状態で固定して取付けることができる。
【０１９１】
同様に、本実施の形態２に係る左側布部１２０Ｌにおいても、頭部保護具１の組立状態で、頭部保護具１の左側頭保護部２２Ｌに対してその内側及び外側の周囲に本体側布部１２１Ｌを巻いて、面ファスナ１２３ｂＬが取付けられた先端側を開口１７２Ｌに通して、本体布部１１０の長手方向に対して直角な方向に延びる本体側布部１２１Ｌの先端部側と、それとは反対側の開口側１７２Ｌの端部側との対向する２辺の両側を重ね合わせ、１対の面ファスナ１２３ａＬ及び面ファスナ１２３ｂＬを接合することで、頭部保護具１の左側頭保護部２２Ｌの周囲に巻いた状態で固定して取付けることができる。
【０１９２】
即ち、上述の図３乃至図１０に示した頭部保護具１の立体的な組立状態では、左右の側頭保護部２２Ｒ、２２Ｌと頭頂保護部１０との間に開口１３が形成されているから、その開口１３に左右の側布部１２０Ｒ，１２０Ｌの本体側布部１２１Ｒ，１２１Ｌを通し、頭部保護具１の左右の側頭保護部２２Ｒ、２２Ｌに対して、その内面側及び外面側の周囲に、頭部保護具用インナー２００の左右の側布部１２０Ｒ，１２０Ｌを巻いて、左右の側布部１２０Ｒ，１２０Ｌにおいて対向する２辺の両側を１対の面ファスナ１２３ａＲ及び面ファスナ１２３ｂＲ、１対の面ファスナ１２３ａＬ及び面ファスナ１２３ｂＬにより接合することで、頭部保護具用インナー２００の左右の側布部１２０Ｒ，１２０Ｌを取付けることができる。
【０１９３】
特に、本実施の形態２では、左右の側布部１２０Ｒ，１２０Ｌにおいて、頭頂布部１１２との間に所定の開口１７２Ｒ，１７２Ｌを形成しているから、頭部保護具１における左右の側頭保護部２２Ｒ、２２Ｌと頭頂保護部１０との間の開口１３の通気性を生かすことができる。このとき、各２箇所の幅狭の連結部１７１Ｒ，１７１Ｌの構成は、強度的に耐えられる構成であればよい。しかし、本発明を実施する場合、開口１７２Ｒ，１７２Ｌを省略してもよい。
【０１９４】
更に、本実施の形態２では、本体側布部１２１Ｒ，１２１Ｌの幅方向の一端側で本体布部１１０の長手方向と同一方向に接続側布部１２４ａＲ，１２４ａが延びて、その表面（Ｆ）側で面ファスナ１２５ａＲ, １２５ａＬが取付けられている。また、本体布部１１０の長さ方向に対して直角方向で前頭布部１１１の左右両側に、その裏面（Ｂ）側で、面ファスナ１２５ａＲ, １２５ａＬに対応する面ファスナ１２５ｂＲ, １２５ｂＬが取付けられている。
【０１９５】
これより、立体的な組立状態にある頭部保護具１の側頭保護部２２Ｒ，２２Ｌの周囲に取付ける本体側布部１２１Ｒ，１２１Ｌから突出した接続側布部１２４ａＲ，１２４ａと、頭部保護具１の前頭保護部２１の内面側に配設させる前頭布部１１１とが接続し、接続側布部１２４ａＲ，１２４ａＬに設けた面ファスナ１２５ａＲ, １２５ａＬと、前頭布部１１１に設けた面ファスナ１２５ｂＲ, １２５ｂＬとの接合によって、前頭布部１１１と本体側布部１２１Ｒ，１２１Ｌが一体に連続する。したがって、頭部保護具１を頭部に被せる際に、前頭布部１１１が垂れ下がることもなく頭部保護具１側に定着し、また、前頭布部１１１の位置ずれも生じにくく、頭部保護具用インナー２００の全体を頭部保護具１側に定着することができる。
【０１９６】
このように、本実施の形態２に係る頭部保護具用インナー２００も、人体の頭部を保護する頭部保護具１の人体の頭部の前頭部側から頭頂部側を通って後頭部側まで対応させる位置、即ち、頭部保護具１の前頭保護部２１、頭頂保護部１０及び後頭保護部３１の内面側に配設させる長尺状の本体布部１１０と、本体布部１１０の長手方向に対して直角な幅方向の左右両側に延びて、頭部保護具１の人体の左右の側頭部側に対応させる位置、即ち、頭部保護具１の左右の側頭保護部２２Ｒ，２２Ｌの内面側に配設させる左右の側布部１２０Ｒ，１２０Ｌと、本体布部１１０の長さ方向の一端部側に設けられ、本体布部１１０の長さ方向の一端部側を頭部保護具１の人体の後頭部側に対応させる位置、即ち、頭部保護具１の後頭保護部３１に対してその内面側及び外面側の周囲を覆うように取付自在とする袋状に形成した本体布取付部１３０と、各左右の側布部１２０Ｒ，１２０Ｌを頭部保護具１の人体の左右の側頭部側に対応する位置、即ち、頭部保護具１の左右の側頭保護部２２Ｒ，２２Ｌに対してその内面側及び外面側の周囲を覆うように取付自在とする、雄部材と雌部材からなる接合具としての１対の面ファスナ１２３ａＬ及び面ファスナ１２３ｂＬ、１対の面ファスナ１２３ａＬ及び面ファスナ１２３ｂＬにより各左右の側布部１２０Ｒ，１２０Ｌにおいてその上下方向を接続自在に構成されてなる側布取付部１４０とを具備するものである。
【０１９７】
このような構成の本実施の形態２に係る頭部保護具用インナー２００では、上述の図３乃至図１０に示した頭部保護具１における側頭保護部２２Ｒ，２２Ｌの周囲に対しての本体側布部１２１Ｒ，１２１Ｌの取付けが、頭部保護具１の立体的な組立状態、即ち、頭部保護具１の側頭保護部２２Ｒ，２２Ｌが頭頂保護部１０の帯状部材１０ａ，１０ｂ，１０ｃの長手方向に対して垂直方向に位置した状態で行われることになるが、本実施の形態２に係る頭部保護具用インナー２００においても、上記実施の形態１と同様の効果を得ることができる。
【０１９８】
［実施の形態３］
次に、本実施の形態３に係る頭部保護具用インナー３００について、図２７及び図２８を参照して説明する。
本実施の形態３に係る頭部保護具用インナー３００は、頭部保護具１の左右の側頭保護部２２Ｒ，２２Ｌの周囲に取付ける左右の側布部１２０Ｒ，１２０Ｌが本体布部１１０の長手方向に対して直角な幅方向で、本体布部１１０の長手方向の一端側に位置する後頭布部１１３の左右両側に突設した点で実施の形態１と相違する。本体布部１１０の基本的な構成は上記実施の形態１と略同様であるから、ここでも、相違する点のみ説明する。
【０１９９】
図２７及び図２８に示した本実施の形態３に係る頭部保護具用インナー３００では、頭部保護具１の左右の側頭保護部２２Ｒ，２２Ｌの周囲に取付ける左右の側布部１２０Ｒ，１２０Ｌが、本体布部１１０の長手方向に対して直角な幅方向で後頭布部１１３の両側から連続して延びている。即ち、本実施の形態３では、左右の側布部１２０Ｒ，１２０Ｌが本体布部１１０の長さ方向に対して直角方向で、後頭布部１１３の左右両側に延設されている。
【０２００】
本実施の形態３の左右の側布部１２０Ｒ，１２０Ｌは、上記実施の形態１と同様に、本体布部１１０の長手方向に対して略直角方向に延びる本体側布部１２１Ｒ，１２１Ｌと、本体布部１１０の長手方向に対して略直角な方向を左右方向としたとき、その左右方向に直角な上下方向で本体側布部１２１Ｒ，１２１Ｌから突出形成した１対の接続側布部１２２ａＲ，１２２ｂＲ、１対の接続側布部１２２ａＬ，１２２ｂＬとから構成されており、本体側布部１２１Ｒ，１２１Ｌと１対の接続側布部１２２ａＲ，１２２ｂＲ、１対の接続側布部１２２ａＬ，１２２ｂＬとによって、取付対象である頭部保護具１の側頭保護部２２Ｒ，２２Ｌの内面側から外面側に巻ける大きさに設計されている。即ち、左右の側布部１２０Ｒ，１２０Ｌでは、本体布部１１０の一端部側に形成された後頭布部１１３と比較し、その本体布部１１０の長さ方向（上下方向）の大きさよりも幅広に形成されている。
【０２０１】
そして、本実施の形態３においても、各本体側布部１２１Ｒ，１２１Ｌの上下方向の両側に突出する１対の接続側布部１２２ａＲ，１２２ｂＲ，１対の接続側布部１２２ａＬ，１２２ｂＬには、１対の面ファスナ１２３ａＲ,１２３ｂＲ，１対の面ファスナ１２３ａＬ,１２３ｂＬが設けられている。
【０２０２】
即ち、本体布部１１０の長手方向に対して略直角方向に延びる右側布部１２０Ｒには、本体布部１１０の長手方向に対して略直角な方向を左右方向としたとき、その左右方向に直角な上下方向で１対の面ファスナ１２３ａＲ及び面ファスナ１２３ｂＲを設け、この１対の面ファスナ１２３ａＲ及び面ファスナ１２３ｂＲにより右側布部１２０Ｒの互いに上下方向で対向する２辺の両側を接合自在とする。
同様に、本体布部１１０の長手方向に対して略直角方向に延びる左側布部１２０Ｌには、本体布部１１０の長手方向に対して略直角な方向を左右方向としたとき、その左右方向に直角な上下方向で１対の面ファスナ１２３ａＬ及び面ファスナ１２３ｂＬを設け、この１対の面ファスナ１２３ａＬ及び面ファスナ１２３ｂＬにより左側布部１２０Ｌの互いに上下方向で対向する２辺の両側を接合自在とする。
【０２０３】
なお、本実施の形態３においても、１対の面ファスナ１２３ａＲ及び面ファスナ１２３ｂＲは、その一方が右側布部１２０Ｒの表面側に配置し、他方が裏面側に配置している。また、１対の面ファスナ１２３ａＲ及び面ファスナ１２３ｂＲも、互いに左側布部１２０Ｌの表裏面に配置している。
【０２０４】
このような構成によって、本実施の形態３においても、取付対象である頭部保護具１の左右の側頭保護部２２Ｒ，２２Ｌに対してその内側から外側の周囲に巻いて、各１対の接続側布部１２２ａＲと接続側布部１２２ｂＲ、１対の接続側布部１２２ａＬと接続側布部１２２ｂＬを重ね合わせ、各１対の接続側布部１２２ａＲと接続側布部１２２ｂＲ，１対の接続側布部１２２ａＬと接続側布部１２２ｂＬにおいて、対向する２辺の両側に設けた各１対の面ファスナ１２３ａＲ及び面ファスナ１２３ｂＲ，１対の面ファスナ１２３ａＬ及び面ファスナ１２３ｂＬを接合することで、頭部保護具１の右側頭保護部２２Ｒ，２２Ｌの周囲に巻いた状態で固定して取付けることができる。
【０２０５】
即ち、上述の図３乃至図１０に示した頭部保護具１の立体的な組立状態では、左右の側頭保護部２２Ｒ、２２Ｌと頭頂保護部１０との間に開口１３が形成されているから、その開口１３に左右の側布部１２０Ｒ，１２０Ｌの接続側布部１２２ａＲ，１２２ａＬを通し、頭部保護具１の左右の側頭保護部２２Ｒ、２２Ｌに対して、その内面側及び外面側の周囲に、頭部保護具用インナー３００の左右の側布部１２０Ｒ，１２０Ｌを巻いて、左右の側布部１２０Ｒ，１２０Ｌにおいて対向する２辺の両側を１対の面ファスナ１２３ａＲ及び面ファスナ１２３ｂＲ、１対の面ファスナ１２３ａＬ及び面ファスナ１２３ｂＬにより接合することで、頭部保護具用インナー３００の左右の側布部１２０Ｒ，１２０Ｌを取付けることができる。
【０２０６】
更に、本実施の形態３では、本体布部１１０の長手方向に対して直角な方向（左右方向）で、本体側布部１２１，１２１Ｒの表面（Ｆ）側の端部に面ファスナ１２５ａＲ, １２５ａＬが取付けられている。また、本体布部１１０の長さ方向に対して直角方向で前頭布部１１１の左右両側に、その裏面（Ｂ）側で、面ファスナ１２５ａＲ, １２５ａＬに対応する面ファスナ１２５ｂＲ, １２５ｂＬが取付けられている。
【０２０７】
これより、立体的な組立状態にある頭部保護具１の側頭保護部２２Ｒ，２２Ｌの周囲に取付ける頭部保護具用インナー３００の本体側布部１２１Ｒ，１２１Ｌと、頭部保護具１の前頭保護部２１の内面側に配設させる頭部保護具用インナー３００の前頭布部１１１とが、本体側布部１２１Ｒ，１２１Ｌに設けた面ファスナ１２５ａＲ, １２５ａＬと、前頭布部１１１に設けた面ファスナ１２５ｂＲ, １２５ｂＬとの接合によって、前頭布部１１１と本体側布部１２１Ｒ，１２１Ｌが一体に連続する。したがって、頭部保護具１を頭部に被せる際に、前頭布部１１１が垂れ下がることもなく頭部保護具１側に定着し、また、前頭布部１１１の位置ずれも生じにくく、頭部保護具用インナー３００の全体を頭部保護具１側に定着することができる。
【０２０８】
このように、本実施の形態３に係る頭部保護具用インナー３００も、人体の頭部を保護する頭部保護具１の人体の頭部の前頭部側から頭頂部側を通って後頭部側まで対応させる位置、即ち、頭部保護具１の前頭保護部２１、頭頂保護部１０及び後頭保護部３１の内面側に配設させる長尺状の本体布部１１０と、本体布部１１０の長手方向に対して直角な幅方向の左右両側に延びて、頭部保護具１の人体の左右の側頭部側に対応させる位置、即ち、頭部保護具１の左右の側頭保護部２２Ｒ，２２Ｌの内面側に配設させる左右の側布部１２０Ｒ，１２０Ｌと、本体布部１１０の長さ方向の一端部側に設けられ、本体布部１１０の長さ方向の一端部側を頭部保護具１の人体の後頭部側に対応させる位置、即ち、頭部保護具１の後頭保護部３１に対してその内面側及び外面側の周囲を覆うように取付自在とする袋状に形成した本体布取付部１３０と、各左右の側布部１２０Ｒ，１２０Ｌを頭部保護具１の人体の左右の側頭部側に対応する位置、即ち、頭部保護具１の左右の側頭保護部２２Ｒ，２２Ｌに対してその内面側及び外面側の周囲を覆うように取付自在とする各左右の側布部１２０Ｒ，１２０Ｌの上下両側に形成された１対の接続側布部１２２ａＲ，１２２ｂＲ、１対の接続側布部１２２ａＬ，１２２ｂＬ及びそれに設けた１対の面ファスナ１２３ａＬ及び面ファスナ１２３ｂＬ、１対の面ファスナ１２３ａＬ及び面ファスナ１２３ｂＬからなる側布取付部１４０とを具備するものである。
【０２０９】
このような構成の本実施の形態３に係る頭部保護具用インナー３００でも、上述の図３乃至図１０に示した頭部保護具１における側頭保護部２２Ｒ，２２Ｌの周囲に対しての本体側布部１２１Ｒ，１２１Ｌの取付けが、頭部保護具１の立体的な組立状態、即ち、頭部保護具１の側頭保護部２２Ｒ，２２Ｌが頭頂保護部１０の帯状部材１０ａ，１０ｂ，１０ｃの長手方向に対して垂直方向に位置した状態で行われることになるが、上記実施の形態１，２と同様の効果を得ることができる。
【０２１０】
［実施の形態４］
次に、本実施の形態４に係る頭部保護具用インナー４００について、図２９及び図３０を参照して説明する。
【０２１１】
上記実施の形態１乃至実施の形態３においては、図３乃至図１０に示した後頭保護部３１と側頭保護部２２Ｒ，２２Ｌとが接合及び分離自在に形成された頭部保護具１に適用するものとして、後頭保護部３１と側頭保護部２２Ｒ，２２Ｌの分離を前提に、頭部保護具１の後頭保護部３１と側頭保護部２２Ｒ，２２Ｌが分離された展開状態で、頭部保護具用インナー１００，２００，３００，４００の後頭布部１１３の裏面（Ｂ）側において袋状に形成した本体布取付部１３０に頭部保護具１の後頭保護部３１を収容することで、後頭保護部３１の周囲に本体布取付部１３０を装着する形態で説明したが、本発明を実施する場合には、後頭布部１１３を後頭保護部３１に取付ける形態は、上記に限定されるものではない。
【０２１２】
例えば、本実施の形態４に係る頭部保護具用インナー４００として、図２９及び図３０に示すように、後頭布部１１３を頭部保護具１の後頭保護部３１に取付けるために接合具としての１対の面ファスナ１５２ａＲ，１５２ｂＲ、１対の面ファスナ１５２ａＬ，１５２ｂＬを用いて取付けるようにしてもよい。
【０２１３】
図２９及び図３０に示す本実施の形態４に係る頭部保護具用インナー４００では、本体布部１１０の長手方向の一端側に位置する後頭布部１１３において、本体布部１１０の長手方向に対して直角な幅方向の左右両側で、外方向（頭頂布部１１２側）の斜めに向かって延びる帯状の上方接続布部１５１ｂＲ，１５１ｂＬと、本体布部１１０の長手方向の端部の左右両側で、外方向（本体布部１１０の長手方向と同一方向）に向かって延びる帯状の下方接続布部１５１ａＲ，１５１ａＬとを有する。
【０２１４】
そして、左右の上方接続布部１５１ｂＲ，１５１ｂＬには、その裏面側で、長手方向の端部に面ファスナ１５２ｂＲ，１５２ｂＬが取付けられ、また、左右の下方接続布部１５２Ｒには、その表面（Ｆ）側で、面ファスナ１５２ｂＲ，１５２ｂＬに対応する面ファスナ１５２ａＲ，１５２ａＬが取付けられている。
【０２１５】
即ち、本実施の形態３では、本体布部１１０の長さ方向の他端側に形成された後頭布部１１３が、後頭本体布部１３１及びその周囲の左右両側で外方向に突設した１対の上方接続布部１５１ｂＲ，１５１ｂＬ及び下方接続布部１５１ａＲ，１５１ａＬから構成され、そして、上方接続布部１５１ｂＲ，１５１ｂＬ、下方接続布部１５１ａＲ，１５１ａＬには、１対の面ファスナ１５２ｂＲ，１５２ｂＬ、面ファスナ１５２ａＲ，１５２ａＬが設けられており、図３０に示すように、後頭布部１１３の裏面側での１対の面ファスナ１５２ａＲ，１５２ａＬ，面ファスナ１５２ｂＲ，１５２ｂＬの接合により、頭部保護具１の後頭保護部３１の内面側及び外面側の周囲に取付自在な本体布取付部１３０を構成する。
【０２１６】
これにより、図３０に示すように、後頭保護部３１と左右の側頭保護部２２Ｒ、２２Ｌとが分離自在となっておらず、後頭保護部３１と左右の側頭保護部２２Ｒ、２２Ｌとが一体的に連続成形されている頭部保護具１に対しても、その後頭保護部３１の内面側に頭部保護具用インナー４００における後頭布部１１３の後頭本体布部１３１を配設し、そして、後頭保護部３１の外面側で１対の上方接続布部１５１ｂＲ，１５１ｂＬと、下方接続布部１５１ａＲ，１５１ａＬとを重ね合わせ、１対の面ファスナ１５２ａＲ，１５２ａＬ，面ファスナ１５２ｂＲ，１５２ｂＬを接合することで、後頭保護部３１の周囲に巻いた状態で固定して取付けることができる。
【０２１７】
即ち、図３０に示すように、後頭保護部３１と左右の側頭保護部２２Ｒ、２２Ｌとが一体的に連続成形されている頭部保護具１であっても、後頭保護部３１の上部側で頭頂保護部１０と左右の側頭保護部２２Ｒ、２２Ｌとの間で開口１３が形成されているから、その開口１３に頭部保護具用インナー４００の上方接続布部１５１ｂＲ，１５１ｂＬを通し、後頭保護部３１に対して、その内面側及び外面の周囲に、頭部保護具用インナー４００の後頭布部１１３の後頭本体布部１３１、上方接続布部１５１ａＲ，１５１ａＬ、下方接続布部１５１ｂＲ，１５１ｂＬを巻いて、１対の面ファスナ１５２ａＲ，１５２ａＬ，面ファスナ１５２ｂＲ，１５２ｂＬを接合することで、頭部保護具用インナー４００の後頭布部１１３を取付けることができる。
【０２１８】
このように、本実施の形態４係る頭部保護具用インナー４００も、人体の頭部を保護する頭部保護具１の人体の頭部の前頭部側から頭頂部側を通って後頭部側まで対応させる位置、即ち、頭部保護具１の前頭保護部２１、頭頂保護部１０及び後頭保護部３１の内面側に配設させる長尺状の本体布部１１０と、本体布部１１０の長手方向に対して直角な幅方向の左右両側に延びて、頭部保護具１の人体の左右の側頭部側に対応させる位置、即ち、頭部保護具１の左右の側頭保護部２２Ｒ，２２Ｌの内面側に配設させる左右の側布部１２０Ｒ，１２０Ｌと、本体布部１１０の長さ方向の一端部側に設けられ、本体布部１１０の長さ方向の一端部側を頭部保護具１の人体の後頭部側に対応させる位置、即ち、頭部保護具１の後頭保護部３１に対してその内面側及び外面側の周囲を覆うように取付自在とする、本体布部１１０の長さ方向の一端部でその上下、左右の両側に形成された一対の上方接続布部１５１ｂＲ，１５１ｂＬ、下方接続布部１５１ａＲ，１５１ａＬ及びそれに設けた１対の面ファスナ１５２ａＲ，１５２ａＬ，面ファスナ１５２ｂＲ，１５２ｂＬからなる本体布取付部１３０と、各左右の側布部１２０Ｒ，１２０Ｌを頭部保護具１の人体の左右の側頭部側に対応する位置、即ち、頭部保護具１の左右の側頭保護部２２Ｒ，２２Ｌに対してその内面側及び外面側の周囲を覆うように取付自在とする、各左右の側布部１２０Ｒ，１２０Ｌの上下両側に形成された１対の接続側布部１２２ａＲ，１２２ｂＲ、１対の接続側布部１２２ａＬ，１２２ｂＬ及びそれに設けた１対の面ファスナ１２３ａＬ及び面ファスナ１２３ｂＬ、１対の面ファスナ１２３ａＬ及び面ファスナ１２３ｂＬからなる側布取付部１４０とを具備するものである。
【０２１９】
特に、本実施の形態４に係る頭部保護具用インナー４００では、後頭布部１１３を構成する後頭本体布部１３１の上下方向に１対の一対の上方接続布部１５１ｂＲ，１５１ｂＬ、下方接続布部１５１ａＲ，１５１ａＬを延設し、その１対の一対の上方接続布部１５１ｂＲ，１５１ｂＬ、下方接続布部１５１ａＲ，１５１ａＬに雄部材と雌部材からなる接合具としての１１対の面ファスナ１５２ａＲ，１５２ａＬ，面ファスナ１５２ｂＲ，１５２ｂＬを設けることによって、雄部材と雌部材からなる接合具としての１対の面ファスナ１５２ａＲ，１５２ａＬ，面ファスナ１５２ｂＲ，１５２ｂＬにより後頭布部１１３においてその上下方向を接続自在に構成されてなる。即ち、本体布部１１０の一端部側である後頭布部１１３に設けられ、後頭布部１１３を頭部保護具１の後頭部側に対応する位置、即ち、頭部保護具１の後頭保護部３１に対してその内面側及び外面側の周囲を覆うように取付自在とする本体布取付部１３０が、雄部材と雌部材からなる接合具としての１対の面ファスナ１５２ａＲ，１５２ａＬ，面ファスナ１５２ｂＲ，１５２ｂＬにより後頭布部１１３においてその上下方向を接続自在に構成されてなる。
【０２２０】
このように本実施の形態４の本体布取付部１３０は、本体布部１１０の長手方向に対して直角な方向を左右方向とし、その左右方向に直角な方向を上下方向としたとき、後頭布部１１３の上下両側、かつ、左右両側で帯状の上方接続布部１５１ｂＲ，１５１ｂＬ及び下方接続布部１５１ａＲ，１５１ａＬを突設し、帯状の上方接続布部１５１ｂＲ，１５１ｂＬ及び下方接続布部１５１ａＲ，１５１ａＬに設けた１対の面ファスナ１５２ａＲ，１５２ａＬ，面ファスナ１５２ｂＲ，１５２ｂＬの係合によって、頭部保護具１の後頭保護部３１の内面側及び外面側の周囲に取付自在とするものである。
したがって、取付対象が頭頂部側に対応させる位置（トップクラウン側）に開口を形成している頭部保護具１であればその開口に上方接続布部１５１ｂＲ，１５１ｂＬを通して、後頭保護部３１の内面側及び外面側の周囲に後頭布部１１３の上方接続布部１５１ｂＲ，１５１ｂＬ及び下方接続布部１５１ａＲ，１５１ａＬを巻いて取付けることができる。即ち、上述の図３乃至図１０で示したように後頭保護部３１と左右の側頭保護部２２Ｒ、２２Ｌとで分離自在であって、後頭保護部３１及び左右の側頭保護部２２Ｒ、２２Ｌの１対の面ファスナ４１ａＲ，４１ａＬ及び面ファスナ４２ｂの接合により立体的に組立自在とされる頭部保護具１に取付対象が限定されることなく、頭部に被せる帽子状（ヘルメット状）に立体的に成形されているものであっても取付けることができ、取付可能な頭部保護具１の選択範囲が広い。
【０２２１】
また、上記実施の形態４では、頭部保護具１の後頭保護部３１の外面側で１対の面ファスナ１５２ａＲ及び面ファスナ１５２ｂＲ、１対の面ファスナ１５２ａＬ及び面ファスナ１２５ｂＬを接合するから、１対の面ファスナ１２３ａＲ及び面ファスナ１２３ｂＲ、１対の面ファスナ１２３ａＬ及び面ファスナ１２３ｂＬが頭部を圧迫したり、頭部に違和感を生じさせたりすることもない。
【０２２２】
そして、このような構成の本実施の形態４に係る頭部保護具用インナー４００でも、頭部保護具１の立体的な組立状態、即ち、頭部保護具１の側頭保護部２２Ｒ，２２Ｌが頭頂保護部１０の帯状部材１０ａ，１０ｂ，１０ｃの長手方向に対して垂直方向に位置した状態で行われることになるが、上記実施の形態１と同様の効果を得ることができる。
【０２２３】
更に、本発明を実施する場合には、後頭保護部３１の内面側及び外面側の周囲に後頭布部１１３を取付けることができれば、上記実施の形態１乃至実施の形態４の本体布取付部１３０の形態に限定されず、例えば、上記実施の形態４において、上方接続布部１５１ａＲと下方接続布部１５１ｂＬの接合、上方接続布部１５１ａＬと下方接続布部１５１ｂＬとの接合といったように左右を交差させる取付けであってもよい。また、本体布部１１０の長手方向に対して直角な幅方向の左右両側、かつ、上下両側に上方接続布部１５１ａＲ，１５１ａＬ、下方接続布部１５１ｂＲ，１５１ｂＬを設け、上方接続布部１５１ａＲと上方接続布部１５１ａＬの接合、下方接続布部１５１ｂＲと下方接続布部１５１ｂＬを接合して取付けるようにしてもよい。つまり、頭部保護具１のトップクラウン側の開口の位置に対応するように本体布取付部１３０の接合位置が適宜設定される。
【０２２４】
そして、上記実施の形態１乃至実施の形態４では、左右の側布部１２０Ｒ，１２０Ｌを頭部保護具１の左右の側頭保護部２２Ｒ、２２Ｌに取付けるための接合具として面ファスナを使用し、また、頭部保護具１の後頭保護部３１に対しても、面ファスナの使用により後頭布部１１３を取付ける説明をしたが、本発明を実施する場合には、面ファスナの接合に限定されることなく、例えば、ドット釦、ホック、ボタン及びループ、バックル等を使用してもよい。しかし、面ファスナであれば、転倒等したときでも頭を圧迫して怪我をさせるようなこともなく、安全性が高い。また、接合及びその解除の操作も極めて容易である。更に、１つの大きな面ファスナであれば、複数個取付けなくとも、接合位置が無段階で調節でき、接合具の取付けも容易である。
【０２２５】
また、本発明を実施する場合には、面ファスナ、ドット釦、ホック、ボタン及びループ、バックル等の接合具によって互いに対向する２辺の両側を接続自在とする構成に限定されることなく、接合具としてゴム等の弾性体を用い、ゴム等の弾性体で互いに対向する２辺の両側を接続して環状に形成した輪の中に、図３乃至図１０で示した頭部保護具１の左右の側頭保護部２２Ｒ、２２Ｌを通すことで、頭部保護具１を左右の側頭保護部２２Ｒ、２２の周囲に取付ける形態としてもよい。同様に、頭部保護具１の後頭保護部３１においてもゴム等の弾性体を使用して取付けてもよい。
【０２２６】
更に、上記説明では、図３乃至図１０で示したように後頭保護部３１と左右の側頭保護部２２Ｒ、２２Ｌとが分離自在に構成された頭部保護具１に対応させるために、袋状の本体布取付部１３０を後頭布部１１３に形成したものであるが、本発明を実施する場合には、例えば、前頭保護部２１と左右の側頭保護部２２Ｒ、２２Ｌとが分離自在に構成された頭部保後具１に取付ける場合には、袋状の本体布取付部１３０を前頭部布部１１１に形成し、袋状の本体布取付部１３０に前頭保護部２１を収容する構成としてもよい。即ち、本体布取付部１３０は本体布部１１０の長さ方向の一端側の前頭布部１１１側に設けてもよく、本体布取付部１３０によって前頭布部１１１を前頭保護部２１の内面側及び外面側の周囲に取付けるようにしてもよい。
【０２２７】
なお、上記実施の形態１乃至実施の形態４に係る頭部保護具用インナー１００，２００，３００，４００は、病気や身体に障害のある者の頭部を保護するための頭部保護具１への使用に限定されることなく、日常生活で頭部を損傷する可能性のある歩き始めの乳児の頭部に装着される頭部保護具や、或いは、スポーツ、競技時に頭部を保護するために人体の頭部に装着される頭部保護具等にも適用することが可能である。
【符号の説明】
【０２２８】
１    頭部保護具
１０  頭頂保護部
１０ａ，１０ｂ，１０ｃ  帯状部材
１２  開口
１３  開口
２０  前方保護部
２１  前頭保護部
２２Ｒ，２２Ｌ側頭保護部
３０  後方保護部
３１  後頭保護部
４１ａＲ，４１ａＬ  面ファスナ（接合具）
４１ｂＲ，４１ｂＬ  面ファスナ（接合具）
１００、２００、３００、４００  頭部保護具用インナー
１１０  本体布部
１２０Ｒ，１２０Ｌ  側布部
１３０  本体布取付部
１４０  側布取付部
１２３ａＲ，１２３ａＬ、１２３ｂＲ，１２３ｂＬ  面ファスナ（接合具）
１５２ａＲ，１５２ａＬ、１５２ｂＲ，１５３ｂＬ  面ファスナ（接合具）
１６１Ａ，１６１Ｂ  スリット
【図１】
2018178273.tif 000003
【図２】
2018178273.tif 000004
【図３】
2018178273.tif 000005
【図４】
2018178273.tif 000006
【図５】
2018178273.tif 000007
【図６】
2018178273.tif 000008
【図７】
2018178273.tif 000009
【図８】
2018178273.tif 000010
【図９】
2018178273.tif 000011
【図１０】
2018178273.tif 000012
【図１１】
2018178273.tif 000013
【図１２】
2018178273.tif 000014
【図１３】
2018178273.tif 000015
【図１４】
2018178273.tif 000016
【図１５】
2018178273.tif 000017
【図１６】
2018178273.tif 000018
【図１７】
2018178273.tif 000019
【図１８】
2018178273.tif 000020
【図１９】
2018178273.tif 000021
【図２０】
2018178273.tif 000022
【図２１】
2018178273.tif 000023
【図２２】
2018178273.tif 000024
【図２３】
2018178273.tif 000025
【図２４】
2018178273.tif 000026
【図２５】
2018178273.tif 000027
【図２６】
2018178273.tif 000028
【図２７】
2018178273.tif 000029
【図２８】
2018178273.tif 000030
【図２９】
2018178273.tif 000031
【図３０】
2018178273.tif 000032
【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
頭部を保護する頭部保護具の内面側で前記頭部の前頭部側から頭頂部側を通って後頭部側に対応して配設された本体布部と、
前記本体布部の長手方向に対して直角方向の左右両側に、前記本体布部の長手方向に対して直角方向に延設され、前記頭部保護具の内面側で前記頭部の左右の側頭部側に対応する位置に配設された左右の側布部と、
前記本体布部の長手方向の一端部側に形成され、前記本体布部の長手方向の一端部側を前記頭部保護具の前記前頭部側または前記後頭部側に対応する位置に対して、その内面側及び外面側の周囲に取付ける本体布取付部と、
前記左右の側布部の各々に形成され、前記各左右の側布部を前記頭部保護具の前記左右の側頭部側に対応する位置に対して前記内面側及び前記外面側の周囲に取付ける側布取付部と
を具備することを特徴とする頭部保護具用インナー。
【請求項２】
前記本体布部及び前記左右の側布部は、Ｔ字状に一体に接続されていることを特徴とする請求項１に記載の頭部保護具用インナー。
【請求項３】
前記左右の側布部は、前記本体布部の一端部側に形成された前記本体布取付部側とは反対側の他端部側で前記本体布部の長手方向に対して直角な幅方向の左右両側から延設されていることを特徴とする請求項１または請求項２に記載の頭部保護具用インナー。
【請求項４】
前記本体布取付部は、前記本体布部の長手方向の一端部を閉じるように袋状に形成されていることを特徴とする請求項１乃至請求項３の何れか１つに記載の頭部保護具用インナー。
【請求項５】
前記本体布取付部は、雄部材と雌部材からなる接合具によって前記本体布部の長手方向の一端部側でその上下方向を接続自在に構成されてなることを特徴とする請求項１乃至請求項３の何れか１つに記載の頭部保護具用インナー。
【請求項６】
前記側布取付部は、雄部材と雌部材からなる接合具によって前記各左右の側布部においてその上下方向を接続自在に構成されてなることを特徴とする請求項１乃至請求項５の何れか１つに記載の頭部保護具用インナー。
【請求項７】
前記本体布部の長手方向の中央部側には、前記本体布部の長手方向に沿った複数のスリットが形成されていることを特徴とする請求項１乃至請求項６の何れか１つに記載の頭部保護具用インナー。
【手続補正２】
【補正対象書類名】明細書
【補正対象項目名】全文
【補正方法】変更
【補正の内容】
【発明の詳細な説明】
【技術分野】
【０００１】
本発明は、転倒等による頭部の損傷を防止するために人体の頭部に装着する頭部保護具の内側に取付自在で、頭部保護具の快適な装着を可能とする頭部保護具用インナーに関するものである。
【背景技術】
【０００２】
癲癇等の病気や身体に障害のある小児では転倒によって頭部を損傷する恐れがあることから、頭部を保護するために緩衝機能を高めた保護帽（ヘッドギア、ヘッドガード、プロテクタとも呼ばれる）を装着している。従来、この種の保護帽では、衝撃吸収性を重視する観点から外皮に革素材を使用しているため、通気性や吸湿性に欠け、装着によって蒸れが生じやすかった。また、外皮が革素材であるうえ、その中には衝撃を吸収するための緩衝材（クッション材）が使用さていることから、洗濯が困難であり、衛生的にも気がかりであった。
【０００３】
そこで、例えば、特許文献１で開示されているように、トップクラウン側（頭部の頭頂部側に対応させる部位）で一部を開放して熱がこもりくい設計とした保護帽も開発されている。
【０００４】
しかしながら、特許文献１で開示したような保護帽であっても、癲癇等の病気や身体に障害のある小児では、頭部を保護するために保護帽を日常的に長時間装着されることから、頭部への接触箇所で蒸れが生じやすい。特に、夏場では暑さや蒸れにより汗疹が生じたり、暑さや蒸れによる不快感から装着を嫌ったりすることもあった。また、汗や脂で変色したり悪臭を放ったりすることもあった。
更に、この種の保護帽では、個人の症例に合わせたオーダーメイドでの販売が主流であるからコスト高であり、また、サイズ調整ができないことから頭部の成長に応じて買い替えなければならず、湿気や汗を乾かすためのローテーション用に複数個用意したくとも金銭面の負担が極めて大きかった。
このため、衛生さを保てるようにしたという要望があった。
【０００５】
一方、特許文献２では、通常のファッション、防暑（日除け）、制帽等としての帽子の下に着用する帽子用のインナーウェアを開示しており、帽子用のインナーウェアは帽子の内側に着脱自在であることの記載がある。
【先行技術文献】
【特許文献】
【０００６】
【特許文献１】特開２００４−５２２０５号公報
【特許文献２】特開２０１４−１１４５１８号公報
【発明の概要】
【発明が解決しようとする課題】
【０００７】
ところが、特許文献２で開示した帽子用のインナーウェアは、通常のファッション、防暑（日除け）、制帽等としての帽子を想定しており、帽子の内側の開口縁に設けられているスベリ（ビン皮）に挟むことで取付けられ、スベリ（ビン皮）を有する一般的な帽子への適用を前提としている。このため、一般的な帽子とはその機能、使途、具体的構造が相違し、通常、スベリ（ビン皮）を設けることのない頭部保護具には、対応できない。
【０００８】
そこで、本発明は、頭部保護具の内面側に容易に着脱可能で、頭部保護具の快適な装着及び清潔維持を可能とする頭部保護具用インナーの提供を目的とするものである。
【課題を解決するための手段】
【０００９】
請求項１の発明の頭部保護具用インナーは、頭部を保護する頭部保護具の内面側で前記頭部の前頭部側から頭頂部側を通って後頭部側まで対応する位置に配設させる本体布部に対し、その長手方向に対して直角な幅方向の左右両側に左右の側布部が突設し、前記本体布部の長さ方向の一端部側に形成した本体布取付部によって、前記頭部保護具の前記前頭部側または後頭部側に対応する位置の周囲に前記本体布部の長さ方向の一端部側が取付自在であり、また、前記各左右の側布部に形成した側布取付部によって、前記頭部保護具の前記頭部の左右の側頭部側に対応する位置の周囲に前記各左右の側布部が取付自在であるものである。
【００１０】
上記頭部保護具は、癲癇等の病気や身体に障害のある小児等が転倒等による衝撃から頭部を保護するために使用される緩衝機能を高めた保護帽（ヘッドギア、ヘッドガード、プロテクタとも呼ばれる）であり、頭部保護具用インナーの取付対象を示している。通常、このような頭部保護具では、例えば、頭部の頭頂部側に対応させる位置（トップクラウン側）に通気性を確保するための開口を形成しているから、その開口を利用して、頭部保護具において頭部の水平周囲に対応させる位置（サイドクラウン側）の内面側及び外面側の周囲に頭部保護具用インナーの一部を巻いて取付けることが可能である。
【００１１】
ここで、上記本体布部は、頭部の前頭部側から頭頂部側を通って後頭部側まで対応させる長さであり、前記頭部保護具の前頭部側から頭頂部側を通って後頭部側まで対応させる位置の内面側を覆うものである。
【００１２】
また、上記左右の側布部は、前記本体布部の長手方向に対して直角な幅方向の左右両側から前記本体布部の長手方向に対して直角な方向に延びて、前記頭部保護具の前記右側頭部側及び左側頭部側に対応させる位置の内面側を覆うものである。
【００１３】
更に、上記本体布取付部は、前記本体布部の長手方向の一端部側に形成され、前記頭部保護具の後頭部側に対応させる位置の内面側及び外面側の周囲に前記本体布部の長手方向の一端部側を取付自在とする構造であればよい。そして、取付対象である頭部保護具を特定してその形状や構成に対応させても良いし、任意の頭部保護具に対応させるようにしてもよい。
例えば、取付対象である前記頭部保護具の前頭部側または後頭部側に対応させる位置が、側頭部側に対応させる位置と接合及び分離自在に形成されている場合には、前記頭部保護具の前頭部側または後頭部側に対応させる位置に被せるように袋状の構造とすることができる。或いは、前記本体布部の長手方向の一端部側においてその左右両側を接続する構成、及び／または、上下両側を接続する構成により、前記本体布部の長手方向の一端部側に環状を形成し、その環状の中に前記頭部保護具の前頭部側または後頭部側に対応させる位置を通して、前記頭部保護具の前頭部側または後頭部側に対応させる位置の周囲に取付けようにしてもよい。または、係合及び分離自在な雌側及び雄側の１対で形成される接合具を設けて、前記本体布部の長手方向の一端部側においてその左右両側を接続自在とする構成、及び／または、上下両側を接続自在とする構成とし、その接合具の雌側及び雄側の係合により、前記本体布部の長手方向の一端部側を前記頭部保護具の前頭部側または後頭部側に対応させる位置の周囲に取付けるようにしてもよい。このときの接合具としては、例えば、マジックテープ（登録商標）等の面ファスナ（接着布）、ホック、ドット釦、ボタン及びボタンホール等が使用でき、係合状態及びその解除状態が自在で、かつ、維持されるものが使用される。即ち、取付対象である頭部保護具を特定してその形状や構成に対応させても良いし、任意の頭部保護具に対応させるようにしてもよい。
【００１４】
加えて、上記側布取付部は、前記各左右の側布部に形成され、前記頭部保護具の左右の側頭部側に対応させる位置の内面側及び外面側の周囲に前記左右の側布部を取付自在とする構造であればよい。そして、取付対象である頭部保護具を特定してその形状や構成に対応させても良いし、任意の頭部保護具に対応させるようにしてもよい。
例えば、取付対象である前記頭部保護具の側頭部側に対応させる位置が、前頭部側または後頭部側に対応させる位置と接合及び分離自在に形成されている場合には、前記各側布部においてその上下両側を接続する構成により、前記各側布部を環状に形成し、その環状の中に前記頭部保護具の側頭部側に対応させる位置を通して、前記頭部保護具の側頭部側に対応させる位置の周囲に取付けようにしてもよい。または、係合及び分離自在な雌側及び雄側の１対で形成される接合具を設けて、前記各側布部においてその上下両側を接続自在とする構成とし、その接合具の雌側及び雄側の係合により、前記各側布部を前記頭部保護具の前記側頭部側に対応させる位置の周囲に取付けるようにしてもよい。このときの接合具としても、例えば、例えば、マジックテープ（登録商標）等の面ファスナ（接着布）、ホック、ドット釦、ボタン及びボタンホール等が使用でき、係合状態及びその解除状態が自在で、かつ、維持されるものが使用される。
【００１５】
請求項２の発明の頭部保護具用インナーは、前記本体布部と前記左右の側布部とがＴ字状に一体に接続されているものである。即ち、前記本体布部の前頭部側に対応させる位置または前記後頭部側に対応させる位置の左右両側に前記左右の側布部が延設し、前記左右の側布部が前記本体布部の前頭部側に対応させる位置から連続、或いは、前記左右の側布部が前記本体布部の後頭部側に対応させる位置から連続し、前記左右の側布部が前記本体布部の頭頂部側に対応させる位置とは直接的な結合関係がなく切り離されているものである。
【００１６】
請求項３の発明の頭部保護具用インナーは、前記左右の側布部が、前記本体布部の一端部側に形成された本体布取付部側とは反対側の他端部側で前記本体布部の長手方向に対して直角な幅方向の左右両側に延びているものである。
【００１７】
請求項４の発明の頭部保護具用インナーは、前記本体布取付部が、前記本体布部の長手方向の一端部を閉じるように袋状に形成されているものであり、例えば、前頭部側または後頭部側に対応する位置が、左右の側頭部側に対応する位置と接合及び分離自在に形成されている立体的に組立自在な前記頭部保護具に適用できる。つまり、前記頭部保護具の側頭部側に対応する位置と接合及び分離自在に形成された前頭部側または後頭部側に対応する位置に対して、その内面側及び外面側の周囲に被せるよう装着できる。
【００１８】
請求項５の発明の頭部保護具用インナーは、前記本体布取付部が、雄部材と雌部材からなる接合具によって前記本体布部の長手方向の一端部側でその上下方向を接続自在に構成されており、接合具の接合によって前記頭部保護具の前頭部側または後頭部側に対応する位置の周囲に取付自在であるものであり、取付対象が、立体的に組立自在な前記頭部保護具に限定されず、立体的に成形された前記頭部保護具であっても対応できる。
【００１９】
ここで、上記本体布部の長手方向の一端部側でその上下方向とは、本体布部の長手方向に一致し、頭部に頭部保護具を被せたときの頭部における上下方向に対応する。
そして、上記本体布部の長手方向の一端部側でその上下方向を接続自在に構成とは、本体布部の長手方向の一端部の前頭部側または後頭部側に対応させる位置でその上下方向の両側に連続形成し、接合具を設けてその接合具によって本体布部の長手方向の一端部と本体布取付布部で環状また筒状に接続自在とすることを意味する。通常、安定した取付けを確保するために、上下方向に直角な左右方向の２箇所で側布取付部を形成するが、１箇所であってもよいし、３箇所以上としてもよい。
【００２０】
上記接合具としては、係合及び分離自在な１対の雌側及び雄側からなるマジックテープ（登録商標）等の面ファスナ（接着布）、ホック、ドット釦、ボタン及びボタンホール等が使用でき、係合状態及びその解除状態が自在で、かつ、維持されるものが使用される。前記頭部保護具の前頭部側または後頭部側に対応する位置の周囲に安定した取付けが可能であれば、接合具の取付個数や位置は特に限定されない。
【００２１】
請求項６の発明の頭部保護具用インナーは、前記側布取付部が、雄部材と雌部材からなる接合具によって前記各左右の側布部の上下方向を接続自在に構成されており、接合具の接合によって前記頭部保護具の左右の側頭部側に対応する位置の周囲に取付自在であるものであり、取付対象が、立体的に組立自在な前記頭部保護具に限定されず、立体的に成形された前記頭部保護具であっても対応できる。
【００２２】
ここで、上記各左右の側布部においてその上下方向は、人体の頭部に頭部保護具を被せたときの頭部の上下方向に対応する。例えば、上記左右の各側布部が、前記本体布部の長手方向の一端部側の左右両側に延設する場合では、前記本体布部の長手方向に直角な幅方向を左右方向としたとき、その左右方向に直角な上下方向の両側を接続する構成により、側頭部側に対応させる位置の内面側及び外面側の周囲に取けることができる。一方、上記左右の各側布部が、前記本体布部の長手方向の中央部側の左右両側に延設する場合では、前記本体布部の長手方向に直角な幅方向を左右方向としたとき、その左右方向の両側を接続する構成により、側頭部側に対応させる位置の内面側及び外面側の周囲に取付けることができる。
そして、上記各左右の側布部の上下方向を接続自在に構成とは、左右の側布部において互いに対向する上下方向の両側に連続形成し、接合具を設けてその接合具の接合によって側布部と側布取付布部で環状または筒状に接続自在とすることを意味する。
【００２３】
上記接合具としては、係合及び分離自在な１対の雌側及び雄側からなるマジックテープ（登録商標）等の面ファスナ（接着布）、ホック、ドット釦、ボタン及びボタンホール等が使用でき、係合状態及びその解除状態が自在で、かつ、維持されるものが使用される。前記頭部保護具の側頭部側に対応する位置の周囲に安定した取付けが可能であれば、接合具の取付個数や位置は特に限定されない。
【００２４】
請求項７の発明の頭部保護具用インナーは、前記本体布部の長手方向の中央部側に前記本体布部の長手方向に沿った複数のスリットが形成されているものである。
上記スリットは、前記頭部保護具の頭頂部側に対応させる位置に配設させる前記本体布部の長手方向の中央部側に形成され、前記頭部保護具において通気性確保のために形成されている開口に対応させて、空気の流通を許容して風通しを良くするためのものである。このスリットは、前記頭部保護具に形成された開口の位置に一致させて、前記頭部保護具の内面側と外側面との間で空気の通り道を確保するものであればよく、必ずしも、前記頭部保護具の開口のシルエットに合わせる必要はない。例えば、頭部の前方側から頭頂部側を通り後方側まで長く延びる開口を有する前記頭部保護具に取付ける場合、前記本体布部の長手方向に延びるスリットを形成することで、前記頭部保護具に形成された開口の全体を覆うことがなく高い通気性を確保できる。このとき、スリットが入る両端縁は、補強のためにパイピング処理を行うのが好適である。また、複数のスリット側の端部に係合及び分離自在な雌側及び雄側の１対で形成される接合具を設け、その接合具によって、前記頭部保護具の頭頂部側に対応する位置の内面側及び外面側の周囲に本体布部を取付けるようにしてもよい。
しかし、本発明を実施する場合には、スリット形状に限定されることなく、円形、多角形等の開口を複数設けることで、通気性を確保しても良いし、布をメッシュ状に形成することで通気性を確保してもよい。
【発明の効果】
【００２５】
請求項１の発明に係る頭部保護具用インナーによれば、取付対象である頭部保護具の内面側の前頭部側から頭頂部側を通って後頭部側まで対応させる位置に配設させる本体布部と、前記本体布部の長手方向に対して直角な幅方向の左右両側に延設し前記頭部保護具の内面側の左右の側頭部側に対応させる位置に配設させる左右の側布部とを有し、前記本体布部の長手方向の一端部側に設けた本体布取付部によって前記本体布部の長さ方向の一端部側が前記頭部保護具の前頭部側または後頭部側に対応させる位置の周囲に取付自在であり、前記左右の各側布部に設けた側布取付部によって前記左右の各側布部を前記頭部保護具の左右の側頭部側に対応させる位置の周囲に取付自在であるから、前記頭部保護具に対して着脱自在に取付けることができる。そして、前記頭部保護具への取付けによって本体布部及び左右の側布部が前記頭部保護具の内面側を覆うから、人体の頭部からの汗や脂で前記頭部保護具の内面側が汚れるのを防止できる。
【００２６】
そして、頭部保護具への取付けによって頭部保護具用インナーが頭部からの汗や脂を受けることになるが、頭部保護具用インナーが前記頭部保護具に対して着脱自在であり、清潔な布と交換できるから、頭部からの汗や脂によって悪臭を放つこともない。また、頭部保護具を長時間着用する場合でも、清潔な布との交換により湿気によるべたつきや、蒸れや細菌の繁殖による皮膚の痒み等の不快感を軽減できる。
特に、頭部保護具用インナーの本体布部及び左右の側布部が吸湿・吸水性の布であれば、汗を速やかに吸収するため、湿気の上昇が防止され蒸れを著しく軽減でき、また、皮膚の炎症も防止できる。そして、汗を吸収した吸湿・吸水性の布は、清潔な布との交換により、頭部に不快感を与えない。更に、冬場であれば、保温性の布と交換すれば、保温効果により防寒対策になる。また、緩衝性の高い布であれば、衝撃を吸収する緩衝効果を高めることができるし、厚みがある布であれば、頭部保護具のサイズ調節として使用できる。
したがって、頭部保護具への頭部保護具用インナーの取付けにより頭部保護具を快適に使用できる。
【００２７】
そして、取付対象である頭部保護具に対して頭部保護具用インナーの左右の側布部が前記人体の右側頭部側及び左側頭部側に対応する位置の周囲に、更に、前記本体布部の長手方向の一端部側が前記人体の後頭部側に対応する位置の周囲に取付けられることから、人体の頭部の動きによっても位置ずれ、捲れ、撚れ等が生じ難く違和感を生じさせにくい。
【００２８】
請求項２の発明に係る頭部保護具用インナーによれば、前記本体布部と前記左右の側布部とはＴ字状に一体に接続されているから、前記左右の側布部が前記本体布部の頭頂部側に対応させる位置とは切り離されていることになる。したがって、取付対象である前記頭部保護具の頭頂部側に対応させる位置と頭頂部側に対応させる位置との間に形成している通気性を確保するための開口を覆うことがない。よって、請求項１に記載の効果に加えて、頭部保護具に頭部保護具用インナーを取付けたときでも、通気性が確保され熱がこもり難いものとなる。
【００２９】
請求項３の発明に係る頭部保護具用インナーによれば、前記左右の側布部が、前記本体布部の一端部側に形成された本体布取付部側とは反対側の他端部側で前記本体布部の長手方向に対して直角な幅方向の左右両側に延設し、前記本体布取付部側が形成されている側とは反対側の前記本体布部の他端部側が前記頭部保護具の左右の側頭部側に対応する位置の周囲に取付自在な前記左右の側布部と連続しているから、別途接合具等を設けなくとも、前記本体布取付部の形成側とは反対側の前記本体布部の他端部側を前記頭部保護具側に定着させることができる。よって、請求項１または請求項２に記載の効果に加えて、少ない部品数で頭部保護具用インナーの位置ずれを防止することができる。
【００３０】
請求項４の発明に係る頭部保護具用インナーによれば、前記本体布取付部は、前記本体布部の長さ方向の一端部を閉じるように袋状に形成されているから、前頭部側または後頭部側に対応する位置と側頭部側に対応する位置とが接合及び分離自在に形成されて立体的に組立自在な頭部保護具に対しては、前頭部側または後頭部側に対応する位置の内面側及び外面側の周囲に被せることで、前記本体布部の長さ方向の一端部を取付けることができる。よって、請求項１乃至請求項３の何れか１つに記載の効果に加えて、接合具等の部品を使用せずに前記本体布部の長さ方向の一端部を取付けることができるから、部品数を少なくしてコスト削減や製造の容易化を図ることができる。また、接合具では繰り返しの洗濯で布から外れやすくなったり、洗濯の際に糸屑等が巻き付いて係合性が低下したり糸屑の除去作業の手間を生じさせたりすることもある。しかし、前記本体布部の長さ方向の一端部に形成された袋に前頭部側または後頭部側に対応する位置を入れて被せるように取付けるものでは、そのような不具合を生じることもない。更に、取付方も分かり易い。
【００３１】
請求項５の発明に係る頭部保護具用インナーによれば、前記本体布取付部は、雄部材と雌部材からなる接合具によって前記本体布部の長手方向の一端部側でその上下方向を接続自在に構成されてなり、雄側と雌側とからなる接合具の接合及びその解除操作により、前記頭部保護具の前頭部側または後頭部側に対応する位置の周囲に取付自在である。よって、請求項１乃至請求項３の何れか１つに記載の効果に加えて、前記頭部保護具の頭頂部側に対応する位置（トップクラウン側）に通気性を確保するための開口を形成している頭部保護具であればその頭部保護具が立体的に組立自在なものに限定されることなく、立体的に成形されているものであっても、取付けることができる。即ち、取付可能な頭部保護具の選択範囲が広がる。
【００３２】
請求項６の発明に係る頭部保護具用インナーによれば、前記側布取付部は、雄部材と雌部材からなる接合具によって前記各左右の側布部においてその上下方向を接続自在に構成されてなり、雄側と雌側とからなる接合具の接合及びその解除操作により、前記頭部保護具の側頭部側に対応する位置の周囲に取付自在である。よって、請求項１乃至請求項５の何れか１つに記載の効果に加えて、前記頭部保護具の頭頂部側に対応する位置（トップクラウン側）に通気性を確保するための開口を形成している頭部保護具であればその頭部保護具が立体的に組立自在なものに限定されることなく、立体的に成形されているものであっても、取付けることができる。即ち、取付可能な頭部保護具の選択範囲が広がる。
【００３３】
請求項７の発明に係る頭部保護具用インナーによれば、前記本体布部の長手方向の中央側には、前記本体布部の長手方向に沿った複数のスリットが形成されているから、請求項１乃至請求項６の何れか１つに記載の効果に加えて、通気性が向上し、蒸れを著しく軽減させることができる。また、スリットにより頭部形状に対応してフィットさせることができ、窮屈感を緩和して、フィット感、装着感の向上を可能とする。
【図面の簡単な説明】
【００３４】
【図１】図１は本発明の実施の形態１に係る頭部保護具用インナーの表面図である。
【図２】図２は本発明の実施の形態１に係る頭部保護具用インナーの表面図である。
【図３】図３は本発明の実施の形態１に係る頭部保護具用インナーを取付ける頭部保護具の一例を説明する説明図であり、その頭部保護具を展開状態で示した表面図である。
【図４】図４は図３に示した頭部保護具の裏面図である。
【図５】図５は図３，図４の頭部保護具を組立状態で示す正面図である。
【図６】図６は図３，図４の頭部保護具を組立状態で示す背面図である。
【図７】図７は図３，図４の頭部保護具を組立状態で示す平面図である。
【図８】図８は図３，図４の頭部保護具を組立状態で示す底面図（ａ）、頭部保護部を構成する前方保護部と後方保護部の接続位置を変えて（左右の側頭保護部の間隔を変えて）接合状態を示す底面図（ｂ）である。
【図９】図９は図３，図４の頭部保護具を組立状態で示す左側面図（ａ）及び右側面図（ｂ）である。
【図１０】図１０は図３，図４の頭部保護具を組立状態で示す斜視図である。
【図１１】図１１（ａ）は本発明の実施の形態１に係る頭部保護具用インナーの取付対象である頭部保護具を形成する緩衝材及び外装生地の一例を説明する断面図、図１１（ｂ）は本発明の実施の形態１に係る頭部保護具用インナーの取付対象である頭部保護具を形成する緩衝材及び外装生地の別の例を説明する断面図、図１１（ｃ）は緩衝材に芯材を埋設した別の例を説明する断面図、図１１（ｄ）は緩衝材の一例を示す斜視図、図１１（ｅ）は緩衝材の別の例を示す斜視図である。
【図１２】図１２は本発明の実施の形態１に係る頭部保護具用インナーを図３で示した展開状態の頭部保護具に対して取付ける事例の説明図である。
【図１３】図１３は本発明の実施の形態１に係る頭部保護具用インナーの頭部保護具への取付状態を示す説明図であり、実施の形態１に係る頭部保護具用インナーが図３で示した展開状態の頭部保護具に取付けられた状態の表面図である。
【図１４】図１４は本発明の実施の形態１に係る頭部保護具用インナーの頭部保護具への取付状態を示す説明図であり、実施の形態１に係る頭部保護具用インナーが図４で示した展開状態の頭部保護具に取付けられた状態の裏面図である。
【図１５】図１５は本発明の実施の形態１に係る頭部保護具用インナーの頭部保護具への取付状態を示す説明図であり、実施の形態１に係る頭部保護具用インナーが図５で示した組立状態の頭部保護具に取付けられた状態の正面図である。
【図１６】図１６は本発明の実施の形態１に係る頭部保護具用インナーの頭部保護具への取付状態を示す説明図であり、実施の形態１に係る頭部保護具用インナーが図６で示した組立状態の頭部保護具に取付けられた状態の背面図である。
【図１７】図１７は本発明の実施の形態１に係る頭部保護具用インナーの頭部保護具への取付状態を示す説明図であり、実施の形態１に係る頭部保護具用インナーが図７で示した組立状態の頭部保護具に取付けられた状態の平面図である。
【図１８】図１８は本発明の実施の形態１に係る頭部保護具用インナーの頭部保護具への取付状態を示す説明図であり、実施の形態１に係る頭部保護具用インナーが図８で示した組立状態の頭部保護具に取付けられた状態の底面図である。
【図１９】図１９は本発明の実施の形態１に係る頭部保護具用インナーの頭部保護具への取付状態を示す説明図であり、実施の形態１に係る頭部保護具用インナーが図９で示した組立状態の頭部保護具に取付けられた状態の左側面図（ａ）及び右側面図（ｂ）である。
【図２０】図２０は本発明の実施の形態１に係る頭部保護具用インナーの頭部保護具への取付状態を示す説明図であり、実施の形態１に係る頭部保護具用インナーが図１０で示した組立状態の頭部保護具に取付けられた状態の斜視図である。
【図２１】図２１は本発明の実施の形態１に係る頭部保護具用インナーが取付けられた頭部保護具を人体の頭部に装着したときの斜視図である。
【図２２】図２２は本発明の実施の形態１の変形例に係る頭部保護具用インナーの表面図である。
【図２３】図２３は本発明の実施の形態１の変形例に係る頭部保護具用インナーの頭部保護具への取付状態を示す説明図であり、変形例に係る頭部保護具用インナーが図７で示した組立状態の頭部保護具に取付けられた状態の平面図である。
【図２４】図２４は本発明の実施の形態１の変形例に係る頭部保護具用インナーの頭部保護具への取付状態を示す説明図であり、変形例に係る頭部保護具用インナーが図８で示した組立状態の頭部保護具に取付けられた状態の底面図である。
【図２５】図２５は本発明の実施の形態２に係る頭部保護具用インナーの表面図である。
【図２６】図２６は本発明の実施の形態２に係る頭部保護具用インナーの裏面図である。
【図２７】図２７は本発明の実施の形態３に係る頭部保護具用インナーの表面図である。
【図２８】図２６は本発明の実施の形態３に係る頭部保護具用インナーの裏面図である。
【図２９】図２９は本発明の実施の形態４に係る頭部保護具用インナーの表面図である。
【図３０】図３０は本発明の実施の形態４に係る頭部保護具用インナーの頭部保護具への取付状態を示す説明図であり、実施の形態４に係る頭部保護具用インナーが取付けられた頭部保護具の背面図である。
【発明を実施するための形態】
【００３５】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００３６】
［実施の形態１］
まず、本発明の実施の形態１に係る頭部保護具用インナー１００について、図１及び図２を参照して説明する。
図１に示すように、本実施の形態１の頭部保護具用インナー１００は、全体が略Ｔ字状の線対称に形成され、中央側に配設する本体布部１１０と、本体布部１１０の長手方向に対して直角方向に配設し本体布部１１０の長手方向に対して直角方向の左右両側に延びる左右の側面布部１２０Ｒ，１２０Ｌとから構成されている。そして、左右の側面布部１２０Ｒ，１２０Ｌに、互いに対向する２辺を接続自在とする接合具としての１対の面ファスナ１２３ａＲ及び面ファスナ１２３ｂＲ、１対の面ファスナ１２３ａＬ及び面ファスナ１２３ｂＬを有し、また、左右の側面布部１２０Ｒ，１２０Ｌ側とは反対側で本体布部１１０の長さ方向の一端側の裏面（Ｂ）側に、袋状に形成した本体布取付部１３０を有する。
なお、頭部保護具用インナー１００の表裏は、後述する取付対象の頭部保護具１への取付状態で、人体の頭部に触れる方を表面（Ｆ）側、頭部保護具１の内面側（裏面（Ｂ１）側）に対向させる方を裏面（Ｂ）側としている。
【００３７】
本体布部１１０及び左右の側面布部１２０Ｒ，１２０Ｌは共に、洗濯（丸洗い）が可能で吸水性に優れる生地、例えば、綿素材が使用され、好ましくはタオル地のようなパイル地、即ち、織物の片面または両面に毛羽や輪奈を織り出した生地や、ガーゼ地等からなる生地で形成される。タオル地のようなパイル地またはガーゼ地等からなる生地は洗濯が容易で度重なる洗濯によっても丈夫で型崩れし難い。更に、吸水性・吸湿性に優れるうえ、肌当たりが良くて頭部への刺激も少なく、頭部に装着した際でも違和感のない柔らかい感触で装着感、フィット感を向上させることができる。
【００３８】
特に、本体布部１１０及び左右の側布部１２０Ｒ，１２０Ｌが、吸湿性・吸水性の生地であると、人体の頭部からの汗、湿気が速やかに本体布部１１０及び左右の側布部１２０Ｒ，１２０Ｌに吸収されるため、人体の頭部に汗がまとわりついてベタベタするのを軽減でき、皮膚の炎症を誘発しにくい。また、湿気の上昇が緩和され、蒸れにくくなる。加えて、抗菌性や防臭性を有すると、より衛生さを保持できる。
【００３９】
本体布部１１０及び左右の側面布部１２０Ｒ，１２０Ｌは共に、表生地及び裏生地の２枚の布またはそれ３枚以上を縫製して形成してもよいし、１枚の布を裁断し、その布端をバイアステープ等でパイピング処理、或いは、袋縫い、折り伏せ縫い、本返し縫い等の処理を施して形成してもよい。複数枚の布を重ねた複数層の生地を使用しても良い。本体布部１１０及び左右の側面布部１２０Ｒ，１２０Ｌは、通常、同一の生地で一体的に形成されるが、部位によって生地の種類、柄等を変えてもよい。また、本体布部１１０及び左右の側面布部１２０Ｒ，１２０ＬはＴ字状に裁断した布で一体に形成してもよいし、部分的に所定形状のパーツ毎に裁断した布を縫製することで一体化してもよい。例えば、図１及び図２においては、後述する本体布部１１０の前頭布部１１１と左右の側面布部１２０Ｒ，１２０Ｌを所定形状に一体に裁断し、本体布部１１０の頭頂布部１１２と後頭布部１１３とを略長方形状に一体に裁断し、両者を縫製することで一体化している。
【００４０】
本体布部１１０は、人体の頭部の前頭部側に対応させる前頭布部１１１と、人体の頭部の頭頂部側に対応させる頭頂布部１１２と、人体の頭部の後頭部側に対応させる後頭布部１１３とが連続して一体に構成されており、人体の頭部の前頭部側から頭頂部側を通って後頭部側まで対応させるものである。つまり、本体布部１１０の長手方向の中央に頭頂布部１１２が位置し、中央の頭頂布部１１２の一端側から前頭布部１１１が連続して延び、その反対側の他端側から後頭布部１１３が連続して延びている。
【００４１】
なお、本実施の形態１では、本体布部１１０の長手方向の中央に位置する頭頂布部１１２において、本体布部１１０の長手方向に対して直角な幅方向の左右両側の端部に、本体布部１１０の長手方向に長いゴム１１２ａが配設している。詳細には、表生地及び裏生地からなる２枚の布の中にゴム１１２ａが挟まれている。このようにして本体布部１１０にゴム１１２ａを配設して伸縮性を持たせると、本実施の形態１の頭部保護具用インナー１００を取付対象である後述の頭部保護具１に取付けてそれを人体の頭部に装着したときでも、本体布部１１０の生地が伸びる。よって、頭部形状の圧迫によっても本体布部１１０の生地に突っ張りが生じ難く、生地が破れ難い。また、人体の頭部に対して装着感やフィット感を向上させることができる。更に、頭部保護具１との寸法の違いを伸縮性によって吸収できるから、頭部保護具１の幅広い寸法に合わせることができ、汎用性が高いものとなる。本発明を実施する場合には、本体布部１１０や左右の側面布部１２０Ｒ，１２０Ｌを伸縮性を有する生地で形成し、複数のサイズを基準として伸びを持たせてもよい。これによっても同様の効果を得ることができる。
【００４２】
そして、本体布部１１０の長手方向に対して直角方向で、本体布部１１０を構成している前頭布部１１１の左右両側から連続して延びる左右の側布部１２０Ｒ，１２０Ｌは、人体の頭部の左右の側頭部側（右側頭部側及び左側頭部側）に対応させるものである。
【００４３】
本実施の形態１の左右の側布部１２０Ｒ，１２０Ｌは、本体布部１１０の長手方向に対して略直角方向に延びる本体側布部１２１Ｒ，１２１Ｌと、本体布部１１０の長手方向に対して略直角な方向を左右方向としたとき、その左右方向に直角な略上下方向で本体側布部１２１Ｒ，１２１Ｌから突出形成した１対の接続側布部１２２ａＲ，１２２ｂＲ、１対の接続側布部１２２ａＬ，１２２ｂＬとから構成されている。これら本体側布部１２１Ｒ，１２１Ｌと１対の接続側布部１２２ａＲ，１２２ｂＲ、１対の接続側布部１２２ａＬ，１２２ｂＬとによって、取付対象である後述の頭部保護具１の人体の頭部の左右の側頭部側に対応させる位置（後述する頭部保護具１の側頭保護部２２Ｒ，２２Ｌ）の内面側から外面側に巻ける大きさに設計されている。即ち、左右の側布部１２０Ｒ，１２０Ｌでは、本体布部１１０の一端部側に形成された前頭布部１１１と比較し、その上下方向の大きさよりも幅広に形成されている。
【００４４】
なお、図１及び図２において、本体側布部１２１Ｒ，１２１Ｌの形状は、取付対象である後述の図３及び図４に示した頭部保護具１の側頭保護部２２Ｒ，２２Ｌの湾曲形状（人体の耳の上側に対応）に対応した屈曲を有するが、本発明を実施する場合には、図１及び図２に示す形状に限定されない。つまり、取付対象である頭部保護具１を特定してその形状に対応させても良いし、任意の頭部保護具１に対応させるようにしてもよい。また、左右の側布部１２０Ｒ，１２０Ｌにおいても伸縮性を持たせ、複数のサイズを基準として伸びを持たせてもよい。
【００４５】
そして、本体側布部１２１Ｒの上下方向の両側に突出する１対の接続側布部１２２ａＲ，１２２ｂＲには、１対の面ファスナ１２３ａＲ及び面ファスナ１２３ｂＲが設けられ、同様に、本体側布部１２１Ｌの上下方向の両側に突出する１対の接続側布部１２２ａＬ，１２２ｂＬには、１対の面ファスナ１２３ａＬ及び面ファスナ１２３ｂＬが設けられている。
【００４６】
即ち、本体布部１１０の長手方向に対して略直角方向に延びる右側布部１２０Ｒには、本体布部１１０の長手方向に対して略直角な方向を左右方向としたとき、その左右方向に直角な上下方向で１対の面ファスナ１２３ａＲ及び面ファスナ１２３ｂＲを設け、この１対の面ファスナ１２３ａＲ及び面ファスナ１２３ｂＲにより右側布部１２０Ｒの互いに上下方向で対向する２辺の両側を接合自在とする。
同様に、本体布部１１０の長手方向に対して略直角方向に延びる左側布部１２０Ｌには、本体布部１１０の長手方向に対して略直角な方向を左右方向としたとき、その左右方向に直角な上下方向で１対の面ファスナ１２３ａＬ及び面ファスナ１２３ｂＬを設け、この１対の面ファスナ１２３ａＬ及び面ファスナ１２３ｂＬにより左側布部１２０Ｌの互いに上下方向で対向する２辺の両側を接合自在とする。
【００４７】
ここで、本実施の形態１では、右側布部１２０Ｒの１対の接続側布部１２２ａＲ，１２２ｂＲに取付けられる１対の面ファスナ１２３ａＲ，１２３ｂＲは、互いに右側布部１２０Ｒの表裏面で配置している。例えば、図１及び図２では、接続側布部１２２ａＲ側の面ファスナ１２３ａＲが右側布部１２０Ｒの表面（Ｆ）側に縫製によって縫付けられ、接続側布部１２２ｂＲ側の面ファスナ１２３ｂＲが右側布部１２０Ｒの裏面（Ｂ）側に縫製によって縫付けられている。
これより、１対の接続側布部１２２ａＲ，１２２ｂＲのうちの一方の面に他方の面を重ね合わせて接合でき、その接合箇所が後述する頭部保護具１の右側頭保護部２２Ｒの面方向から突出することなく、その面方向に沿うから見栄えが良い。側布部１２０Ｌ側でも同様である。即ち、接続側布部１２２ａＬ側の面ファスナ１２３ａＬが左側布部１２０Ｌの表面（Ｆ）側に縫製によって縫付けられ、接続側布部１２２ｂＬ側の面ファスナ１２３ｂＬが左側布部１２０Ｌの裏面（Ｂ）側に縫製によって縫付けられている。
勿論、１対の各面ファスナ１２３ａＲ，１２３ｂＲ、１対の各面ファスナ１２３ａＬ，面ファスナ１２３ｂＬは上記と表裏が逆であってもよいし、本発明を実施する場合には、表裏のどちらか一方の面側のみに各１対の面ファスナ１２３ａＲ，１２３ｂＲ、１対の面ファスナ１２３ａＬ，１２３ｂＬを設ける態様としてもよい。
【００４８】
このような構成の右側布部１２０Ｒによれば、取付対象である頭部保護具１の人体の頭部の右側頭部側に対応させる位置（後述する頭部保護具１の右側頭保護部２２Ｒ）に対してその内面側から外面側の周囲に巻いて、外面側で１対の接続側布部１２２ａＲと接続側布部１２２ｂＲを重ね合わせ、１対の接続側布部１２２ａＲと接続側布部１２２ｂＲとの対向関係にある２辺の両側に設けた１対の面ファスナ１２３ａＲ及び面ファスナ１２３ｂＲを接合することで、取付対象である頭部保護具１の人体の頭部の右側頭部側に対応させる位置（後述する頭部保護具１の右側頭保護部２２Ｒ）の周囲に巻いた状態で固定して取付けることができる。
同様に、左側布部１２０Ｌにおいても、取付対象である頭部保護具１の人体の頭部の左側頭部側に対応させる位置（後述する頭部保護具１の左側頭保護部２２Ｌ）でその内面側から外面側の周囲に巻いて、外面側で１対の接続側布部１２２ａＬと接続側布部１２２ｂＬを重ね合わせ、１対の接続側布部１２２ａＬと接続側布部１２２ｂＬとの対向関係にある２辺の両側に設けた１対の面ファスナ１２３ａＬ及び面ファスナ１２３ｂＬを接合することで、取付対象である頭部保護具１の人体の頭部の左側頭部側に対応させる位置（後述する頭部保護具１の左側頭保護部２２Ｌ）の周囲に巻いた状態で固定して取付けることができる。
【００４９】
なお、本実施の形態１の左右の側布部１２０Ｒ，１２０Ｌは、本体布部１１０の長手方向の一端部側であって、本体布部１１０の長手方向に対して直角な幅方向の両側から、本体布部１１０の長手方向に対して略直角方向に延びているから、本体布部１１０の長手方向に対して略直角な方向を左右方向としたとき、その左右方向に直角な上下方向が、人体の頭部に装着するときの頭部保護具１の上下方向に対応する。
そして、左右の側布部１２０Ｒ，１２０Ｌでは、本体布部１１０の長手方向に対して略直角な方向を左右方向としたとき、その左右方向に直角な上下方向で対向する２辺の両側に各１対の面ファスナ１２３ａＲ及び面ファスナ１２３ｂＲ、１対の面ファスナ１２３ａＬ及び面ファスナ１２３ｂＬが設けられ、各１対の面ファスナ１２３ａＲ及び面ファスナ１２３ｂＲ、１対の面ファスナ１２３ａＬ及び面ファスナ１２３ｂＬの接合によって、左右の側布部１２０Ｒ，１２０Ｌの上下両側の接合による筒状（環状）を成す。これより、左右の側布部１２０Ｒ，１２０Ｌを取付対象である頭部保護具１の人体の頭部の側頭部側に対応させる位置（後述する頭部保護具１の左右の頭保護部２２Ｒ，２２Ｌ）でその内面側から外面側にかけての周囲に取付自在である。
【００５０】
こうして、本実施の形態１においては、本体側布部１２１Ｒ，１２１Ｌの上下方向に連続形成された１対の接続側布部１２２ａＲ，１２２ｂＲ、１対の接続側布部１２２ａＬ，１２２ｂＬ、及び、それに設けた１対の面ファスナ１２３ａＬ及び面ファスナ１２３ｂＬ、１対の面ファスナ１２３ａＬ及び面ファスナ１２３ｂＬにより、左右の側布部１２０Ｒ，１２０Ｌを頭部保護具１の人体の左右の側頭部側に対応する位置（後述する頭部保護具１の左右の側頭保護部２２Ｒ，２２Ｌ）に対してその内面側及び外面側の周囲に取付自在とする側布取付部１４０を構成する。
【００５１】
更に、本実施の形態１の頭部保護具用インナー１００においては、左右の側布部１２０Ｒ，１２０Ｌ側とは反対側の本体布部１１０の長さ方向の他端側であって、その裏面（Ｂ）側に、袋状に形成された本体布取付部１３０を有する。
本実施の形態１では、本体布部１１０の長さ方向の他端側に形成された後頭布部１１３が、後頭本体布部１３１及びその裏面（Ｂ）側に接続する取付布部１３２から構成され、後頭布部１１３の裏面（Ｂ）側で、後頭本体布部１３１及び取付布部１３２からなる袋状の本体布取付部１３０を形成している。
【００５２】
本実施の形態１の本体布取付部１３０は、本体布部１１０の後頭布部１１３の裏面（Ｂ）側であって、中央に楕円形状の開口１３３が形成された取付布部１３２を後頭本体布部１３１の一端部の周囲に縫合わせていることで袋を形成している。即ち、後頭本体布部１３１において本体布部１１０の長手方向の一端部の１辺及び本体布部１１０の長手方向に直角な幅方向の両側の２辺に取付布部１３２が袋状に縫合わされ、後頭本体布部１３１の長手方向の一端の１辺への縫付箇所と対向する取付布部１３２の１辺では後頭本体布部１３１と縫合わされることなく開放している。
【００５３】
これより、袋状をなす後頭本体布部１３１及び取付布部１３２の間に頭部保護具１の人体の頭部の後頭部側に対応させる部位（後述する頭部保護具１の後述する頭部保護具１の後頭保護部３１）を収容して、本体布部１１０の後頭布部１１３側を頭部保護具１の人体の頭部の後頭部側に対応させる位置（後述する頭部保護具１の後述する頭部保護具１の後頭保護部３１）の内面側から外面側の周囲に取付けることできる。
【００５４】
なお、本実施の形態１では、本体布取付部１３０の開口１３３が取付対象である後述の図３及び図４に示した頭部保護具１の後頭保護部３１に設けた面ファスナ４１ｂに対応し、面ファスナ４１ｂの全体を覆うことのないように取付布部１３２に開口１３３を形成している。
【００５５】
次に、本実施の形態１の頭部保護具用インナー１００を装着する装着対象としての頭部保護具の一例を図３乃至図１１に示す。
図３乃至図１１に示した頭部保護具１は、帯状部材１０ａ，１０ｂ，１０ｃからなる頭頂保護部１０と、頭頂保護部１０を形成する帯状部材１０ａ，１０ｂ，１０ｃの長手方向の一端側に、帯状部材１０ａ，１０ｂ，１０ｃの長手方向に対して略直角方向に配設する前方保護部２０と、頭頂保護部１０を形成する帯状部材１０ａ，１０ｂ，１０ｃの長手方向の他端側に、帯状部材１０ａ，１０ｂ，１０ｃの長手方向に対して略直角方向に配設する後方保護部３０と、前方保護部２０の長手方向の両側に形成されて前方保護部２０を構成し、帯状部材１０ａ，１０ｂ，１０ｃの長手方向に対して略直角方向に配設する左右の側部としての側頭保護部２２Ｒ，２２Ｌと、前方保護部２０及び後方保護部３０を接合自在とする接合具として、前方保護部２０の裏面（Ｂ１）側であってその長手方向の両端側に取付けられた面ファスナ４１ａＲ，４１ａＬ及び後方保護部３０の表面（Ｆ１）側に取付けられた面ファスナ４１ｂとを有する。
【００５６】
図３乃至図１０に示した頭頂保護部１０は、長尺状に形成された３本の帯状部材１０ａ，１０ｂ，１０ｃによって構成し、それら３本の帯状部材１０ａ，１０ｂ，１０ｃの長手方向を一致させた配置としている。そして、３本の帯状部材１０ａ，１０ｂ，１０ｃは、それらの長さ方向に直角な幅方向で互いに結合することなく、分列している。
【００５７】
ここで、頭頂保護部１０を構成する帯状部材１０ａ，１０ｂ，１０ｃは、緩衝材Ａとそれを包む外装生地Ｂとによって形成されている。
各帯状部材１０ａ，１０ｂ，１０ｃは、例えば、図１１（ａ）に示すように、縫合線ｓにて袋状に閉じた一枚の布からなる外装生地Ｂに緩衝材Ａが入れられて形成される。勿論、例えば、図１１（ｂ）に示すように、２枚の布によって、或いは、３枚以上の布によって袋状を形成し、そこに緩衝材Ａを挿入しても良い。
【００５８】
緩衝材Ａとしては、頭部への衝撃を緩和できるクッション材であればよく、例えば、（ポリ）ウレタンフォーム、（ポリ）オレフィンフォーム等の緩衝機能が高いものが使用される。好ましくは、図１１（ｃ）に示すように、緩衝材Ａが編目状に形成されて強度を確保しつつ、三角形状の孔Ｐを有するものや、図１１（ｄ）に示すように、緩衝材Ａに任意形状の孔Ｐを所定間隔で設けたものである。このように厚み方向の表裏に貫通する孔Ｐを有することで、孔Ｐによって空気の出入りを許容するから、通気性を確保できる。
また、例えば、東洋紡株式会社から商品名「ブレスエアー（登録商標）」、株式会社シーエンジから「Ｃ−ＣＯＲＥ」、株式会社エアウィーヴから商品名「エアウィーヴ（登録商標）」、東レ・デュポン株式会社から「ハイトレル（登録商標）等として販売されている立体網状構造体、具体的には、樹脂からなる連続線条体が不規則に蛇行して絡み合っており、かつ、蛇行した状態で随所に接着してなり、連続線条体間の空間が連続して所定の厚みを有する立体網状構造体を緩衝材Ａに用いることでも、通気性を確保できる。
なお、薄厚と緩衝性との両立や、強度、緩衝性と通気性との両立のために、硬さや反発特性の異なる２種以上の緩衝材Ａを組み合わせて用いることも可能である。
【００５９】
緩衝材Ａを包み込む外装生地Ｂには、例えば、ポリエステル、綿、再生繊維等の生地を使用することで軽量化を図り、かつ、通気性を確保することができる。また、繰り返しの洗濯でも型崩れや損傷が生じ難く、洗濯によって清潔さ、衛生さを保つことができる。
特に、所定の開口の網目・網模様の構造を有するメッシュ（ネット）生地や、多少織目を粗くした粗密度の生地や、表裏のメッシュ生地間に通気性のある特定の厚みの空気層を形成する連結糸を織り込んでなる特定の厚みを有する立体編物（ダブルラッシェル）等のメッシュ状繊維からなる外装生地Ｂの使用により、高い通気性が確保され頭部の湿気や熱が放散されやすくなる。
【００６０】
中でも、立体編物（ダブルラッシェル）によれば、表裏のメッシュ生地間に織り込まれた連結糸によって形成される空気層により頭部保護具１を装着する者（以下、単に『装着者』という）の汗等の湿気や熱の発生に対しても、その湿気や熱を収容できる容積を有しており、更に、頭部の動きが空気層の体積変化となって、空気層の空気が排出及び供給されるから、汗を速やかに吸収でき、また、熱を逃すことができる。勿論、表裏のメッシュ生地及び空気層により通気性、通水性にも優れるから、水分の乾きも速い。更に、連結糸によって形成される空気層により多少の弾力性（クッション性）等を有し、衝撃を吸収する緩衝機能を発揮する。また、装着者の頭部の形状への馴染みもよい。
なお、このような立体編物（ダブルラッシェル）はダブルラッシェル機やトリコット機等の織布製造機によって製造され、その商品は、旭化成株式会社から「フュージョン（商標名）」、また、帝人興産から「エアクィーン（商標名）」等として販売されているので、ここでは仔細な説明を省略する。
【００６１】
そして、図３及び図４に示すように、このような緩衝材Ａ及びそれを包む外装生地Ｂから形成されている帯状部材１０ａ，１０ｂ，１０ｃの長手方向の一端部には、それらの一端部と略Ｔ字状に一体に接続した前方保護部２０が配設し、また、帯状部材１０ａ，１０ｂ，１０ｃの長手方向の他端部には、それらの他端部と略Ｔ字状に一体に接続した後方保護部３０が配設している。
また、図１１（ｃ）に示すように、緩衝材Ａの中心には硬質のウレタン、ポリオリフィン系等の弾性に富んだ板状の芯材Ｃを埋設し、外力が加わったとき、当該板状の芯材Ｃとの間で衝撃を吸収することができる。この場合には、単位面積当たりの衝撃力を緩衝できる。
【００６２】
ここで、帯状部材１０ａ，１０ｂ，１０ｃからなる頭頂保護部１０と前方保護部２０は、縫製によって縫合わされており、両者間は、頭頂保護部１０の面方向に対して直角方向に折り曲げ、湾曲自在となっている。即ち、帯状部材１０ａ，１０ｂ，１０ｃの長手方向の一端側で、前方保護部２０が頭頂保護部１０とその面方向を同一に延設した位置から、帯状部材１０ａ，１０ｂ，１０ｃの長手方向に対して垂直方向の位置、そして、面方向を重ね合わせる１８０度の位置まで変位可能に曲折自在に接続している。
また、帯状部材１０ａ，１０ｂ，１０ｃからなる頭頂保護部１０と後方保護部３０と関係も、縫製によって縫合わされ、両者間は、頭頂保護部１０の面方向に対して直角方向に折り曲げ、湾曲自在となっている。即ち、後方保護部３０が頭頂保護部１０とその面方向を同一に延設した位置から、帯状部材１０ａ，１０ｂ，１０ｃの長手方向に対して垂直方向の位置、そして、面方向を重ね合わせる１８０度の位置まで変位可能に曲折自在に接続している。
【００６３】
なお、ここでは、頭頂保護部１０を形成する帯状部材１０ａ，１０ｂ，１０ｃが前方保護部２０に接続する一端側において、中央に位置する帯状部材１０ｂに対して、その両側に位置する帯状部材１０ａ、帯状部材１０ｂが先端側の一部分で重なり合う状態で前方保護部２０に縫製によって縫合わされている（図３、図４、図５及び図６参照）。しかも、中央に位置する帯状部材１０ｂでは、その長手方向に対して略直角方向で前方保護部２０と縫合わされているのに対し、帯状部材１０ｂの左右両側の帯状部材１０ａ及び帯状部材１０ｃでは、それらの長さ方向に対して斜め方向で前方保護部２０と縫合わされている。
また、頭頂保護部１０を形成する帯状部材１０ａ，１０ｂ，１０ｃが後方保護部３０に接続する他端側においては、中央に位置する帯状部材１０ｂに対しその両側に位置する左右の帯状部材１０ａ、帯状部材１０ｃが重なり合うことなく隣接しまたは離れて配置し、それらの長手方向に対して略直角方向で後方保護部３０と縫合わされている。
【００６４】
このような構成により、図５及び図７に示す頭部保護具１の立体的な組立状態で、図５に示すように正面側（前方）みると、中央に位置する帯状部材１０ｂに対してその両側の帯状部材１０ａ及び帯状部材１０ｃが左右に離間する方向に鋭角状に拡がり、また、図７に示すように上側からみると頭頂保護部１０が流線形を表象するデザインとなり、意匠的効果を独特なものとしている。
特に、従来では、人体の頭頂部側に対応させるトップクラウン側が十字状に交差した形状であるから、人体の頭部に装着した際に頭頂部の形状によってトップクラウンが尖軸状の意匠に強調されやすく、即ち、頭頂部側を交差させるからそのボリュームで頭頂部側の天井が強調されやすく、見た目にバランスの悪さを感じることがある。これに対し、図３乃至図１０に示した頭部保護具１では、頭頂保護部１０を形成する帯状部材１０ａ，１０ｂ，１０ｃの長手方向を統一させた配置であることで、頭部に装着した際でも頭頂部側が強調され難く、デザイン性に優れる。
【００６５】
勿論、頭頂保護部１０を形成する帯状部材１０ａ，１０ｂ，１０ｃの配置は、それらの長手方向を一致させた配置であれば、上記に限定されるものではなく、前方保護部２０と後方方保護部３０の間で帯状部材１０ａ，１０ｂ，１０ｃが所定間隔で並行に配置するようにしてもよいし、後方方保護部３０側との接続においても帯状部材１０ａ，１０ｂ，１０ｃの一部を重複させるように接続してもよい。
【００６６】
そして、帯状部材１０ａ，１０ｂ，１０ｃの長手方向の一端側に接続する前方保護部２０は、帯状部材１０ａ，１０ｂ，１０ｃの長手方向に対して略直角な方向に延びている。
前方保護部２０は、人体の頭部の前頭部側に対応させる前頭保護部２１と、人体の右側頭部側及び左側頭部側に対応させる左右の側部としての右側頭保護部２２Ｒ及び左側頭保護部２２Ｌ（以下、右側頭保護部２２Ｒ，左側頭保護部２２Ｌを格別区別する必要のない場合には、単に、『側頭保護部２２Ｒ，２２Ｌ』と記す場合がある）とを連続的に形成してなるものであり、人体の頭部の前頭部側並びに右側頭部側及び左側頭部側に対応させる長さを有する。
【００６７】
図３乃至図１０に示した前頭保護部２１は、略一定の幅で直線状に形成されており、その幅方向の一端側には帯状部材１０ａ，１０ｂ，１０ｃが接続され、反対側の幅方向の他端側には鍔部２３が接続されている。
また、この前頭保護部２１の幅方向に対して略直角な方向で左右両側に延びる右側頭保護部２２Ｒ及び左側頭保護部２２Ｌは、人体の耳を覆うことのないように人体の耳の曲線形状に対応する湾曲形状を有する。
【００６８】
前方保護部２０も、緩衝材Ａとそれを包む外装生地Ｂとによって形成されており、例えば、図１１（ｂ）に示すように、２枚の表生地Ｂ１及び裏生地Ｂ２を縫合線ｓでの縫合わせによって袋状とした外装生地Ｂ１，Ｂ２によって緩衝材Ａが包まれて形成される。緩衝材Ａや外装生地Ｂの素材、構成、特性等は、頭頂保護部１０、前方保護部２０と同一であってもよいし、相異していてもよい。勿論、表生地Ｂ１と裏生地Ｂ２も互いに同一の素材、構成、特性等であっても良いし、相異していてもよい。
【００６９】
なお、図３乃至図１０に示した頭部保護具１では、前方保護部２０を構成する緩衝材Ａが湾曲可能な程度に適度な柔軟性を有し、前頭保護部２１と左右の側頭保護部２２Ｒ，２２Ｌとを区別することなく連続した１本の緩衝材Ａ及びそれを覆う外装生地Ｂによって形成している。しかし、前頭保護部２１と左右の側頭保護部２２Ｒ，２２Ｌとの間で緩衝材Ａを連続させずに区切っていてもよいし、緩衝材Ａに切込みを入れることで屈曲しやすくしていてもよい。
【００７０】
また、図３乃至図１０に示した頭部保護具１では、前方保護部２０において、その幅方向に直角な長さ方向の両端部に、後述する後方保護部３０と接合するための面ファスナ４１ａＲ，４１ａＬが取付けられている。詳細には、前方保護部２０の裏面（Ｂ１）側において、右側頭保護部２２Ｒの一端部側に面ファスナ４１ａＲが縫製によって縫付けられ、また、左側頭保護部２２Ｌの一端部側に面ファスナ４１ａＬが縫製によって縫付けられている。
【００７１】
なお、図３乃至図１０に示した頭部保護具１では、後方保護部３０に重ねられて接合される前方保護部２０の長さ方向の両端部では、緩衝材Ａを配置しないことで、重複する厚みを減らして、厚みの重複による通気性の低下を防止している。また、重量の軽量化を図り、面ファスによる接合強度を高めている。しかし、前方保護部２０の長さ方向の両端部の端縁まで緩衝材Ａを配置する設計とされていてもよい。
【００７２】
更に、図３乃至図１０に示した頭部保護具１では、前頭保護部２１に対し、頭頂保護部１０側とは反対側で外方向に延びる略楕円形状の鍔部２３が接続されている。
この鍔部２３は、例えば、発泡ポリエチレン等の剛性のある芯材を外装生地Ｂで包むことによって形成される。鍔部２３は、前頭保護部２１と面方向を同一に平面的に成形されるも、前頭保護部２１の面方向に対して直角方向に折曲自在に接続しているから、芯材の剛性により、後述するように前方保護部２０と後方保護部３０とを環状に接続して人体の頭部にかぶせる帽子状（ヘルメット状）に立体的に組立てたときに、前頭保護部２１の面方向に対して、その下縁から前方に突出して日除けや顔面の保護として機能する。また、このように前頭保護部２１に対して鍔部２３が折曲自在に形成されていると、例えば、収納・保管時において前頭保護部２１側に鍔部２３を折り畳み可能とし、コンパクト化を図ることができる。なお、鍔部２３は、装着者の視界を妨げない範囲の突出長さとする。
【００７３】
更にまた、図３乃至図１０に示した頭部保護具１では、左右の側頭保護部２２Ｒ，２２Ｌに対し、装着者の耳の周囲に配設される左右１対の耳紐２４Ｒ，２４Ｌがループ状に接続しており、左右の耳紐２４Ｒ，２４Ｌ間には顎紐２５が架け渡される。この顎紐２５には、マジックテープ（登録商標）等の１対の面ファスナ（接着布）２６ａ，２６ｂ及び１対の面ファスナ（接着布）２６ｃ，２６ｄが所定位置に取付けられている。
これより、顎紐２５の長さ方向の一端側を左右の耳紐２４Ｒ，２４Ｌの一方のループ内に通し、また、顎紐２５の長さ方向の他端側を左右の耳紐２４Ｒ，２４Ｌの他方のループ内に通し、そして、１対の面ファスナ２６ａ，２６ｂの接合及び１対の面ファスナ２６ｃ，２６ｄの接合により１対の耳紐２４Ｒ，２４Ｌに取付けることで、左右の耳紐２４Ｒ，２４Ｌ間に顎紐２５を架け渡して、装着者の顎に掛けることができるようになっている。なお、１対の面ファスナ２６ａ，２６ｂ及び１対の面ファスナ２６ｃ，２６ｄは、紐に余剰部が生じてぶらつくことのないように所定位置に設けられている。
【００７４】
耳紐２４Ｒ，２４Ｌや顎紐２５は、例えば、若干のクッション性を有する外装生地Ｂを筒状にして形成してもよいし、公知のヘルメット等の耳紐や顎紐に使用されているアクリル、ポリプロピレン製のテープ状のものを使用してもよい。また、伸縮性を持たせてもよい。更に、顎紐２５に緩衝性を有する幅広部を形成し、その幅広部で顎を受けて保護できるようにしてもよい。この幅広部は顎紐２５に対して取付自在としてもよいし、顎紐２５と一体化させてもよい。
【００７５】
特に、図３乃至図１０に示した頭部保護具１では、顎紐２５が面ファスナ２６ａ，２６ｂ，２６ｃ，２６ｄにより耳紐２４Ｒ，２４Ｌに取付け及び取外し自在である。よって、装着者の好み等に応じて顎紐２５を取付けたり取外したりでき、また、新品等との交換も自在であり、使い勝手がよい。
更に、面ファスナ２６ａ，２６ｂ，２６ｃ，２６ｄの幅の分だけ連続的に小刻みに接続位置を調節して、１対の耳紐２４Ｒ，２４Ｌ間を架け渡す顎紐２５の重なりの調節により、顎紐２５が１対の耳紐２４Ｒ，２４Ｌ間を架け渡す長さが調節自在であり、装着者の顎にかける締結力の調節を自在とする。
そして、面ファスナ２６ａ，２６ｂ，２６ｃ，２６ｄであれば、肌が圧迫されることもなく、更に転倒時に顎等が圧迫されて怪我をするようなこともない。
【００７６】
このように、図３乃至図１０に示した頭部保護具１では、面ファスナ２６ａ，２６ｂ，２６ｃ，２６ｄの使用により、１対の耳紐２４Ｒ，２４Ｌ間への顎紐２５の取付けを自在とし、また、顎紐２５を１対の耳紐２４Ｒ，２４Ｌ間に架け渡す長さの調節を自在としている。しかし、１対の耳紐２４Ｒ，２４Ｌに顎紐２５を取付けて架け渡す取付手段や、顎紐２５を１対の耳紐２４Ｒ，２４Ｌ間に架け渡す長さの調節手段は、面ファスナ２６ａ，２６ｂ，２６ｃ，２６ｄに限定されるものではなく、例えば、ドット釦、ホック、ボタン及びボタンホール、スナップボタン、アジャスタ、バックル等を使用していてもよい。また、このような取付具、長さ調節具を設けることなく、単に顎紐２５を１対の耳紐２４Ｒ，２４Ｌに結んで取付ける構成としていてもよい。
更に、耳紐２４Ｒ，２４Ｌを設けることなく、顎紐２５を直接的に左右の側頭保護部２２Ｒ、２２Ｌに取付ける構造であってもよい。
【００７７】
また、頭頂保護部１０を介して前方保護部２０とは反対側に位置し、頭頂保護部１０を形成する帯状部材１０ａ，１０ｂ，１０ｃの長手方向に対して略直角方向に配設する本実施の形態１の後方保護部３０は、人体の頭部の後頭部側に対応させる略楕円形状の後頭部保護部３１から形成されている。
【００７８】
即ち、図３乃至図１０に示した頭部保護具１では、頭部の右側頭部側及び左側頭部側に対応させる左右の側部としての右側頭保護部２２Ｒ及び左側頭保護部２２Ｌが前方保護部２０側に形成されているから、帯状部材１０ａ，１０ｂ，１０ｃの長手方向に対して略直角方向の後方保護部３０の長さは、前方保護部２０の長さより短い。
【００７９】
図３乃至図１０に示した頭部保護具１の後方保護部３０も、緩衝材Ａとそれを包む外装生地Ｂとによって形成されており、例えば、図１１（ｂ）に示すように、２枚の表生地Ｂ１及び裏生地Ｂ２が縫合線ｓでの縫合わせによって袋状とされた外装生地Ｂ１，Ｂ２によって緩衝材Ａを包み込んで形成される。緩衝材Ａや外装生地Ｂの素材、構成、特性等は、頭頂保護部１０、前方保護部２０と同一であってもよいし、相異していてもよい。
【００８０】
そして、図３乃至図１０に示した頭部保護具１では、後方保護部３０において、表面（Ｆ１）側に、前方保護部２０の長さ方向の両端部に設けられた面ファスナ４１ａＲ，４１ａＬに対応する面ファスナ４１ｂが縫製によって縫付けられている。
【００８１】
この面ファスナ４１ｂは、帯状部材１０ａ，１０ｂ，１０ｃの長手方向に対して略直角な方向を左右方向としたときに、後方保護部３０において、その左右方向に長く設けられており、前方保護部２０の長さ方向の両端部に設けた面ファスナ４１ａＲ，４１ａＬとの接続位置が無段階で調節できるようになっている。即ち、帯状部材１０ａ，１０ｂ，１０ｃの長手方向に対して略直角な方向を左右方向としたときに前方保護部２０においてその左右方向の両端部に設けた面ファスナ４１ａＲ，４１ａＬが、後方保護部３０の面ファスナ４１ｂに接合するとき、面ファスナ４１ａＲが取付けられた前方保護部２０の長手方向（左右方向）の一端部と、面ファスナ４１ａＬが取付けられた前方保護部２０の長手方向（左右方向）の他端部との、それら両者の間隔（後方保護部３０の左右方向の間隔）を無段階で調節自在としている。
これより、後述する図８でも示すように、人体の頭部に被せる頭部保護具１の内周（内径）のサイズを無段階で調節、例えば、頭部保護具１の内周（内径）のサイズを６ｃｍ〜１１ｃｍで調節自在とする。
【００８２】
更に、面ファスナ４１ｂは、後方保護部３０の左右方向に対して直角な上下方向にも幅広とし、前方保護部２０の長手方向の両端部に設けた面ファスナ４１Ｒ，４１Ｌも、前方保護部２０の長手方向に対して直角な幅方向に長く設けているから、一対の面ファスナ４１ａＲ，４１ａＬと面ファスナ４１ｂとの接続位置は、後方保護部３０においてその左右方向に直角な上下方向（高さ方向）でも調節自在である。
よって、人体の頭部に被せる深さも無段階で調節、例えば、４ｃｍ〜６ｃｍのサイズ深さで調節自在とする。
【００８３】
つまり、図３乃至図１０に示した頭部保護具１では、一対の面ファスナ４１ａＲ，４１ａＬと面ファスナ４１ｂの幅及び長さの分だけ接続位置を調節して、頭部保護具１の内周径及び頭部に被せる深さを調節できる。特に、接合具が面ファスナであるから、連続的に小刻みに無段階でサイズを調節できる。
【００８４】
更に、図３乃至図１０に示した頭部保護具１においては、前方保護部２０の両端縁に、補助接続具として、紐ｔ（図６参照）が通されるループ４３Ｒ，４３Ｌを設けており、ループ４３Ｒ，４３Ｌに１本以上の紐ｔを通し、紐ｔの長さを短く結ぶ締め付けにより、後方保護部３０に接合させた右側頭保護部２２Ｒと左側頭保護部２２Ｌの間隔の固定を可能とする。これにより、後述する前方保護部２０と後方保護部３０の環状の接続関係が容易に解かれないように安全性を高めることができる。なお、紐ｔを結ぶ締め付けにより右側頭保護部２２Ｒと左側頭保護部２２Ｌを連結することに限定されず、ボタン等の係合具に伸縮性のループを掛ける構造や、長さ調節を可能とするアジャスタとバックルを使用した連結構造等であってもよい。
【００８５】
こうして、本実施の形態１に係る頭部保護具用インナー１００が取付けられる頭部保護具１は、図３及び図４に示すように、互いに長手方向を一致させて分列した複数の帯状部材１０ａ，１０ｂ，１０ｃからなる頭頂保護部１０に対し、その帯状部材１０ａ，１０ｂ，１０ｃの長手方向の両端に曲折自在に一体に接続しており、前方保護部２０及び後方保護部３０に取付けた接合具としての一対の面ファスナ４１ａＲ，４１ａＬと面ファスナ４１ｂによって、前方保護部２０及び後方保護部３０が接合及び分離自在であり、かつ、その接合位置が調節自在である。
即ち、頭頂保護部１０を形成する帯状部材１０ａ，１０ｂ，１０ｃの長さ方向の一端部側に、その長さ方向に対して略直角方向に延びる前頭保護部２１及び左右の側頭保護部２２Ｒ，２２Ｌからなる前方保護部２０が形成され、また、帯状部材１０ａ，１０ｂ，１０ｃの長さ方向の他端部側に、その長さ方向に対して略直角方向に配設する後方保護部３０が形成されており、これら帯状部材１０ａ，１０ｂ，１０ｃから形成された頭頂保護部１０と、前頭保護部２１及び左右の側頭保護部２２Ｒ，２２Ｌからなる前方保護部２０と、後頭保護部３１からなる後方保護部３０とが、それらの面方向を同一とした平面的な成形となっている。なお、平面的に成形とは、複数の帯状部材１０ａ，１０ｂ，１０ｃで形成されている頭頂保護部１０と、前方保護部２０と、後方保護部３０の面方向が同一に平面的に展開された状態を意味する。
【００８６】
そして、前方保護部２０には、その長さ方向の両端部の裏面（Ｂ１）側に面ファスナ４１ａＲ，４１ａＬが取付けられ、後方保護部３０の表面（Ｆ１）側には面ファスナ４１ａＲ，４１ａＬに対応する面ファスナ４１ｂが取付けられている。
更に、前頭保護部２１及び左右の側頭保護部２２Ｒ，２２Ｌからなる前方保護部２０と、帯状部材１０ａ，１０ｂ，１０ｃからなる頭頂保護部１０との両者は、それらの面方向が互いに０〜１８０度で折れ曲がり自在となっており、また、後方保護部３０と帯状部材１０ａ，１０ｂ，１０ｃからなる頭頂保護部１０の両者間も、それらの面方向が互いに０〜１８０度で折れ曲がり自在となっている。
【００８７】
したがって、前方保護部２０の長さ方向の両端部と後方保護部３０とを接近させ、前方保護部２０の両端部の裏面（Ｂ）側に取付けた面ファスナ４１ａＲ，４１ａＬと、後方保護部３０の表面（Ｆ）側に取付けた面ファスナ４１ｂとを接合すると、前方保護部２０と後方保護部３０が接続する。
即ち、図６に示すように、前方保護部２０を構成する右側頭保護部２２Ｒの一端部の裏面（Ｂ１）側に設けた面ファスナ４１ａＲと、後方保護部３０の表面（Ｆ）側に設けた面ファスナ４１ｂとの接合により、後方保護部３０の左右方向の一方側で前方保護部２０の右側頭保護部２２Ｒと重なり合って接合し、また、前方保護部２０を構成する左側頭保護部２２Ｌの一端部の裏面（Ｂ１）側に設けた面ファスナ４１ａＬと、後方保護部３０の表面（Ｆ１）側に設けた面ファスナ４１ｂとの接合により、後方保護部３０の左右方向の他方側で前方保護部２０の左側頭保護部２２Ｌと重なり合って接合し、前方保護部２０を構成する右側頭保護部２２Ｒ及び左側頭保護部２２が後方保護部３０に連結することで、図５乃至図１０に示すように、前方保護部２０及び後方保護部３０が環状に連続する。
【００８８】
このとき、図３乃至図１０に示した頭部保護具１では、左右の側頭保護部２２Ｒ，２２Ｌが形成されている前方保護部２０の長さが人体の頭部の前頭部側及び左右の側頭部側に対応する長さ以上に形成されており、そして、左右の側頭保護部２２Ｒ，２２Ｌの一端部側の裏面（Ｂ１）側に設けた面ファスナ４１ａＲ，４１ａＬの相手となる面ファスナ４１ｂが後方保護部３０の表面（Ｆ１）側に設けられているから、図６に示すように、前方保護部２０の長さ方向の両端部は、互いに対向するように内側に曲折されて、後方保護部３０の表面（Ｆ１）側と前方保護部２０の長さ方向の両端部の裏面（Ｂ１）側が対向して接合される。
【００８９】
特に、図３乃至図１０に示した頭部保護具１では、前方保護部２０側に側頭保護部２２Ｒ，２２Ｌが形成されており、前方保護部２０の長さが人体の頭部の前頭部側及び左右の側頭部側に対応する長さ以上に形成されているから、人体の頭部の後頭部側に対応させる後頭保護部３１からなる後方保護部３０側に対して、その左右両側に前方保護部２０の長手方向の端部が接続し、前方保護部２０との接合が行われる。よって、人体の頭部の後頭部側で後方保護部３０と前方保護部２０とが重複するから、人体の頭部の後頭部側を重点的に保護したい場合に有利である。
【００９０】
なお、図３乃至図１０に示した頭部保護具１では、後方保護部３０の表面（Ｆ１）側に面ファスナ４１ｂが設けられ、また、左右の側頭保護部２２Ｒ，２２Ｌの一端部側の裏面（Ｂ１）側に面ファスナ４１ａＲ，４１ａＬが設けられており、左右の側頭保護部２２Ｒ，２２Ｌの一端部側の裏面（Ｂ）側と後方保護部３０の表面（Ｆ）側が対向するように前方保護部２０と後方保護部３０が重なり合い、人体の頭部に接触する頭部保護具１の内面側には、面ファスナが表出しないから、面ファスナに頭部の髪の毛等が付着するようなこともない。
【００９１】
そして、頭頂保護部１０を形成する帯状部材１０ａ，１０ｂ，１０ｃの長手方向の両端側で前方保護部２０及後方保護部３０が曲折自在に接続していることから、図５乃至図１０に示すように、頭頂保護部１０を形成する帯状部材１０ａ，１０ｂ，１０ｃの長手方向に対して垂直方向に前方保護部２０及後方保護部３０を位置させると、頭頂保護部１０が人体の頭部の頭頂部側に対応し、また、環状に接続された前方保護部２０及び後方保護部３０が人体の頭部の水平周囲に対応して、人体の頭部形状に対応する立体形状に組立てられる。
【００９２】
即ち、図５乃至図１０に示すように、前方保護部２０の面方向が帯状部材１０ａ，１０ｂ，１０ｃからなる頭頂保護部１０の面方向に対して略垂直な方向に位置し、更に、湾曲可能な程度に柔軟に形成した前方保護部２０の長さ方向がＵ字状に湾曲してその両端側が対向するように内側に曲折され（湾曲され）、頭頂保護部１０の面方向に対して垂直な方向に位置した後方保護部３０に接合することにより、頭頂保護部１０、前方保護部２０及び後方保護部３０で囲まれる空間、即ち、頭頂保護部１０、前方保護部２０及び後方保護部３０によって頭部が入れられる空間を形成し、頭部に被せる帽子状（ヘルメット状）の立体形状に組立てられる。
【００９３】
このようにして組立てられる図５乃至図１０に示した頭部保護具１においては、頭頂保護部１０を形成する３本の帯状部材１０ａ，１０ｂ，１０ｃの長手方向が一致して配置され、それらは長手方向の両端部で前方保護部２０及び後方保護部３０に接続しているも前方保護部２０及び後方保護部３０の間では相互に結合することなく分列していることで、帯状部材１０ａ，１０ｂ，１０ｃの相互間は開口１２となっており、そこで空気の流通が許容される。即ち、人体の頭部への装着時には頭部の形状に対応して帯状部材１０ａ，１０ｂ，１０ｃの相互間が大きく離間し、そこが開口１２となっている。
【００９４】
また、図５乃至図１０に示した頭部保護具１においては、中央に位置する帯状部材１０ｂに対して左右に位置する帯状部材１０ａ，１０ｃが、その長手方向の両端部で前方保護部２０の前頭保護部２１及び後方保護部３０の後頭保護部３１に接続し、帯状部材１０ａ，１０ｃの長手方向に対して直角な幅方向では前方保護部２０及び後方保護部３０に接続しておらず、頭部保護具１を立体的に組立てた状態で、頭頂保護部１０の面方向に対して略垂直な方向に位置する前方保護部２０及び後方保護部３０と、帯状部材１０ａ，１０ｂ，１０ｃの長さ方向に対して直角な幅方向の頭頂保護部１０の左右両側との間が開口１３となっている。即ち、帯状部材１０ａ，１０ｃと前方保護部２０及び後方保護部３０との間が開口１３となっており、そこでも空気の流通が許容される。
【００９５】
特に、図３乃至図１０に示した頭頂保護部１０は、それを構成する帯状部材１０ａ，１０ｂ，１０ｃが互いに長手方向を一致させて分列した形成であるから、帯状部材１０ａ，１０ｂ，１０ｃ相互間の開口１２は、帯状部材１０ａ，１０ｂ，１０ｃの長さ方向に延びる連続的な形成である。
また、同様に、帯状部材１０ａ，１０ｃと前方保護部２０及び後方保護部３０との間の開口１３も、帯状部材１０ａ，１０ｂ，１０ｃの長さ方向に延びる連続的な形成である。
【００９６】
よって、図３乃至図１０に示した頭部保護具１においては、帯状部材１０ａ，１０ｂ，１０ｃ相互間に形成される開口１２、並びに、帯状部材１０ａ，１０ｃと前方保護部２０及び後方保護部３０との間に形成される開口１３が、帯状部材１０ａ，１０ｂ，１０ｃの長さ方向に延びて連続的であり、装着時に頭部の前方側から頭頂部側を通って後方側まで連続しているから、場合によっては空気の流れを生じさせることもでき、頭部全体の熱や湿気が効果的に逃げて、熱や湿気がこもり難い。そして、頭部の前方側から頭頂部側を通って後方側に向かう連続的な開口が、帯状部材１０ａと帯状部材１０ｂの間の開口１２及び帯状部材１０ｂと帯状部材１０ｃの間の開口１２、並びに、帯状部材１０ａと前方保護部２０及び後方保護部３０側と間の開口１３及び帯状部材１０ｃと前方保護部２０及び後方保護部３０側と間の開口１３の４箇所に分布し、頭部の広範囲で熱や湿気を効果的に逃げ易くしている。
【００９７】
更に、図３乃至図１０に示した頭部保護具１においては、前方保護部２０の両端部の裏面（Ｂ）側に設けた面ファスナ４１ａＲ，４１ａＬと後方保護部３０の表面（Ｆ）側に設けた面ファスナ４１ｂとの接合で、前方保護部２０及び後方保護部３０が環状に連続的に接続され、前方保護部２０及び後方保護部３０の厚みの重複が２箇所のみであるから、厚みの重複による通気性低下の影響も少ない。
【００９８】
更にまた、図３乃至図１０に示した頭部保護具１においては、このように頭頂保護部１０が互いに長手方向を一致させて分列した複数の帯状部材１０ａ，１０ｂ，１０ｃで形成され、帯状部材１０ａ，１０ｂ，１０ｃがその長手方向で前方保護部２０及び後方保護部３０と接続するのみで、帯状部材１０ａ，１０ｂ，１０ｃの長さ方向に直角な幅方向では、帯状部材１０ａ，１０ｂ，１０ｃ相互間に帯状部材１０ａ，１０ｂ，１０ｃの長手方向に延びる連続的な開口１２が形成され、また、帯状部材１０ａ，１０ｃと前方保護部２０及び後方保護部３０と間に帯状部材１０ａ，１０ｂ，１０ｃの長手方向に延びる連続的な開口１３が形成されているから、それら頭部保護具１の前方側から後方側に向かって連続的に形成された開口１２及び開口１３により、複数の帯状部材１０ａ，１０ｂ，１０ｃの相互間の間隔が変形自在（変化自在）であり、人体の頭部の形状に追従するフィット性が得られる。
【００９９】
このように、図３乃至図１０に示した頭部保護具１によれば、帯状部材１０ａ，１０ｂ，１０ｃ相互間で帯状部材１０ａ，１０ｂ，１０ｃの長さ方向に延びる連続的な形成の開口１２と、帯状部材１０ａ，１０ｃと前方保護部２０及び後方保護部３０との間で帯状部材１０ａ，１０ｂ，１０ｃの長さ方向に延びる連続的な形成の開口１３とによって、通気性を高めることができ、また、人体の頭部の形状に対応するフィット性を得ることができる。更に、前方保護部２０及び後方保護部３０の厚みの重複が２箇所のみであるから、厚みの重複による通気性低下の影響も少ない。よって、装着時の快適さを高めることができる。
【０１００】
特に、メッシュ状繊維で形成され軽量なポリエステル、綿等の生地を外装生地Ｂに使用することで、通気性が高くなり、洗濯も可能であるから、衛生さ、清潔さを保つことができる。更に、長時間の装着でも重さを感じることが少なく、装着の重さによる負担も少なくできる。
即ち、従来の保護帽では、衝撃吸収や保護性の重視から丈夫な革素材で形成されていたため、通気性に欠けて蒸れ易かったり、その厚みによって視野を狭く感じたり重さを感じたりすることで煩わしさを感じ、その装着に不快感を示す小児も多かった。また、重厚感やボリュームにより装着時の見た目にもバランスの悪さを感じ保護帽を被っての外出は敬遠されがちであった。
これに対し、図３乃至図１０に示した頭部保護具１においては、前方から後方に向かって連続的形成された開口１２及び開口１３によって、頭部形状に対するフィット性が得られ、軽量でもあるから、人体の頭部に対して見た目にバランスされた装着を可能とし、外観性の向上を可能とする。
【０１０１】
そして、図３乃至図１０に示した頭部保護具１では、このように前方保護部２０の長手方向の両端部の裏面（Ｂ１）側に設けた面ファスナ４１ａＲ，４１ａＬと後方保護部３０の表面（Ｆ１）側に設けた面ファスナ４１ｂとの接合で、前方保護部２０及び後方保護部３０を環状に連続的に接続し、頭頂保護部１０を形成する帯状部材１０ａ，１０ｂ，１０ｃの長手方向に対して垂直方向に前方保護部２０及後方保護部３０を位置することで、頭部に被せる立体的な組立状態となるが、前方保護部２０と後方保護部３０の接続において、前方保護部２０の長さ方向に直角な幅方向に長く設けた面ファスナ４１ａＲ，４１ａＬ及び後方保護部３０の長さ方向及び幅方向に広大な面積で設けた面ファスナ４１ｂにより、１対の面ファスナ４１ａＲ，４１ａＬと面ファスナ４１ｂの接続位置の選択を自在としている。即ち、図８において、前方保護部２０を形成する左右の側頭保護部２２Ｒ，２２Ｌの端部を対向させる左右方向の間隔、及び、左右の側頭保護部２２Ｒ，２２Ｌの後方保護部３０に対する上下方向（高さ方向）の接続位置の調節が自在である。
【０１０２】
したがって、１対の面ファスナ４１ａＲ，４１ａＬと面ファスナ４１ｂの接合位置の調節により、頭部の寸法に合わせて、頭部保護具１の内径（内周囲）及び頭部に被せる深さが調節自在である。これより、個人の頭部の寸法形状、頭部の成長や症例の変化、髪型、髪のボリューム、好み等に対応して、頭部にフィットさせることができ、快適な装着を可能とする。特に、個人の頭部の症状や成長にも対応させることができ、長期間に亘っての使用を可能とする。即ち、装着者の頭部が成長したときでも、１対の面ファスナ４１ａＲ，４１ａＬと面ファスナ４１ｂの接合位置の調節により頭部保護具１の内径（内周囲）を大きくする等によって、装着者の頭部の寸法形状に対応させることができるから、圧迫して窮屈感や痛みを感じさせることもなく長期に亘って快適に装着できる。故に、買い替えの金銭的負担を減らすこともできる。更に、頭部に被せるその深さの調節により装着者の頭部の形状等に応じて最適なフィット感を得ることができ、見た目にもシルエットバランスのよい装着形態を可能とする。
【０１０３】
更に、図３乃至図１０に示した頭部保護具１の製造は、頭頂保護部１０を形成する互いに長手方向を一致させた帯状部材１０ａ，１０ｂ，１０ｃの長さ方向の一端部に、その長さ方向に対して略直角方向に延びる前頭保護部２１及び側頭保護部２２Ｒ，２２Ｌからなる前頭保護部２０を形成し、また、帯状部材１０ａ，１０ｂ，１０ｃの長さ方向の他端部に、その長さ方向に対して略直角方向に配設する後頭保護部３１からなる後方保護部３０を形成し、互いに長手方向を一致させて分列した帯状部材１０ａ，１０ｂ，１０ｃからなる頭頂保護部１０と、前頭保護部２１及び側頭保護部２２Ｒ，２２Ｌからなる前頭保護部２０と、後頭保護部３１からなる後方保護部３０とを平面的に成形するものであるから、その縫製作業も極めて容易である。
【０１０４】
特に、人体の頭頂部側に対応させる頭頂保護部１０を介して離間した配置の前方保護部２０及び後方保護部３０を１対の面ファスナ４１ａＲ，４１ａＬと面ファスナ４１ｂによって接続自在としていることで、接合箇所も前方保護部２０及び後方保護部３０のみの接続であり、接合の構成及び接続関係がシンプルで、形状も単調で縫製も分かり易い。よって、緩衝材Ａや外装生地Ｂの裁断作業や、緩衝材Ａを外装生地Ｂで被覆する縫製作業や、各パーツを接続する縫製作業が簡単である。更に、１対の面ファスナ４１ａＲ，４１ａＬと面ファスナ４１ｂのみの接合であるから、面ファスナの材料コストも節減でき、面ファスナを縫製等によって取付ける作業も短時間で簡単に済む。よって、製造が簡単であり、コストも廉価である。
【０１０５】
更に、図３乃至図１０に示した頭部保護具１では、前方保護部２０と後方保護部３０は、帯状部材１０ａ，１０ｂ，１０ｃの長手方向に対して略直角方向の左右両側が、１対の面ファスナ４１ａＲ，４１ａＬと面ファスナ４１ｂによって接合及び分離自在であり、前方保護部２０と後方保護部３０を連続して一体に形成する場合と比較してカーブのラインがないから、縫製が容易であり、人為的誤差が介在しにくい縫製が可能である。特に、緩衝性が高い緩衝材Ａを使用しても、即ち、厚みがあったり硬かったりして可撓性が低い緩衝材Ａであっても、平面的な成形による歪みが生じ難い。よって、縫製作業がより簡単であり、歪みの少ない仕上がり精度が高いものとなる。
【０１０６】
更にまた、図３乃至図１０に示した頭部保護具１では、前方保護部２０と頭頂保護部１０とが略Ｔ字状に一体に接続され、また、後方保護部３０と頭頂保護部１０も略Ｔ字状に一体に接続されているから、前方保護部２０及び後方保護部１０のシルエットに方向転換のカーブラインが存在せず、直線的なラインの縫製であるから、極めて容易に縫製できる。
【０１０７】
加えて、図３乃至図１０に示した頭部保護具１は、このように１対の面ファスナ４１ａＲ，４１ａＬと面ファスナ４１ｂの接合、及び、頭頂保護部１０を形成する帯状部材１０ａ，１０ｂ，１０ｃの長手方向に対して垂直方向に前方保護部２０及び後方保護部３０を位置することにより、人体の頭部に被せる形状に立体的に組立てるものであり、頭部保護具１を使用しないときには、１対の面ファスナ４１ａＲ，４１ａＬと面ファスナ４１ｂの接合を解いて平面的に展開できるから、収納・保管の際の空間スペースを節約できる。特に、頭頂保護部１０を形成する帯状部材１０ａ，１０ｂ，１０ｃと前方保護部２０及び後方保護部３０とは、互いに面方向が直角方向に折曲自在に接続されているから、それらを折曲げてコンパクトに畳むことも可能である。
【０１０８】
このように、本実施の形態１に係る頭部保護具用インナー１００を取付ける取付対象の一例として図３乃至図１０に示した頭部保護具１は、互いに長手方向を一致させた複数の帯状部材１０ａ，１０ｂ，１０ｃで形成され、装着対象である頭部の頭頂部側を保護する頭頂保護部１０と、頭頂保護部１０を形成する複数の帯状部材１０ａ，１０ｂ，１０ｃの長手方向の一端側に曲折自在に接続し、頭部の前方側を保護する前方保護部２０と、頭頂保護部１０を形成する複数の帯状部材１０ａ，１０ｂ，１０ｃの長手方向の他端側に曲折自在に接続し、頭部の後方側を保護する後方保護部３０と、前方保護部２０に形成され、頭頂保護部１０を形成する複数の帯状部材１０ａ，１０ｂ，１０ｃの長手方向に対して直角方向に配設する左右の側部としての側頭保護部２２Ｒ，２２Ｌと、複数の帯状部材１０ａ，１０ｂ，１０ｃの長手方向の両端側で曲折自在に接続した前方保護部２０及び後方保護部３０に取付けられ、前方保護部２０及び後方保護部３０を接合及び分離自在とし、かつ、前方保護部２０と後方保護部３０の接合位置を調節自在とする接合具としての１対の面ファスナ４１ａＲ，４１ａＬ及び面ファスナ４１ｂとを具備し、前方保護部２０及び後方保護部３０を１対の面ファスナ４１ａＲ，４１ａＬと面ファスナ４１ｂで接合して立体的組立状態とし、接合した前方保護部２０及び後方保護部３０と、頭頂保護部１０を形成する複数の帯状部材１０ａ，１０ｂ，１０ｃの間に開口１３が形成されているものである。
【０１０９】
ここで頭頂保護部１０は、装着対象である頭部の頭頂部側に対応して、頭部の頭頂部側を覆うものであり帽子のトップクラウンに相当する部位である。この頭頂保護部１０は、互いに長手方向を一致させた複数の帯状部材１０ａ，１０ｂ，１０ｃで形成され、帯状部材１０ａ，１０ｂ，１０ｃ同士が互いに長手方向を一致させて分列しているものである。
ここで、上記互いに長手方向を一致とは、帯状部材１０ａ，１０ｂ，１０ｃの長さ方向の端縁の向きを統一することまでを要求するものではなく、長辺の方向を同一としていればよい。また、帯状部材の長さ方向の端縁が並列的であってもよいし、重複していてもよい。
【０１１０】
前方保護部２０は、複数の帯状部材１０ａ，１０ｂ，１０ｃの長手方向の一端側に曲折自在に接続し、頭部の前方側を保護するものである。この前方保護部２０は、複数の帯状部材１０ａ，１０ｂ，１０ｃの全てにその長手方向の一端側で接続し、複数の帯状部材１０ａ，１０ｂ，１０ｃを統一する長さ以上に形成され、少なくとも頭部の前頭部側に対応される。そして、複数の帯状部材の長手方向の一端側に曲折自在に接続とは、複数の帯状部材１０ａ，１０ｂ，１０ｃで形成されている頭頂保護部１０の面方向と前方保護部２０の面方向とでなす角度が０〜１８０度に変化自在であることを意味する。
【０１１１】
また、後方保護部３０は、複数の帯状部材１０ａ，１０ｂ，１０ｃの長手方向において前方保護部２０側とは反対側の他端側に曲折自在に接続し、頭部の後方側を保護するものである。この後方保護部３０も、複数の帯状部材の全てにその長手方向の他端側で接続し、複数の帯状部材１０ａ，１０ｂ，１０ｃを統一する長さ以上に形成され、少なくとも頭部の後頭部側に対応される。そして、複数の帯状部材１０ａ，１０ｂ，１０ｃの長手方向の他端側に曲折自在に接続とは、複数の帯状部材１０ａ，１０ｂ，１０ｃで形成されている頭頂保護部１０の面方向と後方保護部３０の面方向とでなす角度が０〜１８０度に変化自在であることを意味する。
なお、上記頭部の前方側、後方側とは前後で等分した領域を示すものではなく、前後の相対的関係を示したものである。
【０１１２】
これら前方保護部２０及び／または後方保護部３０には、複数の帯状部材１０ａ，１０ｂ，１０ｃの長手方向に対して直角方向に配設した左右の側部が形成されているものである。この左右の側部は、頭部の右側頭部側及び左側頭部側に対応させる部位であり、前方保護部２０側及び／または後方保護部３０側に形成されるが、必ずしも左右の側部２２Ｒ，２２Ｌが前方保護部２０側及び／または後方保護部３０側で左右両側に対称的に設ける必要はない。即ち、左右の側部２２Ｒ，２２Ｌの両方を前方保護部２０側または後方保護部３０側に設けることに限定されず、前方保護部２０側に左右の側部２２Ｒ，２２Ｌの一方を設け、後方保護部３０側に左右の側部２２Ｒ，２２Ｌの他方を設けてもよい。
これら前方保護部２０及び後方保護部３０は、頭部の水平周囲（頭囲）に対応して、頭部の水平周囲を覆うものであり帽子のサイドクラウンに相当する部位である。
【０１１３】
上記接合具としては、前方保護部２０及び後方保護部３０を接合して接合自在とし、かつ、前方保護部２０と後方保護部３０の接合位置を調節自在とするものであればよく、例えば、面ファスナ、ドット釦、ホック、ボタン及びループ、バックル等が使用できる。なお、前方保護部２０と後方保護部３０の接合位置の調節は、接合具を複数設けて接合位置を任意の選択として段階的な調節としてもよいし、例えば、面ファスナのように１つの大きな面積で接合位置を任意の選択として無段階で調節できるようにしてもよい。この前方保護部２０と後方保護部３０の接合位置の調節は、少なくとも頭部の頭囲の長さに対応して、前方保護部２０と後方保護部３０が環状に連続する長さを調節自在であればよく、即ち、前方保護部２０と後方保護部３０で囲まれる内径のサイズを調節自在であればよい。更に好ましくは、頭部に被せる深さをも調節自在とするものである。なお、前方保護部２０及び後方保護部３０を環状に連続とは、前方保護部２０及び後方保護部３０が連続して頭部の水平周囲（頭囲）に対応することを意味し、前方保護部２０及び後方保護部３０により形成される環状が正確に円形状であることまでを特定するものではない。
【０１１４】
また、上記立体的な組立状態は、前方保護部２０及び後方保護部３０を１対の面ファスナ４１ａＲ，４１ａＬと面ファスナ４１ｂ等の接合具で接合することで、頭頂保護部１０の帯状部材の長手方向の両端側に曲折自在に接続した前方保護部２０及び後方保護部３０が頭頂保護部１０の帯状部材１０ａ，１０ｂ，１０ｃの長手方向に対して垂直方向に位置し、頭頂保護部１０、前方保護部２０及び後方保護部３０によって囲まれる頭部に被せる空間を形成し、立体形状に組立てられることを示す。
【０１１５】
更に、頭頂保護部１０と前方保護部２０及び後方保護部３０との間の開口１３は、帯状部材１０ａ，１０ｂ，１０ｃの長さ方向に対して直角な幅方向の頭頂保護部１０の左右両側で、頭頂保護部１０の帯状部材１０ａ，１０ｂ，１０ｃと前方保護部２０及び後方保護部３０との間に形成される２つの開口であり、帯状部材１０ａ，１０ｂ，１０ｃの長さ方向に延びている。
【０１１６】
こうして、図３乃至図１０に示した頭部保護具１は、互いに長手方向を一致させて分列する複数の帯状部材１０ａ，１０ｂ，１０ｃで形成された頭頂保護部１０に対し、その帯状部材１０ａ，１０ｂ，１０ｃの長手方向の一端側に前方保護部２０が接続し、反対側の他端側に後方保護部３０が接続しており、前方保護部２０には複数の帯状部材１０ａ，１０ｂ，１０ｃの長手方向に対して略直角方向に配設する側頭保護部２２Ｒ，２２Ｌが形成されている。また、頭頂保護部１０と、左右の側頭保護部２２Ｒ，２２Ｌが形成されている前方保護部２０と、後方保護部３０とは面方向を同一として平面的に成形されている。即ち、平面的に展開自在である。
そして、各前方保護部２０、後方保護部３０は、帯状部材１０ａ，１０ｂ，１０ｃの長手方向の一端側で曲折自在な接続であり、また、左右の側頭保護部２２Ｒ，２２Ｌが形成された前方保護部２０の長手方向の両端部に取付けた面ファスナ４１ａＲ，４１ａＬと後方保護部３０に取付けた面ファスナ４１ｂとによって、前方保護部２０及び後方保護部３０が環状に接合及び分離自在で、かつ、その接合位置が調節自在である。
【０１１７】
よって、左右の側頭保護部２２Ｒ，２２Ｌが形成されて帯状部材１０ａ，１０ｂ，１０ｃの長手方向に対して直角方向に延びる前方保護部２０の長手方向の各端部と、後方保護部３０とを重ね、前方保護部２０の長さ方向の各端部の裏面（Ｂ１）側に取付けた面ファスナ４１ａＲ，４１ａＬと後方保護部３０の表面（Ｆ１）側に取付けた面ファスナ４１ｂを接合して、左右の側頭保護部２２Ｒ，２２Ｌが形成されている前方保護部２０と後方保護部３０とを接合すると、頭頂保護部１０の帯状部材１０ａ，１０ｂ，１０ｃの長手方向に対して垂直方向に前方保護部２０及び後方保護部３０を位置し人体の頭部に被せる立体的な組立状態になる。
【０１１８】
即ち、頭頂保護部１０が、所謂、帽子のトップクラウン側に相当して頭部の頭頂部側に対応し、左右の側頭保護部２２Ｒ，２２Ｌが形成されている前方保護部２０及び後方保護部３０が、所謂、帽子のサイドクラウン側に相当し頭部の水平周囲（頭囲）側に対応する。
【０１１９】
ここで、図３乃至図１０に示した頭部保護具１によれば、１対の面ファスナ４１ａＲ，４１ａＬと面ファスナ４１ｂによって、頭部の水平周囲（頭囲）側に対応する前方保護部２０及び後方保護部３０の接合位置が調節自在であるから、頭部の寸法形状に応じて頭部に被せるサイズ、即ち、複数の帯状部材１０ａ，１０ｂ，１０ｃから形成される頭頂保護部１０と、その帯状部材１０ａ，１０ｂ，１０ｃの長手方向に対して垂直方向に位置させた前方保護部２０及び後方保護部３０とによって囲まれる空間サイズの調節が可能である。
【０１２０】
また、図３乃至図１０に示した頭部保護具１は、このように頭頂保護部１０を形成する複数の帯状部材１０ａ，１０ｂ，１０ｃの長手方向の両端に、前方保護部２０及び後方保護部３０を配設し、頭頂保護部１０を介して離間した配置の前方保護部２０及び後方保護部３０を１対の面ファスナ４１ａＲ，４１ａＬと面ファスナ４１ｂによって接合自在とする構成である。そして、頭頂部側に対応させる頭頂保護部１０は、互いに長手方向を一致させて分列した複数の帯状部材１０ａ，１０ｂ，１０ｃで形成されており、帯状部材１０ａ，１０ｂ，１０ｃの長手方向の両端部で前方保護部２０及び後方保護部３０と一体に接続しているも、帯状部材１０ａ，１０ｂ，１０ｃの長手方向に対して直角な幅方向では、帯状部材１０ａ，１０ｂ，１０ｃが互い結合しておらず、また、前方保護部２０及び後方保護部３０とも結合しておらず、立体的な組立状態で、帯状部材１０ａ，１０ｂ，１０ｃの相互間に開口１２が形成され、更に、帯状部材１０ａ，１０ｃと前方保護部２０及び後方保護部３０と間にも開口１３が形成されている。
【０１２１】
このように帯状部材１０ａ，１０ｂ，１０ｃの長手方向に対して直角な幅方向の両側に形成されている開口１２及び開口１３は、帯状部材１０ａ，１０ｂ，１０ｃの長手方向に延び連続的であるから、そのような開口１２及び開口１３によって、頭部保護具１の装着時には頭部がその前頭部側から頭頂部側を通って後頭部側に向かう一続きで外気に触れることになる。即ち、部分的でなく頭部の前方側から後方側に向かう広領域に亘って連続的に開口し、場合によっては、頭部の前方側から後方側に向かう領域に対応する連続的な開口１２及び開口１３により空気の流れを生じさせることができるから、頭部の熱や湿気を効果的に逃がすことができる。また、帯状部材１０ａ，１０ｂ，１０ｃの長手方向に連続的に延びる開口１２，１３が、帯状部材１０ａ，１０ｂ，１０ｃの相互間、並びに、帯状部材１０ａ，１０ｂ，１０ｃと前方保護部２０及び後方保護部３０との間に分布しているから、頭部の広範囲で熱や湿気を効果的に逃げ易くしている。
【０１２２】
更に、１対の面ファスナ４１ａＲ，４１ａＬと面ファスナ４１ｂの接合も後方保護部３０の左右両側で前方保護部２０の長さ方向の両端部と接合するのみであるから、前方保護部２０及び後方保護部３０の厚みの重複による通気性低下の影響も少ない。
更にまた、帯状部材１０ａ，１０ｂ，１０ｃの長手方向に連続的に延びる開口１２，１３により、頭部の形状に応じて頭頂保護部１０を形成する複数の帯状部材１０ａ，１０ｂ，１０ｃの間隔が変形自在（変化自在）であり、頭部の形状に追従するフィット性が得られ、頭部の形状への馴染みがよい。
よって、通気性及びフィット性の向上により装着の快適さを向上させることができる。
【０１２３】
そして、図３乃至図１０に示した頭部保護具１は頭頂保護部１０を形成する帯状部材１０ａ，１０ｂ，１０ｃの長手方向の両端に、前方保護部２０及び後方保護部３０を曲折自在に接続し、また、前方保護部２０に帯状部材１０ａ，１０ｂ，１０ｃの長手方向に対して直角方向に配設する左右の側頭保護部２２Ｒ，２２Ｌを形成し、前方保護部２０及び後方保護部３０に１対の面ファスナ４１ａＲ，４１ａＬと面ファスナ４１ｂを取付け、前方保護部２０及び後方保護部３０を１対の面ファスナ４１ａＲ，４１ａＬと面ファスナ４１ｂで接合して立体的組立状態とするものであり、平面的な展開状態及び立体的組立状態に自在に形成したものであるから、平面的な成形により縫製作業も容易である。
【０１２４】
特に、頭部の頭頂部側に対応させる頭頂保護部１０を介して離間した配置の前方保護部２０及び後方保護部３０を１対の面ファスナ４１ａＲ，４１ａＬと面ファスナ４１ｂによって接続自在としていることで、接合箇所も前方保護部２０及び後方保護部３０のみの接続であり、接合の構成及び接続関係がシンプルであり、形状も単調である。よって、緩衝材Ａや外装生地Ｂの裁断作業、緩衝材Ａを外装生地Ｂで包み込む縫製、各パーツを接続する縫製作業が簡単である。更に、面ファスナの数も少なく、材料コストも節減でき及び面ファスナを縫製等によって取付ける作業も短時間で簡単に済む。
よって、製造が簡単であり、コストも廉価になり、安価な製品の提供を可能とする。
【０１２５】
なお、１対の面ファスナ４１ａＲ，４１ａＬと面ファスナ４１ｂＬの取付位置は上記説明と表裏を逆にしてもよいし、複数に分けて段階的に接続位置を調節する形態としても良い。しかし、上記のように頭部保護具１の外面側で、１対の面ファスナ４１ａＲ，４１ａＬと面ファスナ４１ｂＬを接合する形態では、面ファスナにより頭部を圧迫したり、違和感を生じさせたりすることもなく、頭部保護具１の頭部への装着時において、面ファスナに髪が付着することもない。また、上記のように面ファスナの個数が３つであるとその取付作業も容易である。
【０１２６】
更に、図３乃至図１０に示した頭部保護具１によれば、前方保護部２０と後方保護部３０は、帯状部材１０ａ，１０ｂ，１０ｃの長手方向に対して直角方向の左右両側が、１対の面ファスナ４１ａＲ，４１ａＬと面ファスナ４１ｂによって接合及び分離自在であり、前方保護部２０と後方保護部３０が連続して一体に形成するカーブのラインもないから、人為的誤差が介在しにくい縫製が可能である。特に、緩衝性が高い緩衝材Ａを使用しても、即ち、厚みがあったり硬かったりして可撓性が低くても、平面的な成形による歪みが生じ難い。よって、縫製作業がより簡単であり、歪みの少ない仕上がり精度が高いものとなる。
【０１２７】
更にまた、図３乃至図１０に示した頭部保護具１では、前方保護部２０と頭頂保護部１０とが略Ｔ字状に一体に接続され、また、後方保護部３０と頭頂保護部１０も略Ｔ字状に一体に接続されているから、前方保護部２０及び後方保護部３０のシルエットに方向転換のカーブラインが存在せず、直線的なラインの縫製であるから、極めて容易に縫製できる。
【０１２８】
そして、図３乃至図１０に示した頭部保護具１によれば、接合箇所も人体の頭部の水平周囲（頭囲）側に対応する前方保護部２０及び後方保護部３０のみの接続であるから、接合操作及びその解除操作の箇所も少ない。そして、頭部の水平周囲（頭囲）側に対応する前方保護部２０及び後方保護部３０において面ファスナによる接続が行われるから、高い圧迫力が掛かり易い頭頂部側での接続と比べてその結合も外れにくい。よって、取扱性にも優れる。
【０１２９】
加えて、頭頂保護部１０、前方保護部２０及び後方保護部３０は平面的な成形であり、前方保護部２０及び後方保護部３０の１対の面ファスナ４１ａＲ，４１ａＬと面ファスナ４１ｂの接合を解除することで平面的に展開自在であり、即ち、立体的な組立状態を平面的に展開できるから、保管・収納の空間スペースを削減することができる。特に、頭頂保護部１０を形成する帯状部材１０ａ，１０ｂ，１０ｃと前方保護部２０及び後方保護部３０とは、互いに面方向が直角方向に折曲自在に接続されているから、それらを折曲げてコンパクトに畳むことも可能である。
【０１３０】
このように図３乃至図１０に示した頭部保護具１は、サイズ調節が可能であり、かつ、製造が簡単でコストを抑えることができ、また、収納・保管のための空間スペースを削減でき、更に、装着の快適性を向上し、取扱性にも優れる。
【０１３１】
また、図３乃至図１０に示した頭部保護具１によれば、頭頂保護部１０、前方保護部２０及び後方保護部３０が、弾性に富む芯材Ｃを入れた緩衝材Ａを外装生地Ｂで被覆して形成されているから、頭頂保護部１０、前方保護部２０及び後方保護部３０に芯材Ｃを入れた緩衝材Ａが配設されていることで頭部を全体的に保護できる。また、頭頂保護部１０、前方保護部２０、後方保護部３０の各部位によって芯材Ｃを入れた緩衝材Ａの厚み、弾性（緩衝性）、硬さ等を任意に選択することで、または、芯材Ｃを入れた緩衝材Ａを被覆する外装生地Ｂの素材、種類等を任意に選択することで、衝撃吸収力や通気性を部位によって調節でき、頭部に対応させる特定の部位で衝撃吸収性を高めることもできる。
【０１３２】
ここで、芯材Ｃとしては、外力が加わったときに、その外力を反発する弾性を有していればよく、例えば、硬質なウレタン、ポリオレフィン系発泡体等を使用できる。
また、緩衝材Ａとしては、頭部への衝撃を緩和できるクッション材であればよく、例えば、軟質なウレタン、ポリオレフィン系発泡体、木綿、ポリエステル製等の合成綿、羊毛綿、麻綿、毛等の綿状体、スポンジ等が使用される。好ましくは、表裏に貫通する開口、または、表裏に連通する空間を有し、通気性があるものである。
更に、外装生地Ｂとしては、メッシュ状繊維で形成された通気性を有するものが好ましく、更には、吸水性・吸湿性を持たせたものがより好ましい。多少の弾性を持たせたものも好ましい。
なお、芯材Ｃと緩衝材Ａとを区別することなく、芯材の反発特性と緩衝材の緩衝機能の両方を持った素材の使用であってもよい。
【０１３３】
そして、図３乃至図１０に示した頭部保護具１において、外装生地Ｂをメッシュ状繊維で形成すると、頭部に触れる頭頂保護部１０、前方保護部２０及び後方保護部３０の通気性が向上し、頭部からの湿気や熱が逃れやすくなり、蒸れや暑さを軽減できる。更に、外装生地Ｂに包まれた緩衝材Ａにおいても表裏に貫通する孔Ｐが形成されていると空気の流通が許容され、頭部からの湿気や熱がより逃れやすくなり蒸れや暑さを軽減できる。また、頭部保護具１の軽量化を図ることができる。よって、装着の快適さをより向上させることができる。
なお、メッシュ状繊維とは、空気の流通を可能とするものであればよく、多少織目の粗い、密度の低い生地を使用したり、生地が編目状（ネット状）であったりすることに限定されず、例えば、生地に所定形状の貫通孔（開口）が複数形成されていることによって空気の流通を可能としていてもよい。好ましくは、頭部に触れる内面側及びその反対にある外面側の表裏で使用されるが、どちらか一方のみの使用であってもよい。
【０１３４】
更に、図３乃至図１０に示した頭部保護具１によれば、前方保護部２０の頭頂保護部１０への接続側とは反対側で外方向に突出し、前方保護部２０の面方向に対して直角方向に折曲自在に接続した鍔部２３を有するから、日除け効果があるばかりでなく、見た目にも、通常のファッション、防暑（日除け）、制帽等として使用されている鍔を有する帽子と類似するファッション性を有する。
【０１３５】
加えて、図３乃至図１０に示した頭部保護具１によれば、前方保護部２０に形成した左右の側頭保護部２２Ｒ，２２Ｌに環状に一体に接続され、耳の周りに配設させる左右の耳紐２４Ｒ，２４Ｌと、左右の耳紐２４Ｒ，２４Ｌ間に架け渡す顎紐２５とを有するから、人体の両耳を前方保護部２０に形成した左右の側頭保護部２２Ｒ，２２Ｌが覆うことはない。即ち、音の聞き取りに支障がでることはない。また、耳紐２４Ｒ，２４Ｌ間に架け渡す顎紐２５を人体の顔の顎に掛けることで、頭部から外れ難くできる。
【０１３６】
なお、図３乃至図１０においては、頭部の左右の側頭部側に対応させる左右の側頭保護部２２Ｒ，２２Ｌを前方保護部２０に形成しているが、左右の側頭保護部２２Ｒ，２２Ｌは後頭保護部３０に形成してもよいし、前方保護部２０と後頭保護部３０に分けて配設してもよい。即ち、前方保護部２０と後頭保護部３０の接続を、頭部の前頭部側で行うものとしてもよいし、頭部の側頭部側で行うものとしてもよく、頭頂保護部１０を形成する複数の帯状部材１０ａ，１０ｂ，１０ｃの長手方向に対して直角方向に配設する左右の側部としての側頭保護部２２Ｒ，２２Ｌは、前方保護部２０及び／または後頭保護部３０に形成されるものである。また、顎紐２５、耳紐２４Ｒ，２４Ｌ、鍔部２３が適宜省略されていてもよい。
【０１３７】
続いて、図１２乃至図２１を参照して、上述した構成の本実施の形態１に係る頭部保護具用インナー１００の図３乃至図１０に示した頭部保護具１への取付け方を示し、本実施の形態１に係る頭部保護具用インナー１００の頭部保護具１への取付状態について、説明する。
【０１３８】
上述したように頭部保護具用インナー１００の取付対象の一例である図３乃至図１０に示した頭部保護具１によれば、頭頂保護部１０を形成する帯状部材１０ａ，１０ｂ，１０ｃの長手方向の一端側に接続している前頭保護部２１の両側に、帯状部材１０ａ，１０ｂ，１０ｃの長手方向に対して直角方向に配設する左右の側頭保護部２２Ｒ、２２Ｌが形成され、また、頭頂保護部１０を形成する帯状部材１０ａ，１０ｂ，１０ｃの長手方向の他端側に後頭保護部３１が接続形成されており、これら頭頂保護部１０、前頭保護部２１、左右の側頭保護部２２Ｒ、２２Ｌ及び後頭保護部３１が平面的に成形されてなるものである。
【０１３９】
一方、本実施の形態１の頭部保護具用インナー１００は、頭部保護具１において頭部の前頭部側から頭頂部側を通って後頭部側に対応する位置の内面側に配設させる、即ち、図３及び図４に示した頭部保護具１で略直線状に配置する前頭保護部２１、頭頂保護部１０及び後頭保護部３１の内面側に配設させる前頭布部１１１、頭頂布部１１２及び後頭布部１１３からなる長尺状の本体布部１１０に対して、その長さ方向に直角な方向で頭頂布部１１２の両側に、頭部保護具１の前頭保護部２１の左右両側に形成された左右の側頭保護部２２Ｒ、２２Ｌに配設させる左右の側布部１２０Ｒ，１２０Ｌが形成されている。
【０１４０】
そして、左右の側布部１２０Ｒ，１２０Ｌには、本体布部１１０の長さ方向に対して直角な方向を左右方向としたとき、その左右方向に対して直角な上下方向に幅広に突出する１対の接続側布部１２２ａＲ，１２２ｂＲ、１対の接続側布部１２２ａＬ，１２２ｂＬが形成され、１対の接続側布部１２２ａＲ，１２２ｂ、１対の接続側布部１２２ａＬ，１２２ｂＬＲにおいて対向関係にある２辺の両側に、１対の面ファスナ１２３ａＲ，１２３ｂＲ、１対の面ファスナ１２３ａＬ，１２３ｂＬが取付けられている。
また、本体布部１１０の後頭布部１１３の裏面（Ｂ）側には、後頭布部１１３を構成する後頭本体布部１３１の端部を閉じるように取付布部１３２が接続されて、袋状の本体布取付部１３０が形成されている。
【０１４１】
即ち、本実施の形態１の頭部保護具用インナー１００においては、前方保護部２０を構成する前頭保護部２１の左右両側に左右の側頭保護部２２Ｒ、２２Ｌが形成されて頭頂保護部１０と前方保護部２０とが略Ｔ字状をなし、頭頂保護部１０、前方保護部２０、及び後方保護部３０が平面的に成形される頭部保護具１に対応し、本体布部１１０の前頭布部１１１の左右両側に、左右の側布部１２０Ｒ，１２０Ｌを配設して本体布部１１０と左右の側布部１２０Ｒ，１２０Ｌを全体で略Ｔ字状に形成し、また、本体布部１１０の後頭布部１１３側に本体布取付部１３０を袋状に形成している。
【０１４２】
したがって、例えば、図１２乃至図１４に示すように、頭部保護具１の展開状態で、頭部保護具用インナー１００の裏面（Ｂ）側、即ち、袋状の本体布取付部１３０が形成されている側が、頭部保護具１の裏面（Ｂ１）側に対向するように配置して、頭部保護具１の裏面（Ｂ１）側で頭部保護具用インナー１００を重ねたときに、頭部保護具１において頭部の前頭部側を保護する前頭保護部２１に頭部保護具用インナー１００の前頭布部１１１が対応し、頭部の頭頂部側を保護する頭頂保護部１０に頭頂布部１１２が対応し、頭部の後頭部側を保護する後頭保護部３１に後頭布部１１３が対応する。更に、頭部保護具１において頭頂保護部１０を形成する帯状部材１０ａ，１０ｂ，１０ｃの長手方向に対して直角方向で前頭保護部２１の左右両側に延びて頭部の左右の側頭部側を保護する左右の側頭保護部２２Ｒ、２２Ｌに対し、頭部保護具用インナー１００において長尺状の本体布部１１０の長手方向に対して直角方向で前頭布部１１１の左右両側に延びた左右の側布部１２０Ｒ，１２０Ｌが対応する。
【０１４３】
そして、本実施の形態１の頭部保護具用インナー１００は、上述したように本体布部１１０の長手方向の一端部側に配置する前頭布部１１１から本体布部１１０の長手方向に対して略直角方向に延びる左右の側布部１２０Ｒ、１２０Ｌを形成しており、この左右の側布部２２Ｒ、２２Ｌは、本体布部１１０の長さ方向に対して直角な方向を左右方向としたとき、その左右方向に直角な上下方向を幅広に形成して、上下方向で対向する２辺の両側に１対の面ファスナ１２３ａＲ及び面ファスナ１２３ｂＲ、１対の面ファスナ１２３ａＬ及び面ファスナ１２３ｂＬを有する。
【０１４４】
よって、図１２乃至図１４に示すように、頭部保護具１の左右の側頭保護部２２Ｒ、２２Ｌに対し、その内面側（裏面（Ｂ１）側）及び外面側（表面（Ｆ１）側）の周囲に左右の側布部１２０Ｒ，１２０Ｌを巻いて、左右の側頭保護部２２Ｒ、２２Ｌの外面側で、左右の側布部１２０Ｒ，１２０Ｌの上下方向で対向する２辺の両側を１対の面ファスナ１２３ａＲ及び面ファスナ１２３ｂＲ、１対の面ファスナ１２３ａＬ及び面ファスナ１２３ｂＬによって接合することで、頭部保護具１の左右の側頭保護部２２Ｒ、２２Ｌの周囲に頭部保護具用インナー１００の左右の側布部１２０Ｒ，１２０Ｌを取付けることができる。
【０１４５】
特に、本実施の形態１では、頭部保護具１の左右の側頭保護部２２Ｒ、２２Ｌの外面側で、頭部保護具用インナー１００の１対の面ファスナ１２３ａＲ及び面ファスナ１２３ｂＲ、１対の面ファスナ１２３ａＬ及び面ファスナ１２３ｂＬを接合するから、１対の面ファスナ１２３ａＲ及び面ファスナ１２３ｂＲ、１対の面ファスナ１２３ａＬ及び面ファスナ１２３ｂＬが頭部を圧迫したり、違和感を生じさせたりすることもない。面ファスナに髪がくっつくこともない。なお、本発明を実施する場合には、頭部保護具１の左右の側頭保護部２２Ｒ、２２Ｌの周囲に対して左右の側布部１２０Ｒ，１２０Ｌを２重、３重に巻き付ける長さで構成してもよい。
【０１４６】
また、本実施の形態１の頭部保護具用インナー１００は、上述したように本体布部１１０の長手方向の前頭布部１１１側とは反対の他端部側に配置する後頭布部１１３の裏面（Ｂ）側で、後頭布部１１３を構成する後頭本体布部１３１の周囲の３辺に取付布部１３２を接続したことによって、頭頂布部１１２側に開放する袋状の本体布取付部１３０を有する。
【０１４７】
よって、図１２乃至図１４に示すように、上述したように頭部保護具１の展開状態で、頭部保護具１の後頭保護部３１を本体布部１１０の裏面（Ｂ）側で袋状をなす本体布取付部１３０の後頭本体布部１３１と取付布部１３２の間に入れることで、後頭保護部３１の内面側から外面側の周囲に被せて後頭布部１１３を取付けることができる。
【０１４８】
このとき、後頭布部１１３の裏面側で袋状に形成された本体布取付部１３０の取付布部１３２には幅広の開口１３１が形成されているから、頭部保護具１の後頭保護部３１の外面側に取付けられている面ファスナ４１ｂの全体を覆うこともない。
【０１４９】
このように、本実施の形態１の頭部保護具用インナー１００によれば、頭部保護具１の左右の側頭保護部２２Ｒ、２２Ｌに対して、その内面側及び外面側の周囲に、頭部保護具用インナー１００の左右の側布部１２０Ｒ，１２０Ｌを巻いて、１対の面ファスナ１２３ａＲ及び面ファスナ１２３ｂＲ、１対の面ファスナ１２３ａＬ及び面ファスナ１２３ｂＬの接合により取付け、また、頭部保護具１の後頭保護部３１に対して、後頭布部１１３の裏面（Ｂ）側で袋状に形成した本体布取付部１３０の後頭本体布部１３１と取付布部１３２の間に後頭保護部３１を入れて被せる取付けのみで、簡単に頭部保護具１に取付けることができる。
また、頭部保護具１の展開状態で１対の面ファスナ１２３ａＲ及び面ファスナ１２３ｂＲ、１対の面ファスナ１２３ａＬ及び面ファスナ１２３ｂＬの接合を解き、袋状の本体布取付部１３０の後頭本体布部１３１と取付布部１３２の間から後頭保護部３１を抜き出せば、簡単に頭部保護具１から取外すことができる。
よって、頭部保護具１に対しての着脱が極めて簡単である。
【０１５０】
そして、このようにして頭部保護具用インナー１００が取付られた頭部保護具１を頭部に被せて使用する際には、図１５乃至図２１に示すように、頭部保護具１の前方保護部２０の長手方向の各端部と、後方保護部３０とを重ね、前方保護部２０の長さ方向の各端部の裏面（Ｂ１）側に取付けた面ファスナ４１ａＲ，４１ａＬと後方保護部３０の表面（Ｆ１）側に取付けた面ファスナ４１ｂを接合して、左右の側頭保護部２２Ｒ，２２Ｌが形成されている前方保護部２０と後方保護部３０とを環状に接続し、そして、頭頂保護部１０の帯状部材１０ａ，１０ｂ，１０ｃの長手方向に対して垂直方向に前方保護部２０及び後方保護部３０を位置させると、頭部に被せる立体的な組立状態になる。
【０１５１】
頭部保護具用インナー１００が取付られ立体的に組立てられた頭部保護具１では、図１５乃至図２１に示すように、頭頂部側を保護する頭頂保護部１０の内面側に頭部保護具用インナー１００の本体布部１１０を形成する頭頂布部１１２が配設し、前頭部側を保護する前頭保護部２１の内面側に頭部保護具用インナー１００の本体布部１１０を形成する前頭布部１１１が配設し、後頭部側を保護する後頭保護部３１の内側に頭部保護具用インナー１００の後頭布部１１３が配設し、また、左右の側頭部側を保護する左右の２２Ｒ，２２Ｌの内面側に頭部保護具用インナー１００の左右の側布部１２０Ｒ，１２０Ｌが配設し、頭部に触れる内面側が頭部保護具用インナー１００により覆われる。
【０１５２】
したがって、頭部保護具１の内面側では頭部保護具用インナー１００の本体布部１１０及び左右の側布部１２０Ｒ，１２０Ｌが頭部に触れるから、頭部保護具用インナー１００の本体布部１１０及び左右の側布部１２０Ｒ，１２０Ｌで頭部の汗や脂を受けることができる。よって、頭部保護具１が頭部の汗や脂により汚れるのを防止できる。特に、本体布部１１０及び左右の側布部１２０Ｒ，１２０Ｌが吸湿性・吸水性の素材であると、人体の汗等を吸収して湿気の上昇を防止でき、汗による不快感を緩和できる。このため、蒸れを軽減できて頭部での汗疹、皮膚炎等の炎症を防止でき、頭部保護具１の快適な装着を可能とする。また、洗濯等によって清潔な布と交換することで、衛生さを保つことができる。一方、冬場では、例えば、起毛等の保温性の素材からなる本体布部１１０及び左右の側布部１２０Ｒ，１２０Ｌと交換して、その保温効果により快適な装着を可能とする。また、厚みを異にする数種類の頭部保護具用インナー１００を用意しておくことで、頭部保護具用インナー１００の厚みで頭部保護具１の内周のサイズを調節することも可能であり、頭部保護具用インナー１００の厚みの選択により、頭部にフィットした快適な装着を可能とする。その他にも、例えば、緩衝作用を有する素材の使用により、衝撃吸収性を高めることも可能である。
【０１５３】
特に、本実施の形態１の頭部保護具用インナー１００では、それを構成する本体布部１１０及び左右の側布部１２０Ｒ，１２０Ｌの全体がＴ字状に形成されており、本体布部１１０の長手方向の一端側に形成された前頭布部１１１から幅方向の両側に延びた左右の側布部１２０Ｒ，１２０Ｌが、頭部保護具１の左右の側頭保護部２２Ｒ、２２Ｌに対して、その内面側及び外面側の周囲に取付けられている。また、前頭布部１１１側とは反対側の本体布部１１０の長手方向の他端側に形成された後頭布部１１３が、その裏面側に形成した袋状の本体布取付部１３０によって、頭部保護具１の後頭保護部３１に対して、その内面側及び外面側の周囲に取付けられている。しかも、本体布取付部１３０が袋状であり、その袋の中に後頭保護部３１を挿入しているから、後頭保護部３１を袋状の本体布取付部１３０から抜き出さない限り、後頭保護部３１から後頭布部１１３を外すことができない。そのうえ、図１６に示すように、頭部保護具１では、後頭保護部３１の左右の両側で、左右の側頭保護部２２Ｒ、２２Ｌが内側に折曲げられた状態で１対の面ファスナ４１ａＲ，４１ａＬと面ファスナ４１ｂの接合により左右の側頭保護部２２Ｒ、２２Ｌと接合し、後頭保護部３１と左右の側頭保護部２２Ｒ、２２Ｌとの間に本体布取付部１３０の取付布部１３２が介在するから、１対の面ファスナ４１ａＲ，４１ａＬと面ファスナ４１ｂの接合状態では、後頭布部１１３が後頭保護部３１から外れる（脱落する）こともない。
【０１５４】
よって、本実施の形態１の頭部保護具用インナー１００によれば、頭部保護具１から離脱したり位置ずれが生じたりすることもなく、その取付状態を堅固に維持できる。即ち、頭部の動きに追従する位置ずれや撚れ等が生じ難く、違和感も生じ難い。また、運動によって頭部から落ちることもないし、頭部保護具１に頭部保護具用インナー１００が取付けられるから頭部に被せた頭部保護具１を脱いだときでも、頭部保護具用インナー１００のみが頭部に残り体裁を悪くするようなこともない。
【０１５５】
そして、このように頭部保護具用インナー１００は頭部保護具１に対して着脱自在であるから、頭部保護具用インナー１００を洗濯によって清潔に保つことが可能であり、衛生さを保つことができる。よって、頭部保護具１の快適な装着を可能とする。勿論、新品と交換したり、素材、色等の異なる頭部保護具用インナー１００と交換したりすることもできる。
また、本実施の形態１の頭部保護具用インナー１００では、取付布部１３２を後頭本体布部１３１の表面（Ｆ）側への反転によりリバーシブル使用を可能とする。
【０１５６】
更に、本実施の形態１の頭部保護具用インナー１００によれば、頭部保護具１の左右の側頭保護部２２Ｒ、２２Ｌの周囲への左右の側布部１２０Ｒ，１２０Ｌの取付けにより、頭部保護具１の左右の側頭保護部２２Ｒ、２２Ｌの外面側には左右の側布部１２０Ｒ，１２０Ｌの１対の接続側布部１２２ａＲ，１２２ｂＲ，１対の接続側布部１２２ａＬ，１２２ｂＬが表出する。また、頭部保護具１の後頭保護部３１の周囲への後頭布部１１３の取付けにより、後頭保護部３１の外面側には、後頭布部１１３の取付布部１３２が表出する。
【０１５７】
したがって、本実施の形態１の頭部保護具用インナー１００によれば、頭部保護具１の意匠に干渉するから、柄や素材の選択により、頭部保護具１に対して装飾性、意匠性、ファッション性を付与できる。また、柄や素材の組み合わせで外出時のおしゃれを楽しむことができるようにもなる。
【０１５８】
ここで、上述したように頭部保護具用インナー１００の取付対象の一例である図３乃至図１０に示した頭部保護具１によれば、頭頂保護部１０を形成する帯状部材１０ａ，１０ｂ，１０ｃの長手方向の一端側に接続している前頭保護部２１の両側に、帯状部材１０ａ，１０ｂ，１０ｃの長手方向に対して直角方向に配設する左右の側頭保護部２２Ｒ、２２Ｌが形成され、立体的な組立状態では、左右の側頭保護部２２Ｒ、２２Ｌと頭頂保護部１０との間に開口１３が形成されるものである。
【０１５９】
よって、頭部保護具１の立体的な組立状態でも、即ち、即ち、頭部保護具１の側頭保護部２２Ｒ，２２Ｌが頭頂保護部１０の帯状部材１０ａ，１０ｂ，１０ｃの長手方向に対して垂直方向に位置した状態でも、左右の側頭保護部２２Ｒ、２２Ｌと頭頂保護部１０との間の開口１３に左右の側布部１２０Ｒ，１２０Ｌの接続側布部１２２ａＲ，１２２ａＬを通し、頭部保護具１の左右の側頭保護部２２Ｒ、２２Ｌに対して、その内面側及び外面側の周囲に、頭部保護具用インナー１００の左右の側布部１２０Ｒ，１２０Ｌを巻いて、左右の側布部１２０Ｒ，１２０Ｌにおいて対向する２辺の両側を１対の面ファスナ１２３ａＲ及び面ファスナ１２３ｂＲ、１対の面ファスナ１２３ａＬ及び面ファスナ１２３ｂＬにより接合することで、頭部保護具用インナー１００の左右の側布部１２０Ｒ，１２０Ｌを取付けることができる。
【０１６０】
特に、本実施の形態１では、本体布部１１０及び左右の側布部１２０Ｒ，１２０ＬをＴ字状に形成し、本体布部１１０の一端側に位置する前頭布部１１１の両側に左右の側布部１２０Ｒ，１２０Ｌを延設しているから、本体布部１１０を構成している中央側の頭頂布部１１２と左右の側布部１２０Ｒ，１２０Ｌは互いに直接的に繋がることなく切り離されている。即ち、本体布部１１０の長手方向において頭頂布部１１２に隣接する前頭布部１１１の左右両側で左右の側布部１２０Ｒ，１２０Ｌが接続し、頭頂布部１１２の左右両側で左右の側布部１２０Ｒ，１２０Ｌが接続しないから、頭部保護具用インナー１００を図３乃至図１０に示した頭部保護具１に取付けて頭部形状に対応する立体形状に組立てたときに、頭部保護具１の左右の側頭保護部２２Ｒ、２２Ｌと頭頂保護部１０の間の開口１３が頭部保護具用インナー１００で覆われることなく、開口１３を生かした空気の流通（通気性）を確保できる。
【０１６１】
ところで、上記実施の形態１では、本体布部１１０及び左右の側布部１２０Ｒ，１２０Ｌを形成する布が多少の通気性を有するものであれば、頭部保護具１の頭頂保護部１０を形成している複数の帯状部材１０ａ，１０ｂ，１０ｃ間の開口１２を覆っている場合でも開口１２から空気の流通を許容する。
しかし、本発明を実施する場合には、頭部保護具１の開口１２に対応して、本体布部１１０に開口を形成し、頭部保護具１の開口１２の通気性を生かすようにしてもよい。
【０１６２】
例えば、頭頂保護部１０を形成している複数の帯状部材１０ａ，１０ｂ，１０ｃ間で帯状部材１０ａ，１０ｂ，１０ｃの長手方向に延びる開口１２、即ち、前頭部側から頭頂部側を通って後頭部側に連続する開口１２が形成された図３乃至図１０に示した頭部保護具１への適用では、上記実施の形態１の変形例に係る頭部保護具用インナー１００として、図２２乃至図２４に示すように、本体布部１１０の長手方向に沿う複数のスリット１６１Ａ，１６１Ｂを形成して、頭部保護具１の開口１２に対応させることができる。
【０１６３】
図２２乃至図２４に示す変形例に係る頭部保護具用インナー１００では、図３乃至図１０に示した頭部保護具１の頭頂保護部１０を形成している複数の帯状部材１０ａ，１０ｂ，１０ｃ間で帯状部材１０ａ，１０ｂ，１０ｃの長手方向に延びる２つの開口１２に対応させる２つのスリット１６１Ａ，１６１Ｂが本体布部１１０の頭頂布部１１２の長手方向に沿って形成されている。
【０１６４】
変形例では、２つのスリット１６１Ａ，１６１Ｂは略コ字状に形成され、コ字状の開放側を互いに対向させている。そして、頭頂布部１１２において、互いに対向させたコ字状のスリット１６１Ａ，１６１Ｂ間に囲まれた位置であって、一方のスリット１６１Ａ側の近傍に、面ファスナ１６２ａが取付けられ、また、他方のスリット１６１Ｂ側の近傍に、面ファスナ１６２ａに対応する面ファスナ１６２ｂが取付けられている。そして、これら１対の面ファスナ１６２ａ及び面ファスナ１６２ｂは、互いに表裏に設けられている。なお、図２２乃至図２４では、面ファスナ１６２ａが本体布部１１０の裏面（Ｂ）側に配設し、面ファスナ１６２ｂが本体布部１１０の表面側に配設している。
また、このようなスリット１６１Ａ，１６１Ｂが形成された頭頂布部１１２では、布の端部の解れを防止し、強度を確保するため、スリット１６１Ａ，１６１Ｂのコ字状に沿って布端にパインピング１６３を施している。
【０１６５】
このように、変形例に係る頭部保護具用インナー１００では、本体布部１１０の頭頂布部１１２に、コ字状のスリット１６１Ａ，１６１Ｂをそのコ字形状の開放側を互いに対向させて形成し、頭頂布部１１２のコ字状のスリット１６１Ａ，１６１Ｂ間に位置する中間布部１１２Ａにおいて対向する２辺の両側に１対の面ファスナ１６２ａ及び面ファスナ１６２ｂを設けている。したがって、図２３及び図２４で示すように、頭頂布部１１２のコ字状のスリット１６１Ａ，１６１Ｂ間に位置する中間布部１１２Ａを頭部保護具１において頭頂保護部１０の中央に位置する帯状部材１０ｂの内面側から外面側の周囲に巻いて、１対の面ファスナ１６２ａ及び面ファスナ１６２ｂを接合することで、頭頂保護部１０の中央に位置する帯状部材１０ｂの内面側及び外面側の周囲に頭頂布部１１２の中間布部１１２Ａを取付けることができる。
【０１６６】
そして、変形例に係る頭部保護具用インナー１００によれば、頭頂保護部１０を形成している帯状部材１０ａ，１０ｂ，１０ｃ間の開口１２に対応させる頭頂布部１１２の長手方向に連続するスリット１６１Ａ，１６１Ｂの形成により、帯状部材１０ａ，１０ｂ，１０ｃ間の開口１２を頭頂布部１１２が覆うことなく、頭部保護具１の帯状部材１０ａ，１０ｂ，１０ｃ間の開口１２の通気性を生かすことができる。また、頭頂布部１１２でのスリット１６１Ａ，１６１Ｂの形成により、頭部の圧迫による布の突っ張り感が生じ難くて頭部形状への馴染みが良く、頭部の頭頂部の形状に対応したフィット性を得ることができる。
【０１６７】
特に、頭頂布部１１２のコ字状のスリット１６１Ａ，１６１Ｂ間に位置する中間布部１１２Ａを頭部保護具１の帯状部材１０ｂの周囲に取付けるから、頭頂布部１１２にスリット１６１Ａ，１６１Ｂを形成しても、スリット１６１Ａ，１６１Ｂ間に位置する中間布部１１２Ａの位置ずれ、撚れ等が生じず、頭部に違和感を生じさせ難い。
【０１６８】
しかし、本発明を実施する場合には、スリット１６１Ａ，１６１Ｂをコ字状に形成して、スリット１６１Ａ，１６１Ｂ間に位置する中間布部１１２Ａを頭部保護具１の帯状部材１０ｂの周囲に取付ける形態に限定されることなく、頭部保護具１の帯状部材１０ａ，１０ｂ，１０ｃ間の開口１２に対応する直線状にスリット１６１Ａ，１６１Ｂを設ける構成のみとしてもよい。
【０１６９】
以上説明したように、本実施の形態１に係る頭部保護具用インナー１００は、頭部を保護する頭部保護具１の人体の頭部の前頭部側から頭頂部側を通って後頭部側まで対応させる位置、即ち、頭部保護具１の前頭保護部２１、頭頂保護部１０及び後頭保護部３１の内面側に配設させる長尺状の本体布部１１０と、本体布部１１０の長手方向に対して直角な幅方向の左右両側に延びて、頭部保護具１の人体の左右の側頭部側に対応させる位置、即ち、頭部保護具１の左右の側頭保護部２２Ｒ，２２Ｌの内面側に配設させる左右の側布部１２０Ｒ，１２０Ｌと、本体布部１１０の長さ方向の一端部側に設けられ、本体布部１１０の長さ方向の一端部側を頭部保護具１の人体の後頭部側に対応させる位置、即ち、頭部保護具１の後頭保護部３１に対してその内面側及び外面側の周囲を覆うように取付自在とする袋状に形成した本体布取付部１３０と、各左右の側布部１２０Ｒ，１２０Ｌを頭部保護具１の人体の左右の側頭部側に対応する位置、即ち、頭部保護具１の左右の側頭保護部２２Ｒ，２２Ｌに対してその内面側及び外面側の周囲を覆うように取付自在とする、各左右の側布部１２０Ｒ，１２０Ｌの上下両側に形成された１対の接続側布部１２２ａＲ，１２２ｂＲ、１対の接続側布部１２２ａＬ，１２２ｂＬ及びそれに設けた１対の面ファスナ１２３ａＬ及び面ファスナ１２３ｂＬ、１対の面ファスナ１２３ａＬ及び面ファスナ１２３ｂＬからなる側布取付部１４０とを具備するものである。
【０１７０】
このように、本実施の形態１に係る頭部保護具用インナー１００によれば、本体布部１１０の長さ方向に対して直角な幅方向の両側から左右に突設した左右の側布部１２０Ｒ，１２０Ｌに設けた１対の面ファスナ１２３ａＲ及び面ファスナ１２３ｂＲ、１対の面ファスナ１２３ａＬ及び面ファスナ１２３ｂＬの接合によって、左右の側布部１２０Ｒ，１２０Ｌの互いに対向する２辺の両側が接続されるから、頭部保護具１の左右の側頭部側に対応させる位置、即ち、頭部保護具１の左右の側頭保護部２２Ｒ，２２Ｌに対してその周囲に左右の側布部１２０Ｒ，１２０Ｌを取付自在である。
【０１７１】
また、頭部保護具１の後頭保護部３１の内面側及び外面側の周囲を覆うように袋状に形成した本体布取付部１３０によって、本体布部１１０の長さ方向の一端部の後頭布部１１３を後頭部側に対応する位置、即ち、頭部保護具１の後頭保護部３１に取付自在である。
【０１７２】
よって、頭部保護具１に対して着脱自在に取付けることができ、長尺状の本体布部１１０及びその長手方向に対して直角な幅方向の両側に突出形成した左右の側布部１２０Ｒ，１２０Ｌによって頭部保護具１の内面側を覆うから、頭部からの汗や脂で頭部保護具１が汚れるのを防止できる。
【０１７３】
頭部保護具１への取付けによって頭部保護具用インナー１００が頭部からの汗や脂を受けることになるが、頭部保護具用インナー１００が頭部保護具１に対して着脱自在であり、清潔な布と交換できるから、頭部からの汗や脂によって悪臭を放つこともない。また、頭部保護具１を長時間着用する場合でも、清潔な布との交換により、湿気によるべたつきや、蒸れや細菌の繁殖による皮膚の痒み等の不快感を軽減でき、快適さを維持できる。
【０１７４】
特に、頭部保護具用インナー１００の本体布部１１０及び左右の側布部１２０Ｒ，１２０Ｌが吸湿・吸水性の布であれば、汗を速やかに吸収するため、湿気の上昇が防止され蒸れを著しく軽減でき、また、皮膚の炎症も防止できる。また、汗を吸収した吸湿・吸水性の布は、清潔な布との交換により、頭部に不快感を与えない。なお、吸湿性・吸水性の布地とは、気体の汗（水蒸気）や液体の汗を吸収できる性質を有するものであればよく、具体的には、綿（コットン）や、リネンや、リヨセル、レーヨン、キュプラ等の再生繊維や、絹や、羊毛等の素材が使用される。また、ポリエステルやナイロン等の合成繊維で、吸湿・吸水性を高めた素材を使用してもよい。特に、洗濯の丸洗いが可能な素材が好ましくは、更に、パイル地（タオル状の布地）やガーゼ地が吸湿性・吸水性に優れる点で好ましい。その他にも、本発明を実施する場合には、保温機能や発熱機能を持たせた生地を採用してもよいし、接触冷感機能を持たせた生地を採用してもよいし、ＵＶカット・遮熱機能を持たせた生地を使用しても良い。
更に、冬場では、保温性の布と交換すれば、保温効果により防寒対策になる。また、緩衝性の高い布であれば、衝撃を吸収する緩衝効果を高めることができるし、厚みがある布であれば、頭部保護具１のサイズ調節として使用できる。
したがって、頭部保護具１への頭部保護具用インナー１００の取付けにより頭部保護具１を快適に使用できる。
【０１７５】
また、本実施の形態１に係る頭部保護具用インナー１００によれば、本体布部１１０の長手方向に対して直角方向の左右に突設した左右の側布部１２０Ｒ，１２０Ｌが取付対象である頭部保護具１の人体の左右の側頭部側に対応する位置、即ち、頭部保護具１において左右の側頭保護部２２Ｒ，２２Ｌの周囲に取付けられ、更に、本体布部１１０の長さ方向の一端部側が本体布取付部１３０によって頭部保護具１において人体の後頭部側に対応させる位置、即ち、頭部保護具１の後頭保護部３１の周囲に取付けられることから、頭部の動きによって位置ずれ、離脱等が生じ難く、頭部に対し、位置ずれや離脱等による違和感を生じさせ難い。
【０１７６】
こうして、本実施の形態１に係る頭部保護具用インナー１００によれば、頭部保護具１に容易に着脱可能で、頭部保護具１の快適な装着を可能とする。
【０１７７】
また、本実施の形態１に係る頭部保護具用インナー１００では、本体布部１１０の長さ方向の一端側の後頭布部１１３において、後頭布部１１３が後頭本布部１３１及びその裏面（Ｂ）側で後頭本布部１３１の端部の３辺に接続する取付布部１３２により構成され、本体布部１１０の長さ方向の一端側の端部を閉じるように袋状の本体布取付部１３０が形成されている。即ち、本実施の形態１に係る頭部保護具用インナー１００の本体布取付部１３０は、本体布部１１０の長さ方向の一端側の端部を閉じるように袋状に形成されてなるものである。
【０１７８】
したがって、図３乃至図１０に示した頭部保護具１のように、人体の側頭部側に対応させる位置、即ち、頭部保護具１の左右の側頭保護部２２Ｒ，２２Ｌと、人体の後頭部側に対応させる位置、即ち、頭部保護具１の後頭保護部３１とが接合及び分離自在に形成されて立体的に組立自在な頭部保護具１に対しては、その左右の側頭保護部２２Ｒ，２２Ｌと後頭保護部３１との分離状態で、袋状の本体布取付部１３０の中に後頭保護部３１を収容して後頭保護部３１の周囲に被せることで、本体布部１１０の長さ方向の一端部の後頭布部１１３を取付けることができる。
【０１７９】
こうして、頭部保護具１の後頭保護部３１に対して本体布部１１０の長さ方向の一端部の後頭布部１１３の取付けを接合具等の部品を使用せずに行えるから、部品数を少なくしてコスト削減や製造の容易化を図ることができる。また、接合具では繰り返しの洗濯で布から外れやすくなったり、洗濯の際に糸屑等が巻き付いて係合性が低下したり糸屑の除去作業の手間を生じさせたりすることもある。接合具が金具、プラスチック製であると壁面等への衝突時に頭部を圧迫する恐れもある。しかし、本体布部１１０の長さ方向の一端部に形成された袋状の本体布取付部１３０に頭部保護具１の後頭保護部３１を入れて被せるように取付けるものでは、そのような不具合を生じることもない。更に、取付操作、取付方法も簡単で分かり易い。
【０１８０】
また、本実施の形態１に係る頭部保護具用インナー１００では、左右の側布部１２０Ｒ，１２０Ｌを構成する本体側布部１２１Ｒ，１２１Ｌの上下方向に１対の接続側布部１２２ａＲ，１２２ｂＲ、１対の接続側布部１２２ａＬ，１２２ｂＬを延設し、その１対の接続側布部１２２ａＲ，１２２ｂＲ、１対の接続側布部１２２ａＬ，１２２ｂＬに雄部材と雌部材からなる接合具としての１対の面ファスナ１２３ａＬ及び面ファスナ１２３ｂＬ、１対の面ファスナ１２３ａＬ及び面ファスナ１２３ｂＬを設けることによって、雄部材と雌部材からなる接合具としての１対の面ファスナ１２３ａＬ及び面ファスナ１２３ｂＬ、１対の面ファスナ１２３ａＬ及び面ファスナ１２３ｂＬにより各左右の側布部１２０Ｒ，１２０Ｌにおいてその上下方向を接続自在に構成されてなる。即ち、各左右の側布部１２０Ｒ，１２０Ｌに設けられ、各左右の側布部１２０Ｒ，１２０Ｌを頭部保護具１の左右の側頭部側に対応する位置、即ち、頭部保護具１の左右の側頭保護部２２Ｒ，２２Ｌに対してその内面側及び外面側の周囲を覆うように取付自在とする側布取付部１４０が、雄部材と雌部材からなる接合具としての１対の面ファスナ１２３ａＬ及び面ファスナ１２３ｂＬ、１対の面ファスナ１２３ａＬ及び面ファスナ１２３ｂＬにより各左右の側布部１２０Ｒ，１２０Ｌにおいてその上下方向を接続自在に構成されてなる。
【０１８１】
したがって、図３乃至図１０に示した頭部保護具１のように、側頭部側に対応させる位置、即ち、頭部保護具１の左右の側頭保護部２２Ｒ，２２Ｌと、後頭部側に対応させる位置、即ち、頭部保護具１の後頭保護部３１とが接合及び分離自在に形成されて立体的に組立自在な頭部保護具１に対しては、その左右の側頭保護部２２Ｒ，２２Ｌと後頭保護部３１との分離状態及び組立状態の何れでも、各左右の側布部１２０Ｒ，１２０Ｌを取付けることができる。即ち、頭部保護具１の後頭保護部３１とが接合及び分離自在に形成されて立体的に組立自在な頭部保護具１に限定されず、取付対象が頭頂部側に対応させる位置（トップクラウン側）に開口を形成している頭部保護具１であればその開口に各左右の側布部１２０Ｒ，１２０Ｌの接続側布部１２２ａＲ，１２２ａＬを通して、頭部保護具１の側頭保護部２２Ｒ，２２Ｌの内面側及び外面側の周囲に左右の側布部１２０Ｒ，１２０を巻いて取付けることができ、取付可能な頭部保護具１の選択範囲が広い。
【０１８２】
加えて、本実施の形態１に係る頭部保護具用インナー１００によれば、本体布部１１０の長手方向に対して幅方向の両側に突設する左右の側布部１２０Ｒ，１２０が、本体布部１１１の長手方向の一端側の前頭布部１１１の左右の両側に形成されており、本体布部１１０と左右の側布部１２０Ｒ，１２０ＬとがＴ字状に一体に形成されている。つまり、左右の側布部１２０Ｒ，１２０が本体布部１１０の中央側に形成される頭頂布部１１２とは切り離されていることになる。
【０１８３】
したがって、取付対象である頭部保護具１において頭頂部側に対応させる位置、即ち、頭頂保護部１０と、左右の側頭部側に対応させる位置、即ち、左右の側頭保護部２２Ｒ，２２Ｌとの間に設けている開口１３を覆うことがない。よって、かかる頭部保護具１に頭部保護具用インナー１００を取付けたときでも、開口１３の通気性が生かされ熱がこもり難い。
【０１８４】
更に、本体布部１１０を構成する前頭布部１１１の左右両側に左右の側布部１２０Ｒ，１２０が突設して本体布部１１０及び左右の側布部１２０Ｒ，１２０がＴ字状に形成されている場合には、頭部保護具１の左右の側頭保護部２２Ｒ，２２Ｌの周囲に取付自在な左右の側布部１２０Ｒ，１２０に対して前頭布部１１１が連続しているから、頭部保護具１を頭部に被せる際に、前頭布部１１１が垂れ下がることもなく頭部保護具１側に定着し、また、前頭布部１１１の位置ずれも生じにくい。即ち、少ない部品数及び簡単な構造で頭部保護具１に対して、頭部保護具用インナー１００の全体を頭部保護具１側に定着することができる。
【０１８５】
そして、本実施の形態１の変形例に係る頭部保護具用インナー１００によれば、本体布部１１０の頭頂部側に対応させる頭頂布部１１２には、本体布部１１０の長手方向に沿った複数のスリット１６１Ａ，１６１Ｂが形成されているから、頭部の頭頂部側の通気性が向上する。また、スリット１６１Ａ，１６１Ｂにより頭部形状、頭部の動きに対応して頭頂布部１１２をフィットさせることができ、窮屈感を緩和して、フィット感、装着感の向上が可能である。
【０１８６】
［実施の形態２］
次に、本実施の形態２に係る頭部保護具用インナー２００について、図２５及び図２６を参照して説明する。
本実施の形態２に係る頭部保護具用インナー２００は、頭部保護具１の左右の側頭保護部２２Ｒ，２２Ｌの周囲に取付ける左右の側布部１２０Ｒ，１２０Ｌが本体布部１１０の長手方向に対して直角な幅方向で、本体布部１１０の長手方向の中央側に位置する頭頂布部１１２の左右両側に突設した点で実施の形態１と相違する。本体布部１１０の基本的な構成は上記実施の形態１と略同様であるから、ここでは、相違する点のみ説明する。
【０１８７】
図２５及び図２６に示した本実施の形態２に係る頭部保護具用インナー２００では、頭部保護具１の左右の側頭保護部２２Ｒ，２２Ｌの周囲に取付ける左右の側布部１２０Ｒ，１２０Ｌが、本体布部１１０の長手方向に対して直角な幅方向で頭頂布部１１２の両側から延びる２箇所の幅狭の連結部１７１Ｒ，１７１Ｌを介して、頭頂布部１１２に接続している。そして、このように、左右の側布部１２０Ｒ，１２０Ｌが、左右で各２箇所の幅狭の連結部１７１Ｒ，１７１Ｌを介して頭頂布部１１２に接続することで、頭頂布部１１２との間に所定の開口１７２Ｒ，１７２Ｌを形成している。
【０１８８】
ここで、本実施の形態２に係る左右の側布部１２０Ｒ，１２０Ｌは、本体布部１１０の長手方向に対して直角な幅方向で頭頂布部１１２の両側から延びる２箇所の幅狭の連結部１７１Ｒ，１７１Ｌを介して、本体布部１１０の長手方向に対して略直角な方向に延びる本体側布部１２１Ｒ，１２１Ｌと、本体布部１１０の長手方向に対して略直角な方向を左右方向としたとき、その左右方向に直角な上下方向（本体布部１１０の長手方向と同一方向）の一端側（前頭布部１１１側）で、本体側布部１２１Ｒ，１２１Ｌから突出する接続側布部１２４ａＲ，１２４ａＬとから構成されている。
【０１８９】
そして、本体布部１１０の長手方向に対して直角な方向に延びる本体側布部１２１の先端部には、その裏面（Ｂ）側に面ファスナ１２３ｂＲ, １２３ｂＬが取付けられている。また、それと反対側の開口１７２Ｒ，１７２Ｌ側の端部には、その表面（Ｆ）側に、面ファスナ１２３ｂＲ, １２３ｂＬに対応するに面ファスナ１２３ａＲ, １２３ａＬが取付けられている。即ち、本実施の形態２に係る左右の側布部１２０Ｒ，１２０Ｌにおいても、本体布部１１０の長手方向に対して直角な方向で対向する２辺の両側に１対の面ファスナ１２３ａＲ及び面ファスナ１２３ｂＲ、１対の面ファスナ１２３ａＬ及び面ファスナ１２３ｂＬが取付けられている。なお、本体側布部１２１Ｒ，１２１Ｌは、取付対象である後述の頭部保護具１の側頭保護部２２Ｒ，２２Ｌの内面側から外面側に巻ける大きさに設計されている。
【０１９０】
このような構成の本実施の形態２に係る右側布部１２０Ｒによれば、頭部保護具１の組立状態で、頭部保護具１の右側頭保護部２２Ｒに対してその内側及び外側の周囲に本体側布部１２１Ｒを巻いて、面ファスナ１２３ｂＲが取付けられた先端側を開口１７２Ｒに通して、本体布部１１０の長手方向に対して直角な方向に延びる本体側布部１２１Ｒの先端部側と、それと反対側の開口側１７２Ｒの端部側との対向する２辺の両側を重ね合わせ、１対の面ファスナ１２３ａＲ及び面ファスナ１２３ｂＲを接合することで、頭部保護具１の右側頭保護部２２Ｒの周囲に巻いた状態で固定して取付けることができる。
【０１９１】
同様に、本実施の形態２に係る左側布部１２０Ｌにおいても、頭部保護具１の組立状態で、頭部保護具１の左側頭保護部２２Ｌに対してその内側及び外側の周囲に本体側布部１２１Ｌを巻いて、面ファスナ１２３ｂＬが取付けられた先端側を開口１７２Ｌに通して、本体布部１１０の長手方向に対して直角な方向に延びる本体側布部１２１Ｌの先端部側と、それとは反対側の開口側１７２Ｌの端部側との対向する２辺の両側を重ね合わせ、１対の面ファスナ１２３ａＬ及び面ファスナ１２３ｂＬを接合することで、頭部保護具１の左側頭保護部２２Ｌの周囲に巻いた状態で固定して取付けることができる。
【０１９２】
即ち、上述の図３乃至図１０に示した頭部保護具１の立体的な組立状態では、左右の側頭保護部２２Ｒ、２２Ｌと頭頂保護部１０との間に開口１３が形成されているから、その開口１３に左右の側布部１２０Ｒ，１２０Ｌの本体側布部１２１Ｒ，１２１Ｌを通し、頭部保護具１の左右の側頭保護部２２Ｒ、２２Ｌに対して、その内面側及び外面側の周囲に、頭部保護具用インナー２００の左右の側布部１２０Ｒ，１２０Ｌを巻いて、左右の側布部１２０Ｒ，１２０Ｌにおいて対向する２辺の両側を１対の面ファスナ１２３ａＲ及び面ファスナ１２３ｂＲ、１対の面ファスナ１２３ａＬ及び面ファスナ１２３ｂＬにより接合することで、頭部保護具用インナー２００の左右の側布部１２０Ｒ，１２０Ｌを取付けることができる。
【０１９３】
特に、本実施の形態２では、左右の側布部１２０Ｒ，１２０Ｌにおいて、頭頂布部１１２との間に所定の開口１７２Ｒ，１７２Ｌを形成しているから、頭部保護具１における左右の側頭保護部２２Ｒ、２２Ｌと頭頂保護部１０との間の開口１３の通気性を生かすことができる。このとき、各２箇所の幅狭の連結部１７１Ｒ，１７１Ｌの構成は、強度的に耐えられる構成であればよい。しかし、本発明を実施する場合、開口１７２Ｒ，１７２Ｌを省略してもよい。
【０１９４】
更に、本実施の形態２では、本体側布部１２１Ｒ，１２１Ｌの幅方向の一端側で本体布部１１０の長手方向と同一方向に接続側布部１２４ａＲ，１２４ａが延びて、その表面（Ｆ）側で面ファスナ１２５ａＲ, １２５ａＬが取付けられている。また、本体布部１１０の長さ方向に対して直角方向で前頭布部１１１の左右両側に、その裏面（Ｂ）側で、面ファスナ１２５ａＲ, １２５ａＬに対応する面ファスナ１２５ｂＲ, １２５ｂＬが取付けられている。
【０１９５】
これより、立体的な組立状態にある頭部保護具１の側頭保護部２２Ｒ，２２Ｌの周囲に取付ける本体側布部１２１Ｒ，１２１Ｌから突出した接続側布部１２４ａＲ，１２４ａと、頭部保護具１の前頭保護部２１の内面側に配設させる前頭布部１１１とが接続し、接続側布部１２４ａＲ，１２４ａＬに設けた面ファスナ１２５ａＲ, １２５ａＬと、前頭布部１１１に設けた面ファスナ１２５ｂＲ, １２５ｂＬとの接合によって、前頭布部１１１と本体側布部１２１Ｒ，１２１Ｌが一体に連続する。したがって、頭部保護具１を頭部に被せる際に、前頭布部１１１が垂れ下がることもなく頭部保護具１側に定着し、また、前頭布部１１１の位置ずれも生じにくく、頭部保護具用インナー２００の全体を頭部保護具１側に定着することができる。
【０１９６】
このように、本実施の形態２に係る頭部保護具用インナー２００も、人体の頭部を保護する頭部保護具１の人体の頭部の前頭部側から頭頂部側を通って後頭部側まで対応させる位置、即ち、頭部保護具１の前頭保護部２１、頭頂保護部１０及び後頭保護部３１の内面側に配設させる長尺状の本体布部１１０と、本体布部１１０の長手方向に対して直角な幅方向の左右両側に延びて、頭部保護具１の人体の左右の側頭部側に対応させる位置、即ち、頭部保護具１の左右の側頭保護部２２Ｒ，２２Ｌの内面側に配設させる左右の側布部１２０Ｒ，１２０Ｌと、本体布部１１０の長さ方向の一端部側に設けられ、本体布部１１０の長さ方向の一端部側を頭部保護具１の人体の後頭部側に対応させる位置、即ち、頭部保護具１の後頭保護部３１に対してその内面側及び外面側の周囲を覆うように取付自在とする袋状に形成した本体布取付部１３０と、各左右の側布部１２０Ｒ，１２０Ｌを頭部保護具１の人体の左右の側頭部側に対応する位置、即ち、頭部保護具１の左右の側頭保護部２２Ｒ，２２Ｌに対してその内面側及び外面側の周囲を覆うように取付自在とする、雄部材と雌部材からなる接合具としての１対の面ファスナ１２３ａＬ及び面ファスナ１２３ｂＬ、１対の面ファスナ１２３ａＬ及び面ファスナ１２３ｂＬにより各左右の側布部１２０Ｒ，１２０Ｌにおいてその上下方向を接続自在に構成されてなる側布取付部１４０とを具備するものである。
【０１９７】
このような構成の本実施の形態２に係る頭部保護具用インナー２００では、上述の図３乃至図１０に示した頭部保護具１における側頭保護部２２Ｒ，２２Ｌの周囲に対しての本体側布部１２１Ｒ，１２１Ｌの取付けが、頭部保護具１の立体的な組立状態、即ち、頭部保護具１の側頭保護部２２Ｒ，２２Ｌが頭頂保護部１０の帯状部材１０ａ，１０ｂ，１０ｃの長手方向に対して垂直方向に位置した状態で行われることになるが、本実施の形態２に係る頭部保護具用インナー２００においても、上記実施の形態１と同様の効果を得ることができる。
【０１９８】
［実施の形態３］
次に、本実施の形態３に係る頭部保護具用インナー３００について、図２７及び図２８を参照して説明する。
本実施の形態３に係る頭部保護具用インナー３００は、頭部保護具１の左右の側頭保護部２２Ｒ，２２Ｌの周囲に取付ける左右の側布部１２０Ｒ，１２０Ｌが本体布部１１０の長手方向に対して直角な幅方向で、本体布部１１０の長手方向の一端側に位置する後頭布部１１３の左右両側に突設した点で実施の形態１と相違する。本体布部１１０の基本的な構成は上記実施の形態１と略同様であるから、ここでも、相違する点のみ説明する。
【０１９９】
図２７及び図２８に示した本実施の形態３に係る頭部保護具用インナー３００では、頭部保護具１の左右の側頭保護部２２Ｒ，２２Ｌの周囲に取付ける左右の側布部１２０Ｒ，１２０Ｌが、本体布部１１０の長手方向に対して直角な幅方向で後頭布部１１３の両側から連続して延びている。即ち、本実施の形態３では、左右の側布部１２０Ｒ，１２０Ｌが本体布部１１０の長さ方向に対して直角方向で、後頭布部１１３の左右両側に延設されている。
【０２００】
本実施の形態３の左右の側布部１２０Ｒ，１２０Ｌは、上記実施の形態１と同様に、本体布部１１０の長手方向に対して略直角方向に延びる本体側布部１２１Ｒ，１２１Ｌと、本体布部１１０の長手方向に対して略直角な方向を左右方向としたとき、その左右方向に直角な上下方向で本体側布部１２１Ｒ，１２１Ｌから突出形成した１対の接続側布部１２２ａＲ，１２２ｂＲ、１対の接続側布部１２２ａＬ，１２２ｂＬとから構成されており、本体側布部１２１Ｒ，１２１Ｌと１対の接続側布部１２２ａＲ，１２２ｂＲ、１対の接続側布部１２２ａＬ，１２２ｂＬとによって、取付対象である頭部保護具１の側頭保護部２２Ｒ，２２Ｌの内面側から外面側に巻ける大きさに設計されている。即ち、左右の側布部１２０Ｒ，１２０Ｌでは、本体布部１１０の一端部側に形成された後頭布部１１３と比較し、その本体布部１１０の長さ方向（上下方向）の大きさよりも幅広に形成されている。
【０２０１】
そして、本実施の形態３においても、各本体側布部１２１Ｒ，１２１Ｌの上下方向の両側に突出する１対の接続側布部１２２ａＲ，１２２ｂＲ，１対の接続側布部１２２ａＬ，１２２ｂＬには、１対の面ファスナ１２３ａＲ,１２３ｂＲ，１対の面ファスナ１２３ａＬ,１２３ｂＬが設けられている。
【０２０２】
即ち、本体布部１１０の長手方向に対して略直角方向に延びる右側布部１２０Ｒには、本体布部１１０の長手方向に対して略直角な方向を左右方向としたとき、その左右方向に直角な上下方向で１対の面ファスナ１２３ａＲ及び面ファスナ１２３ｂＲを設け、この１対の面ファスナ１２３ａＲ及び面ファスナ１２３ｂＲにより右側布部１２０Ｒの互いに上下方向で対向する２辺の両側を接合自在とする。
同様に、本体布部１１０の長手方向に対して略直角方向に延びる左側布部１２０Ｌには、本体布部１１０の長手方向に対して略直角な方向を左右方向としたとき、その左右方向に直角な上下方向で１対の面ファスナ１２３ａＬ及び面ファスナ１２３ｂＬを設け、この１対の面ファスナ１２３ａＬ及び面ファスナ１２３ｂＬにより左側布部１２０Ｌの互いに上下方向で対向する２辺の両側を接合自在とする。
【０２０３】
なお、本実施の形態３においても、１対の面ファスナ１２３ａＲ及び面ファスナ１２３ｂＲは、その一方が右側布部１２０Ｒの表面側に配置し、他方が裏面側に配置している。また、１対の面ファスナ１２３ａＲ及び面ファスナ１２３ｂＲも、互いに左側布部１２０Ｌの表裏面に配置している。
【０２０４】
このような構成によって、本実施の形態３においても、取付対象である頭部保護具１の左右の側頭保護部２２Ｒ，２２Ｌに対してその内側から外側の周囲に巻いて、各１対の接続側布部１２２ａＲと接続側布部１２２ｂＲ、１対の接続側布部１２２ａＬと接続側布部１２２ｂＬを重ね合わせ、各１対の接続側布部１２２ａＲと接続側布部１２２ｂＲ，１対の接続側布部１２２ａＬと接続側布部１２２ｂＬにおいて、対向する２辺の両側に設けた各１対の面ファスナ１２３ａＲ及び面ファスナ１２３ｂＲ，１対の面ファスナ１２３ａＬ及び面ファスナ１２３ｂＬを接合することで、頭部保護具１の右側頭保護部２２Ｒ，２２Ｌの周囲に巻いた状態で固定して取付けることができる。
【０２０５】
即ち、上述の図３乃至図１０に示した頭部保護具１の立体的な組立状態では、左右の側頭保護部２２Ｒ、２２Ｌと頭頂保護部１０との間に開口１３が形成されているから、その開口１３に左右の側布部１２０Ｒ，１２０Ｌの接続側布部１２２ａＲ，１２２ａＬを通し、頭部保護具１の左右の側頭保護部２２Ｒ、２２Ｌに対して、その内面側及び外面側の周囲に、頭部保護具用インナー３００の左右の側布部１２０Ｒ，１２０Ｌを巻いて、左右の側布部１２０Ｒ，１２０Ｌにおいて対向する２辺の両側を１対の面ファスナ１２３ａＲ及び面ファスナ１２３ｂＲ、１対の面ファスナ１２３ａＬ及び面ファスナ１２３ｂＬにより接合することで、頭部保護具用インナー３００の左右の側布部１２０Ｒ，１２０Ｌを取付けることができる。
【０２０６】
更に、本実施の形態３では、本体布部１１０の長手方向に対して直角な方向（左右方向）で、本体側布部１２１，１２１Ｒの表面（Ｆ）側の端部に面ファスナ１２５ａＲ, １２５ａＬが取付けられている。また、本体布部１１０の長さ方向に対して直角方向で前頭布部１１１の左右両側に、その裏面（Ｂ）側で、面ファスナ１２５ａＲ, １２５ａＬに対応する面ファスナ１２５ｂＲ, １２５ｂＬが取付けられている。
【０２０７】
これより、立体的な組立状態にある頭部保護具１の側頭保護部２２Ｒ，２２Ｌの周囲に取付ける頭部保護具用インナー３００の本体側布部１２１Ｒ，１２１Ｌと、頭部保護具１の前頭保護部２１の内面側に配設させる頭部保護具用インナー３００の前頭布部１１１とが、本体側布部１２１Ｒ，１２１Ｌに設けた面ファスナ１２５ａＲ, １２５ａＬと、前頭布部１１１に設けた面ファスナ１２５ｂＲ, １２５ｂＬとの接合によって、前頭布部１１１と本体側布部１２１Ｒ，１２１Ｌが一体に連続する。したがって、頭部保護具１を頭部に被せる際に、前頭布部１１１が垂れ下がることもなく頭部保護具１側に定着し、また、前頭布部１１１の位置ずれも生じにくく、頭部保護具用インナー３００の全体を頭部保護具１側に定着することができる。
【０２０８】
このように、本実施の形態３に係る頭部保護具用インナー３００も、人体の頭部を保護する頭部保護具１の人体の頭部の前頭部側から頭頂部側を通って後頭部側まで対応させる位置、即ち、頭部保護具１の前頭保護部２１、頭頂保護部１０及び後頭保護部３１の内面側に配設させる長尺状の本体布部１１０と、本体布部１１０の長手方向に対して直角な幅方向の左右両側に延びて、頭部保護具１の人体の左右の側頭部側に対応させる位置、即ち、頭部保護具１の左右の側頭保護部２２Ｒ，２２Ｌの内面側に配設させる左右の側布部１２０Ｒ，１２０Ｌと、本体布部１１０の長さ方向の一端部側に設けられ、本体布部１１０の長さ方向の一端部側を頭部保護具１の人体の後頭部側に対応させる位置、即ち、頭部保護具１の後頭保護部３１に対してその内面側及び外面側の周囲を覆うように取付自在とする袋状に形成した本体布取付部１３０と、各左右の側布部１２０Ｒ，１２０Ｌを頭部保護具１の人体の左右の側頭部側に対応する位置、即ち、頭部保護具１の左右の側頭保護部２２Ｒ，２２Ｌに対してその内面側及び外面側の周囲を覆うように取付自在とする各左右の側布部１２０Ｒ，１２０Ｌの上下両側に形成された１対の接続側布部１２２ａＲ，１２２ｂＲ、１対の接続側布部１２２ａＬ，１２２ｂＬ及びそれに設けた１対の面ファスナ１２３ａＬ及び面ファスナ１２３ｂＬ、１対の面ファスナ１２３ａＬ及び面ファスナ１２３ｂＬからなる側布取付部１４０とを具備するものである。
【０２０９】
このような構成の本実施の形態３に係る頭部保護具用インナー３００でも、上述の図３乃至図１０に示した頭部保護具１における側頭保護部２２Ｒ，２２Ｌの周囲に対しての本体側布部１２１Ｒ，１２１Ｌの取付けが、頭部保護具１の立体的な組立状態、即ち、頭部保護具１の側頭保護部２２Ｒ，２２Ｌが頭頂保護部１０の帯状部材１０ａ，１０ｂ，１０ｃの長手方向に対して垂直方向に位置した状態で行われることになるが、上記実施の形態１，２と同様の効果を得ることができる。
【０２１０】
［実施の形態４］
次に、本実施の形態４に係る頭部保護具用インナー４００について、図２９及び図３０を参照して説明する。
【０２１１】
上記実施の形態１乃至実施の形態３においては、図３乃至図１０に示した後頭保護部３１と側頭保護部２２Ｒ，２２Ｌとが接合及び分離自在に形成された頭部保護具１に適用するものとして、後頭保護部３１と側頭保護部２２Ｒ，２２Ｌの分離を前提に、頭部保護具１の後頭保護部３１と側頭保護部２２Ｒ，２２Ｌが分離された展開状態で、頭部保護具用インナー１００，２００，３００，４００の後頭布部１１３の裏面（Ｂ）側において袋状に形成した本体布取付部１３０に頭部保護具１の後頭保護部３１を収容することで、後頭保護部３１の周囲に本体布取付部１３０を装着する形態で説明したが、本発明を実施する場合には、後頭布部１１３を後頭保護部３１に取付ける形態は、上記に限定されるものではない。
【０２１２】
例えば、本実施の形態４に係る頭部保護具用インナー４００として、図２９及び図３０に示すように、後頭布部１１３を頭部保護具１の後頭保護部３１に取付けるために接合具としての１対の面ファスナ１５２ａＲ，１５２ｂＲ、１対の面ファスナ１５２ａＬ，１５２ｂＬを用いて取付けるようにしてもよい。
【０２１３】
図２９及び図３０に示す本実施の形態４に係る頭部保護具用インナー４００では、本体布部１１０の長手方向の一端側に位置する後頭布部１１３において、本体布部１１０の長手方向に対して直角な幅方向の左右両側で、外方向（頭頂布部１１２側）の斜めに向かって延びる帯状の上方接続布部１５１ｂＲ，１５１ｂＬと、本体布部１１０の長手方向の端部の左右両側で、外方向（本体布部１１０の長手方向と同一方向）に向かって延びる帯状の下方接続布部１５１ａＲ，１５１ａＬとを有する。
【０２１４】
そして、左右の上方接続布部１５１ｂＲ，１５１ｂＬには、その裏面側で、長手方向の端部に面ファスナ１５２ｂＲ，１５２ｂＬが取付けられ、また、左右の下方接続布部１５２Ｒには、その表面（Ｆ）側で、面ファスナ１５２ｂＲ，１５２ｂＬに対応する面ファスナ１５２ａＲ，１５２ａＬが取付けられている。
【０２１５】
即ち、本実施の形態４では、本体布部１１０の長さ方向の他端側に形成された後頭布部１１３が、後頭本体布部１３１及びその周囲の左右両側で外方向に突設した１対の上方接続布部１５１ｂＲ，１５１ｂＬ及び下方接続布部１５１ａＲ，１５１ａＬから構成され、そして、上方接続布部１５１ｂＲ，１５１ｂＬ、下方接続布部１５１ａＲ，１５１ａＬには、１対の面ファスナ１５２ｂＲ，１５２ｂＬ、面ファスナ１５２ａＲ，１５２ａＬが設けられており、図３０に示すように、後頭布部１１３の裏面側での１対の面ファスナ１５２ａＲ，１５２ａＬ，面ファスナ１５２ｂＲ，１５２ｂＬの接合により、頭部保護具１の後頭保護部３１の内面側及び外面側の周囲に取付自在な本体布取付部１３０を構成する。
【０２１６】
これにより、図３０に示すように、後頭保護部３１と左右の側頭保護部２２Ｒ、２２Ｌとが分離自在となっておらず、後頭保護部３１と左右の側頭保護部２２Ｒ、２２Ｌとが一体的に連続成形されている頭部保護具１に対しても、その後頭保護部３１の内面側に頭部保護具用インナー４００における後頭布部１１３の後頭本体布部１３１を配設し、そして、後頭保護部３１の外面側で１対の上方接続布部１５１ｂＲ，１５１ｂＬと、下方接続布部１５１ａＲ，１５１ａＬとを重ね合わせ、１対の面ファスナ１５２ａＲ，１５２ａＬ，面ファスナ１５２ｂＲ，１５２ｂＬを接合することで、後頭保護部３１の周囲に巻いた状態で固定して取付けることができる。
【０２１７】
即ち、図３０に示すように、後頭保護部３１と左右の側頭保護部２２Ｒ、２２Ｌとが一体的に連続成形されている頭部保護具１であっても、後頭保護部３１の上部側で頭頂保護部１０と左右の側頭保護部２２Ｒ、２２Ｌとの間で開口１３が形成されているから、その開口１３に頭部保護具用インナー４００の上方接続布部１５１ｂＲ，１５１ｂＬを通し、後頭保護部３１に対して、その内面側及び外面の周囲に、頭部保護具用インナー４００の後頭布部１１３の後頭本体布部１３１、上方接続布部１５１ａＲ，１５１ａＬ、下方接続布部１５１ｂＲ，１５１ｂＬを巻いて、１対の面ファスナ１５２ａＲ，１５２ａＬ，面ファスナ１５２ｂＲ，１５２ｂＬを接合することで、頭部保護具用インナー４００の後頭布部１１３を取付けることができる。
【０２１８】
このように、本実施の形態４係る頭部保護具用インナー４００も、人体の頭部を保護する頭部保護具１の人体の頭部の前頭部側から頭頂部側を通って後頭部側まで対応させる位置、即ち、頭部保護具１の前頭保護部２１、頭頂保護部１０及び後頭保護部３１の内面側に配設させる長尺状の本体布部１１０と、本体布部１１０の長手方向に対して直角な幅方向の左右両側に延びて、頭部保護具１の人体の左右の側頭部側に対応させる位置、即ち、頭部保護具１の左右の側頭保護部２２Ｒ，２２Ｌの内面側に配設させる左右の側布部１２０Ｒ，１２０Ｌと、本体布部１１０の長さ方向の一端部側に設けられ、本体布部１１０の長さ方向の一端部側を頭部保護具１の人体の後頭部側に対応させる位置、即ち、頭部保護具１の後頭保護部３１に対してその内面側及び外面側の周囲を覆うように取付自在とする、本体布部１１０の長さ方向の一端部でその上下、左右の両側に形成された一対の上方接続布部１５１ｂＲ，１５１ｂＬ、下方接続布部１５１ａＲ，１５１ａＬ及びそれに設けた１対の面ファスナ１５２ａＲ，１５２ａＬ，面ファスナ１５２ｂＲ，１５２ｂＬからなる本体布取付部１３０と、各左右の側布部１２０Ｒ，１２０Ｌを頭部保護具１の人体の左右の側頭部側に対応する位置、即ち、頭部保護具１の左右の側頭保護部２２Ｒ，２２Ｌに対してその内面側及び外面側の周囲を覆うように取付自在とする、各左右の側布部１２０Ｒ，１２０Ｌの上下両側に形成された１対の接続側布部１２２ａＲ，１２２ｂＲ、１対の接続側布部１２２ａＬ，１２２ｂＬ及びそれに設けた１対の面ファスナ１２３ａＬ及び面ファスナ１２３ｂＬ、１対の面ファスナ１２３ａＬ及び面ファスナ１２３ｂＬからなる側布取付部１４０とを具備するものである。
【０２１９】
特に、本実施の形態４に係る頭部保護具用インナー４００では、後頭布部１１３を構成する後頭本体布部１３１の上下方向に１対の一対の上方接続布部１５１ｂＲ，１５１ｂＬ、下方接続布部１５１ａＲ，１５１ａＬを延設し、その１対の一対の上方接続布部１５１ｂＲ，１５１ｂＬ、下方接続布部１５１ａＲ，１５１ａＬに雄部材と雌部材からなる接合具としての１１対の面ファスナ１５２ａＲ，１５２ａＬ，面ファスナ１５２ｂＲ，１５２ｂＬを設けることによって、雄部材と雌部材からなる接合具としての１対の面ファスナ１５２ａＲ，１５２ａＬ，面ファスナ１５２ｂＲ，１５２ｂＬにより後頭布部１１３においてその上下方向を接続自在に構成されてなる。即ち、本体布部１１０の一端部側である後頭布部１１３に設けられ、後頭布部１１３を頭部保護具１の後頭部側に対応する位置、即ち、頭部保護具１の後頭保護部３１に対してその内面側及び外面側の周囲を覆うように取付自在とする本体布取付部１３０が、雄部材と雌部材からなる接合具としての１対の面ファスナ１５２ａＲ，１５２ａＬ，面ファスナ１５２ｂＲ，１５２ｂＬにより後頭布部１１３においてその上下方向を接続自在に構成されてなる。
【０２２０】
このように本実施の形態４の本体布取付部１３０は、本体布部１１０の長手方向に対して直角な方向を左右方向とし、その左右方向に直角な方向を上下方向としたとき、後頭布部１１３の上下両側、かつ、左右両側で帯状の上方接続布部１５１ｂＲ，１５１ｂＬ及び下方接続布部１５１ａＲ，１５１ａＬを突設し、帯状の上方接続布部１５１ｂＲ，１５１ｂＬ及び下方接続布部１５１ａＲ，１５１ａＬに設けた１対の面ファスナ１５２ａＲ，１５２ａＬ，面ファスナ１５２ｂＲ，１５２ｂＬの係合によって、頭部保護具１の後頭保護部３１の内面側及び外面側の周囲に取付自在とするものである。
したがって、取付対象が頭頂部側に対応させる位置（トップクラウン側）に開口を形成している頭部保護具１であればその開口に上方接続布部１５１ｂＲ，１５１ｂＬを通して、後頭保護部３１の内面側及び外面側の周囲に後頭布部１１３の上方接続布部１５１ｂＲ，１５１ｂＬ及び下方接続布部１５１ａＲ，１５１ａＬを巻いて取付けることができる。即ち、上述の図３乃至図１０で示したように後頭保護部３１と左右の側頭保護部２２Ｒ、２２Ｌとで分離自在であって、後頭保護部３１及び左右の側頭保護部２２Ｒ、２２Ｌの１対の面ファスナ４１ａＲ，４１ａＬ及び面ファスナ４２ｂの接合により立体的に組立自在とされる頭部保護具１に取付対象が限定されることなく、頭部に被せる帽子状（ヘルメット状）に立体的に成形されているものであっても取付けることができ、取付可能な頭部保護具１の選択範囲が広い。
【０２２１】
また、上記実施の形態４では、頭部保護具１の後頭保護部３１の外面側で１対の面ファスナ１５２ａＲ及び面ファスナ１５２ｂＲ、１対の面ファスナ１５２ａＬ及び面ファスナ１２５ｂＬを接合するから、１対の面ファスナ１２３ａＲ及び面ファスナ１２３ｂＲ、１対の面ファスナ１２３ａＬ及び面ファスナ１２３ｂＬが頭部を圧迫したり、頭部に違和感を生じさせたりすることもない。
【０２２２】
そして、このような構成の本実施の形態４に係る頭部保護具用インナー４００でも、頭部保護具１の立体的な組立状態、即ち、頭部保護具１の側頭保護部２２Ｒ，２２Ｌが頭頂保護部１０の帯状部材１０ａ，１０ｂ，１０ｃの長手方向に対して垂直方向に位置した状態で行われることになるが、上記実施の形態１と同様の効果を得ることができる。
【０２２３】
更に、本発明を実施する場合には、後頭保護部３１の内面側及び外面側の周囲に後頭布部１１３を取付けることができれば、上記実施の形態１乃至実施の形態４の本体布取付部１３０の形態に限定されず、例えば、上記実施の形態４において、上方接続布部１５１ａＲと下方接続布部１５１ｂＬの接合、上方接続布部１５１ａＬと下方接続布部１５１ｂＬとの接合といったように左右を交差させる取付けであってもよい。また、本体布部１１０の長手方向に対して直角な幅方向の左右両側、かつ、上下両側に上方接続布部１５１ａＲ，１５１ａＬ、下方接続布部１５１ｂＲ，１５１ｂＬを設け、上方接続布部１５１ａＲと上方接続布部１５１ａＬの接合、下方接続布部１５１ｂＲと下方接続布部１５１ｂＬを接合して取付けるようにしてもよい。つまり、頭部保護具１のトップクラウン側の開口の位置に対応するように本体布取付部１３０の接合位置が適宜設定される。
【０２２４】
そして、上記実施の形態１乃至実施の形態４では、左右の側布部１２０Ｒ，１２０Ｌを頭部保護具１の左右の側頭保護部２２Ｒ、２２Ｌに取付けるための接合具として面ファスナを使用し、また、頭部保護具１の後頭保護部３１に対しても、面ファスナの使用により後頭布部１１３を取付ける説明をしたが、本発明を実施する場合には、面ファスナの接合に限定されることなく、例えば、ドット釦、ホック、ボタン及びループ、バックル等を使用してもよい。しかし、面ファスナであれば、転倒等したときでも頭を圧迫して怪我をさせるようなこともなく、安全性が高い。また、接合及びその解除の操作も極めて容易である。更に、１つの大きな面ファスナであれば、複数個取付けなくとも、接合位置が無段階で調節でき、接合具の取付けも容易である。
【０２２５】
また、本発明を実施する場合には、面ファスナ、ドット釦、ホック、ボタン及びループ、バックル等の接合具によって互いに対向する２辺の両側を接続自在とする構成に限定されることなく、接合具としてゴム等の弾性体を用い、ゴム等の弾性体で互いに対向する２辺の両側を接続して環状に形成した輪の中に、図３乃至図１０で示した頭部保護具１の左右の側頭保護部２２Ｒ、２２Ｌを通すことで、頭部保護具１を左右の側頭保護部２２Ｒ、２２の周囲に取付ける形態としてもよい。同様に、頭部保護具１の後頭保護部３１においてもゴム等の弾性体を使用して取付けてもよい。
【０２２６】
更に、上記説明では、図３乃至図１０で示したように後頭保護部３１と左右の側頭保護部２２Ｒ、２２Ｌとが分離自在に構成された頭部保護具１に対応させるために、袋状の本体布取付部１３０を後頭布部１１３に形成したものであるが、本発明を実施する場合には、例えば、前頭保護部２１と左右の側頭保護部２２Ｒ、２２Ｌとが分離自在に構成された頭部保後具１に取付ける場合には、袋状の本体布取付部１３０を前頭部布部１１１に形成し、袋状の本体布取付部１３０に前頭保護部２１を収容する構成としてもよい。即ち、本体布取付部１３０は本体布部１１０の長さ方向の一端側の前頭布部１１１側に設けてもよく、本体布取付部１３０によって前頭布部１１１を前頭保護部２１の内面側及び外面側の周囲に取付けるようにしてもよい。
【０２２７】
なお、上記実施の形態１乃至実施の形態４に係る頭部保護具用インナー１００，２００，３００，４００は、病気や身体に障害のある者の頭部を保護するための頭部保護具１への使用に限定されることなく、日常生活で頭部を損傷する可能性のある歩き始めの乳児の頭部に装着される頭部保護具や、或いは、スポーツ、競技時に頭部を保護するために人体の頭部に装着される頭部保護具等にも適用することが可能である。
【符号の説明】
【０２２８】
１    頭部保護具
１０  頭頂保護部
１０ａ，１０ｂ，１０ｃ  帯状部材
１２  開口
１３  開口
２０  前方保護部
２１  前頭保護部
２２Ｒ，２２Ｌ側頭保護部
３０  後方保護部
３１  後頭保護部
４１ａＲ，４１ａＬ  面ファスナ（接合具）
４１ｂＲ，４１ｂＬ  面ファスナ（接合具）
１００、２００、３００、４００  頭部保護具用インナー
１１０  本体布部
１２０Ｒ，１２０Ｌ  側布部
１３０  本体布取付部
１４０  側布取付部
１２３ａＲ，１２３ａＬ、１２３ｂＲ，１２３ｂＬ  面ファスナ（接合具）
１５２ａＲ，１５２ａＬ、１５２ｂＲ，１５３ｂＬ  面ファスナ（接合具）
１６１Ａ，１６１Ｂ  スリット